(57)【要約】  本開示は、低く方向の重心と高い慣性モーメントと低い空気抵抗のパラメータをバランスしたゴルフクラブヘッドの実施形態である。重心と慣性モーメントと空気抵抗をバランスしたゴルフクラブヘッドの実施形態を製造する方法も開示される。【選択図】図２
2019535416.tif 000002
【特許請求の範囲】
【請求項１】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、を備えており、
前記クラブヘッドのロフト角が、１６度未満であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記ヘッドＣＧ深さが、１．２インチよりも大きく、
前記ヘッドＣＧ高さが、０．２０インチ未満であり、
クラウン−ソール慣性モーメントが、３０００ｇ・ｃｍ２よりも大きく、
ヒール−トウ慣性モーメントが、５０００ｇ・ｃｍ２よりも大きく、
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは１．４ｌｂｆ未満の抗力を経験する、ゴルフクラブヘッド。
【請求項２】
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは１．１５ｌｂｆ未満の抗力を経験する、請求項１に記載のゴルフクラブヘッド。
【請求項３】
０．０２インチ未満の厚みを有する前記本体上の１つまたは複数の薄い領域をさらに備える、請求項１に記載のゴルフクラブヘッド。
【請求項４】
以下の位置の１つまたは複数に配置されたウエイト中心を含む埋め込みウエイトをさらに備える、請求項１に記載のゴルフクラブヘッド。
（ａ）前記クラブヘッドの周囲の０．５インチ以内の位置。
（ｂ）前記ヘッド重心から２．２インチよりも大きい位置。
（ｃ）前記打撃面の前記幾何学的中心から４．０インチよりも大きい位置。
【請求項５】
０．１８から０．３０インチの間のフロント曲率半径と、
バック曲率半径と、をさらに備えており、
前記フロント曲率半径は前記打撃面の上端からクラウン遷移点まで延びており、クラウン遷移点が前記フロント曲率半径から前記クラウンの異なる曲率への曲率の変化を示しており、
前記バック曲率半径は、前記クラウンと前記クラブヘッドの前記スカートの間において第１の後部遷移点から第２の後部遷移点までの後部遷移境界に沿って延びており、前記第１の後部遷移点は前記クラウンと前記後部遷移境界の接続部に位置しており、前記第２の後部遷移点は前記後部遷移境界と前記クラブヘッドの前記スカートの接続部に位置している、請求項１に記載のゴルフクラブヘッド。
【請求項６】
７９度未満のクラウン角と、
０．５０インチよりも大きい最大クラウン高さと、をさらに備えており、
前記クラウン角は、前面とクラウン軸との間の鋭角として測定され、
前記クラウン軸は、前記クラブヘッドの前記クラウン遷移点と前記後部遷移点を通って延びており、
前記最大クラウン高さは、前記クラウンの表面と前記クラウン軸の間の最大距離として測定される、請求項５に記載のゴルフクラブヘッド。
【請求項７】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、を備えており、
前記クラブヘッドのロフト角が、１６度未満であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは抗力ＦＤを経験し、
前記クラブヘッドは、クラウン−ソール慣性モーメントＩｘｘ、ヒール−トウ慣性モーメントＩｙｙ、およびクラウン−ソール慣性モーメントとヒール−トウ慣性モーメントの合計として測定される合成慣性モーメントＩｘｘ＋Ｉｙｙを有しており、
前記クラブヘッドは、関係Ａを満たすとともに、関係Ｂと関係Ｃのうちの１つまたは複数を満たす、ゴルフクラブヘッド。
関係Ａ  ：  （ＦＤ＋２．７）／（０．０００５（Ｉｘｘ＋Ｉｙｙ））＜１
関係Ｂ  ：  ＦＤ＜１．１５ｌｂｆ
関係Ｃ  ：  Ｉｘｘ＋Ｉｙｙ＞９０００ｇ・ｃｍ２
【請求項８】
前記クラブヘッドが関係Ｄをさらに満たす、請求項７に記載のゴルフクラブヘッド。
関係Ｄ  ：  （ＦＤ＋３．８）／（０．０００５（Ｉｘｘ＋Ｉｙｙ））＜１
【請求項９】
前記ヘッドＣＧ深さが、１．２インチよりも大きい、請求項７に記載のゴルフクラブヘッド。
【請求項１０】
０．０２インチ未満の厚みを有する前記本体上の１つまたは複数の薄い領域をさらに備える、請求項７に記載のゴルフクラブヘッド。
【請求項１１】
以下の位置の１つまたは複数に配置されたウエイト中心を含む埋め込みウエイトをさらに備える、請求項７に記載のゴルフクラブヘッド。
（ａ）前記クラブヘッドの周囲の０．５インチ以内の位置。
（ｂ）前記ヘッド重心から２．２インチよりも大きい位置。
（ｃ）前記打撃面の前記幾何学的中心から４．０インチよりも大きい位置。
【請求項１２】
０．１８から０．３０インチの間のフロント曲率半径と、
バック曲率半径と、をさらに備えており、
前記フロント曲率半径は前記打撃面の上端からクラウン遷移点まで延びており、クラウン遷移点が前記フロント曲率半径から前記クラウンの異なる曲率への曲率の変化を示しており、
前記バック曲率半径は、前記クラウンと前記クラブヘッドの前記スカートの間において第１の後部遷移点から第２の後部遷移点までの後部遷移境界に沿って延びており、前記第１の後部遷移点は前記クラウンと前記後部遷移境界の接続部に位置しており、前記第２の後部遷移点は前記後部遷移境界と前記クラブヘッドの前記スカートの接続部に位置している、請求項７に記載のゴルフクラブヘッド。
【請求項１３】
７９度未満のクラウン角と、
０．５０インチよりも大きい最大クラウン高さと、をさらに備えており、
前記クラウン角は、前面とクラウン軸との間の鋭角として測定され、
前記クラウン軸は、前記クラブヘッドの前記クラウン遷移点と前記後部遷移点を通って延びており、
前記最大クラウン高さは、前記クラウンの表面と前記クラウン軸の間の最大距離として測定される、請求項５に記載のゴルフクラブヘッド。
【請求項１４】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、を備えており、
前記クラブヘッドのロフト角が、１６度未満であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記打撃面の前記幾何学的中心を通り、前記ホーゼル軸に平行であり、前記ロフト平面から前記ロフト角の位置で伸びている面に垂直な方向に向けて風速１０２ｍｐｈの風を受けたときに、前記クラブヘッドは抗力ＦＤを経験し、
前記クラブヘッドは、クラウン−ソール慣性モーメントＩｘｘ、ヒール−トウ慣性モーメントＩｙｙ、およびクラウン−ソール慣性モーメントとヒール−トウ慣性モーメントの合計として測定される合成慣性モーメントＩｘｘ＋Ｉｙｙを有しており、
前記クラブヘッドは、関係Ａを満たすとともに、関係Ｂと関係Ｃのうちの１つまたは複数を満たす、ゴルフクラブヘッド。
関係Ａ  ：  （ＦＤ＋１．９）／（２．１（ヘッドＣＧ深さ））＜１
関係Ｂ  ：  ＦＤ＜１．１５ｌｂｆ
関係Ｃ  ：  ヘッドＣＧ深さ＞１．６５インチ
【請求項１５】
前記クラブヘッドが関係Ｄをさらに満たす、請求項１４に記載のゴルフクラブヘッド。
関係Ｄ  ：  （ＦＤ＋２．８）／（２．１（ヘッドＣＧ深さ））＜１
【請求項１６】
前記合成関係モーメントが、９０００ｇ・ｃｍ２よりも大きい、請求項１４に記載のゴルフクラブヘッド。
【請求項１７】
０．０２インチ未満の厚みを有する前記本体上の１つまたは複数の薄い領域をさらに備える、請求項１４に記載のゴルフクラブヘッド。
【請求項１８】
以下の位置の１つまたは複数に配置されたウエイト中心を含む埋め込みウエイトをさらに備える、請求項１４に記載のゴルフクラブヘッド。
（ａ）前記クラブヘッドの周囲の０．５インチ以内の位置。
（ｂ）前記ヘッド重心から２．２インチよりも大きい位置。
（ｃ）前記打撃面の前記幾何学的中心から４．０インチよりも大きい位置。
【請求項１９】
０．１８から０．３０インチの間のフロント曲率半径と、
バック曲率半径と、をさらに備えており、
前記フロント曲率半径は前記打撃面の上端からクラウン遷移点まで延びており、クラウン遷移点が前記フロント曲率半径から前記クラウンの異なる曲率への曲率の変化を示しており、
前記バック曲率半径は、前記クラウンと前記クラブヘッドの前記スカートの間において第１の後部遷移点から第２の後部遷移点までの後部遷移境界に沿って延びており、前記第１の後部遷移点は前記クラウンと前記後部遷移境界の接続部に位置しており、前記第２の後部遷移点は前記後部遷移境界と前記クラブヘッドの前記スカートの接続部に位置している、請求項１４に記載のゴルフクラブヘッド。
【請求項２０】
７９度未満のクラウン角と、
０．５０インチよりも大きい最大クラウン高さと、をさらに備えており、
前記クラウン角は、前面とクラウン軸との間の鋭角として測定され、
前記クラウン軸は、前記クラブヘッドの前記クラウン遷移点と前記後部遷移点を通って延びており、
前記最大クラウン高さは、前記クラウンの表面と前記クラウン軸の間の最大距離として測定される、請求項１９に記載のゴルフクラブヘッド。
【請求項２１】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、を備えており、
前記クラブヘッドの容量が、１５０立方センチメートルと４００立方センチメートルの間であり、
前記クラブヘッドのロフト角が、１２度と３５度の間であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記ヘッドＣＧ深さが、１．０インチよりも大きく、
前記ヘッドＣＧ高さが、０．２０インチ未満であり、
クラウン−ソール慣性モーメントが、１６００ｇ・ｃｍ２よりも大きく、
ヒール−トウ慣性モーメントが、３１００ｇ・ｃｍ２よりも大きく、
前記打撃面の前記幾何学的中心を通り、前記ホーゼル軸に平行であり、前記ロフト平面から前記ロフト角の位置で伸びている面に垂直な方向に向けて風速９８ｍｐｈの風を受けたときに、前記クラブヘッドは１．０ｌｂｆ未満の抗力を経験する、ゴルフクラブヘッド。
【請求項２２】
前記ヘッドＣＧ高さが０．１５インチ未満であり、
前記ヘッドＣＧ深さが１．２インチよりも大きい、請求項２１に記載のゴルフクラブヘッド。
【請求項２３】
０．０２インチ未満の厚みを有する前記本体上の１つまたは複数の薄い領域をさらに備える、請求項２１に記載のゴルフクラブヘッド。
【請求項２４】
１２時の放射線、３時の放射線、４時の放射線、５時の放射線、８時の放射線、および９時の放射線を少なくとも含むクロックグリッドと、
前記クラブヘッドの前記ソールおよび前記バックエンドに向けて配置されており、ウエイト周囲及び取り外し可能なウエイトを有するウエイト構造と、をさらに備えており、
前記１２時の放射線が前記打撃面の前記幾何学的中心に位置合わせされており、前クロックグリッドの中心が前記１２時の放射線に沿って前クラブヘッドの前フロントエンドと前バックエンドとの間の中点にあり、
前記３時の放射線が前記クラブヘッドの前記ヒールに向けて延びており、
前記９時の放射線が前記クラブヘッドの前記トウに向けて延びている、請求項２１に記載のゴルフクラブヘッド。
【請求項２５】
前記ウエイト構造が、前記ソールの外部輪郭から突出している、請求項２４に記載のゴルフクラブヘッド。
【請求項２６】
前記ウエイト構造は、前記クロックグリッドの前記５時の放射線と前記８時の放射線の間に位置するウエイト中心を有する取り外し可能なウエイトを有している、請求項２４に記載のゴルフクラブヘッド。
【請求項２７】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、を備えており、
前記クラブヘッドのロフト角が、１２度と３５度の間であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記打撃面の前記幾何学的中心を通り、前記ホーゼル軸に平行であり、前記ロフト平面から前記ロフト角の位置で伸びている面に垂直な方向に向けて風速９８ｍｐｈの風を受けたときに、前記クラブヘッドは抗力ＦＤを経験し、
前記クラブヘッドは、クラウン−ソール慣性モーメントＩｘｘ、ヒール−トウ慣性モーメントＩｙｙ、およびクラウン−ソール慣性モーメントとヒール−トウ慣性モーメントの合計として測定される合成慣性モーメントＩｘｘ＋Ｉｙｙを有しており、
前記クラブヘッドは、関係Ａを満たすとともに、関係Ｂと関係Ｃのうちの１つまたは複数を満たす、ゴルフクラブヘッド。
関係Ｄ  ：  （ＦＤ＋０．３）／（０．０００２（Ｉｘｘ＋Ｉｙｙ））＜１
関係Ｅ  ：  ＦＤ＜１．０ｌｂｆ
関係Ｆ  ：  Ｉｘｘ＋Ｉｙｙ＞５０００ｇ・ｃｍ２
【請求項２８】
前記クラブヘッドが関係Ｄをさらに満たす、請求項２７に記載のゴルフクラブヘッド。
関係Ｅ  ：  （ＦＤ＋０．４）／（０．０００２（Ｉｘｘ＋Ｉｙｙ））＜１
【請求項２９】
前記ヘッドＣＧ深さが１．０インチよりも大きく、
前記ヘッドＣＧ高さが０．２０インチ未満である、請求項２７に記載のゴルフクラブヘッド。
【請求項３０】
０．０２インチ未満の厚みを有する前記本体上の１つまたは複数の薄い領域をさらに備える、請求項２７に記載のゴルフクラブヘッド。
【請求項３１】
１２時の放射線、３時の放射線、４時の放射線、５時の放射線、８時の放射線、および９時の放射線を少なくとも含むクロックグリッドと、
前記クラブヘッドの前記ソールおよび前記バックエンドに向けて配置されており、ウエイト周囲及び取り外し可能なウエイトを有するウエイト構造と、をさらに備えており、
前記１２時の放射線が前記打撃面の前記幾何学的中心に位置合わせされており、前クロックグリッドの中心が前記１２時の放射線に沿って前クラブヘッドの前フロントエンドと前バックエンドとの間の中点にあり、
前記３時の放射線が前記クラブヘッドの前記ヒールに向けて延びており、
前記９時の放射線が前記クラブヘッドの前記トウに向けて延びている、請求項２７に記載のゴルフクラブヘッド。
【請求項３２】
前記ウエイト構造が、前記ソールの外部輪郭から突出している、請求項３１に記載のゴルフクラブヘッド。
【請求項３３】
前記ウエイト構造は、前記クロックグリッドの前記５時の放射線と前記８時の放射線の間に位置するウエイト中心を有する取り外し可能なウエイトを有している、請求項３１に記載のゴルフクラブヘッド。
【請求項３４】
中空体のゴルフクラブヘッドであって、
フロントエンド、前記フロントエンドの反対側のバックエンド、クラウン、前記クラウンの反対側のソール、ヒール、前記ヒールの反対側のトウ、前記クラウンと前記ソールに隣接するスカート、および穴の中心を通って伸びるホーゼル軸を有するホーゼル構造、を有する本体と、
前記フロントエンドに位置するとともに幾何学的中心を画定する打撃面であって、ロフト平面が前記幾何学的中心に接しており、ヘッド深さ平面が前記ヒールから前記トウに向けて前記幾何学的中心を通るとともに前記ロフト平面に垂直である、打撃面と、を備えており、
前記クラブヘッドのロフト角が、１２度と３５度の間であり、
前記クラブヘッドのヘッド重心が、前記ロフト平面に垂直な方向において測定された前記ロフト平面からのヘッドＣＧ深さに、および前記ヘッド深さ平面に垂直な方向において測定された前記ヘッド深さ平面からのヘッドＣＧ高さに、位置しており、
前記打撃面の前記幾何学的中心を通り、前記ホーゼル軸に平行であり、前記ロフト平面から前記ロフト角の位置で伸びている面に垂直な方向に向けて風速９８ｍｐｈの風を受けたときに、前記クラブヘッドは抗力ＦＤを経験し、
前記クラブヘッドは、クラウン−ソール慣性モーメントＩｘｘ、ヒール−トウ慣性モーメントＩｙｙ、およびクラウン−ソール慣性モーメントとヒール−トウ慣性モーメントの合計として測定される合成慣性モーメントＩｘｘ＋Ｉｙｙを有しており、
前記クラブヘッドは、関係Ａを満たすとともに、関係Ｂと関係Ｃのうちの１つまたは複数を満たす、ゴルフクラブヘッド。
関係Ｄ  ：  （ＦＤ＋１．６５）／（２（ヘッドＣＧ深さ））＜１
関係Ｅ  ：  ＦＤ＜１．０ｌｂｆ
関係Ｆ  ：  ヘッドＣＧ深さ＞１．０インチ
【請求項３５】
前記クラブヘッドが関係Ｄをさらに満たす、請求項３４に記載のゴルフクラブヘッド。
関係Ｅ  ：  （ＦＤ＋１．８）／（２（ヘッドＣＧ深さ））＜１
【請求項３６】
前記合成慣性モーメントが、５０００ｇ・ｃｍ２よりも大きい、請求項３４に記載のゴルフクラブヘッド。
【請求項３７】
０．０２インチ未満の厚みを有する前記本体上の１つまたは複数の薄い領域をさらに備える、請求項３４に記載のゴルフクラブヘッド。
【請求項３８】
１２時の放射線、３時の放射線、４時の放射線、５時の放射線、８時の放射線、および９時の放射線を少なくとも含むクロックグリッドと、
前記クラブヘッドの前記ソールおよび前記バックエンドに向けて配置されており、ウエイト周囲及び取り外し可能なウエイトを有するウエイト構造と、をさらに備えており、
前記１２時の放射線が前記打撃面の前記幾何学的中心に位置合わせされており、前クロックグリッドの中心が前記１２時の放射線に沿って前クラブヘッドの前フロントエンドと前バックエンドとの間の中点にあり、
前記３時の放射線が前記クラブヘッドの前記ヒールに向けて延びており、
前記９時の放射線が前記クラブヘッドの前記トウに向けて延びている、請求項３４に記載のゴルフクラブヘッド。
【請求項３９】
前記ウエイト構造が、前記ソールの外部輪郭から突出している、請求項３８に記載のゴルフクラブヘッド。
【請求項４０】
前記ウエイト構造は、前記クロックグリッドの前記５時の放射線と前記８時の放射線の間に位置するウエイト中心を有する取り外し可能なウエイトを有している、請求項３８に記載のゴルフクラブヘッド。
【発明の詳細な説明】
【技術分野】
【０００１】
関連出願への相互参照
本出願は、２０１７年３月１０日に出願された米国特許仮出願第６２／４６９，９１１号、２０１７年１月２３日に出願された米国特許仮出願第６２／４４９，４０３号、２０１６年１１月１８日に出願された米国仮特許出願第６２／４２３，８７８号に対する優先権を主張し、また、２０１７年８月１８日に出願された米国特許出願第１５／６８０，４０４号に対する優先権を主張する。これらの全ての内容は、その全体が組み込まれている。
【０００２】
本開示はゴルフクラブに関する。より詳細には、本開示は、バランスの取れたインパクト性能とスイング性能を有するクラブヘッドに関する。
【背景技術】
【０００３】
容量、重心位置および慣性モーメントなどの様々なゴルフクラブヘッド設計パラメータは、インパクト性能特性（例えば、スピン、打ち出し角度、速度、許容度）およびスイング性能特性（例えば、空気抵抗、インパクト時にクラブヘッドをスクエアにする能力）に影響を及ぼす。多くの場合、インパクト性能特性を改善するクラブヘッド設計は、スイング性能特性（例えば、空気抵抗）に悪影響を及ぼす可能性があり、あるいは、スイング性能特性を改善するクラブヘッド設計は、インパクト性能特性に悪影響を及ぼす可能性がある。したがって、当技術分野では、改善されたスイング特性に対してバランスが取れた改善されたインパクト性能特性を有するクラブヘッドが必要とされている。
【図面の簡単な説明】
【０００４】
【図１】一実施形態によるゴルフクラブヘッドの正面図である。
【０００５】
【図２】図１のゴルフクラブヘッドのＩＩ−ＩＩ線に沿った側断面図である。
【０００６】
【図３】図１のゴルフクラブヘッドの底面図である。
【０００７】
【図４】図１のゴルフクラブヘッドの側断面図である。
【０００８】
【図５】図１のゴルフクラブヘッドの拡大側断面図である。
【０００９】
【図６】図１のゴルフクラブヘッドの拡大側断面図である。
【００１０】
【図７】図１のゴルフクラブヘッドの平面図である。
【００１１】
【図８】図１のゴルフクラブヘッドの背面図である。
【００１２】
【図９】図１のゴルフクラブヘッドの側断面図である。
【００１３】
【図１０Ａ】様々な既知のゴルフクラブヘッドについての抗力とｘ軸周りの慣性モーメントとの間の関係を示す。
【００１４】
【図１０Ｂ】様々な既知のゴルフクラブヘッドについての抗力とｙ軸周りの慣性モーメントとの間の関係を示す。
【００１５】
【図１０Ｃ】様々な既知のゴルフクラブヘッドについての抗力と合成慣性モーメントとの間の関係を示す。
【００１６】
【図１１Ａ】既知のゴルフクラブヘッドと比較した、本明細書に記載のゴルフクラブヘッドの抗力と合成慣性モーメントとの間の関係を示す。
【００１７】
【図１１Ｂ】既知のゴルフクラブヘッドと比較した、本明細書に記載のゴルフクラブヘッドの抗力と合成慣性モーメントとの関係を示す図である。
【００１８】
【図１１Ｃ】既知のゴルフクラブヘッドと比較した、本明細書に記載のゴルフクラブヘッドの抗力と合成慣性モーメントとの間の関係を示す。
【００１９】
【図１２】様々な既知のゴルフクラブヘッドについての抗力とクラブヘッド重心深さとの間の関係を示す。
【００２０】
【図１３Ａ】既知のゴルフクラブヘッドと比較した、本明細書に記載のゴルフクラブヘッドの抗力とクラブヘッド重心深さとの関係を示す。
【００２１】
【図１３Ｂ】既知のゴルフクラブヘッドと比較した、本明細書に記載のゴルフクラブヘッドの抗力とクラブヘッド重心深さとの関係を示す。
【００２２】
【図１３Ｃ】既知のゴルフクラブヘッドと比較した、本明細書に記載のゴルフクラブヘッドの抗力とクラブヘッド重心深さとの関係を示す。
【００２３】
【図１４】既知のゴルフクラブヘッドと比較した、本明細書に記載のゴルフクラブヘッドの合成慣性モーメントとクラブヘッド重心深さとの間の関係を示す。
【００２４】
【図１５】別の実施形態によるゴルフクラブヘッドの正面図である。
【００２５】
【図１６】図１５のゴルフクラブヘッドのＩＩ−ＩＩ線に沿った側断面図である。
【００２６】
【図１７】図１５のゴルフクラブヘッドの底面図である。
【００２７】
【図１８】図１５のゴルフクラブヘッドの側断面図である。
【００２８】
【図１９】図１５のゴルフクラブヘッドの拡大側断面図である。
【００２９】
【図２０】図１５のゴルフクラブヘッドの拡大側断面図である。
【００３０】
【図２１】図１５のゴルフクラブヘッドの上面図である。
【００３１】
【図２２】図１５のゴルフクラブヘッドの背面図である。
【００３２】
【図２３Ａ】様々な既知のゴルフクラブヘッドについての抗力とｘ軸周りの慣性モーメントとの間の関係を示す。
【００３３】
【図２３Ｂ】様々な既知のゴルフクラブヘッドについての抗力とｙ軸周りの慣性モーメントとの間の関係を示す。
【００３４】
【図２３Ｃ】様々な既知のゴルフクラブヘッドについての抗力と合成慣性モーメントとの間の関係を示す。
【００３５】
【図２４Ａ】既知のゴルフクラブヘッドと比較した、本明細書に記載のゴルフクラブヘッドの抗力と合成慣性モーメントとの間の関係を示す。
【００３６】
【図２４Ｂ】既知のゴルフクラブヘッドと比較した、本明細書に記載のゴルフクラブヘッドの抗力と合成慣性モーメントとの間の関係を示す。
【００３７】
【図２５】様々な既知のゴルフクラブヘッドについての抗力とクラブヘッド重心深さとの間の関係を示す。
【００３８】
【図２６Ａ】既知のゴルフクラブヘッドと比較した、本明細書に記載のゴルフクラブヘッドの抗力とクラブヘッド重心深さとの関係を示す図である。
【００３９】
【図２６Ｂ】既知のゴルフクラブヘッドと比較した、本明細書に記載のゴルフクラブヘッドの抗力とクラブヘッド重心深さとの関係を示す図である。
【００４０】
【図２７】既知のゴルフクラブヘッドと比較した、本明細書に記載のゴルフクラブヘッドの合成慣性モーメントとクラブヘッド重心深さとの関係を示す図である。
【００４１】
本開示の他の態様は、詳細な説明および添付の図面を考慮することによって明らかになるであろう。
【００４２】
説明を簡単かつ明瞭にするために、図面は一般的な構成方法を示しており、本開示を不必要に曖昧にすることを避けるために周知の特徴および技術の説明および詳細は省略されることがある。さらに、図面中の要素は必ずしも一定の縮尺で描かれていない。例えば、図中の要素のいくつかの寸法は、本開示の実施形態の理解を向上させるのを助けるために他の要素に対して誇張されている場合がある。異なる図中の同じ参照番号は同じ要素を示す。
【発明を実施するための形態】
【００４３】
以下に説明するゴルフクラブは、同時に空気抵抗を維持または低減させながら、低く後方のＣＧ位置でクラブヘッドの慣性モーメントを増加または最大化するいくつかの関係を使用する。具体的には、本明細書に記載のゴルフクラブは、指定されたように低く後方のＣＧを有する。ゴルフクラブはさらに、高いクラウン−ソール慣性モーメント（Ｉｘｘ）およびヒール−トウ慣性モーメント（Ｉｙｙ）を有する。低く後方のＣＧと慣性モーメントの増大は、ヘッドＣＧからの最大距離を有するゴルフクラブヘッドの裁量のウエイトの増加または裁量のウエイト領域の再配置によって達成される。クラウンを薄くしたり最適化された素材を使用したりすると、裁量の重み付けが増加する。取り外し可能なウエイト、急なクラウン角度、または埋め込みウエイトを使用すると、裁量のウエイトを取り外してＣＧからの最大距離に配置することができる。
【００４４】
本明細書に記載のゴルフクラブヘッドはまた、同様のＣＧ位置および慣性モーメントを有するゴルフクラブヘッドに対して低い空気抵抗を有する。低く後方のＣＧ位置を維持しながら、クラウンの高さを最大にすることで空力抵抗が低下する。打撃面からクラウン、打撃面からソールへ、および／またはゴルフクラブヘッドのバックエンドに沿ったクラウンからソールへの遷移プロファイルは、空力抵抗を減少させる手段を提供する。タービュレータの使用とホーゼルウエイトの戦略的配置により、空力抵抗がさらに減少する。
【００４５】
以下に説明するゴルフクラブは、同時に空気抵抗を維持または低減させながら、低く後方のＣＧ位置でクラブヘッドの慣性モーメントを増加または最大化するいくつかの関係を使用する。ＣＧ、慣性モーメントおよび抵抗のこれら関係をバランスさせることにより、インパクト性能特性（例えば、スピン、打ち出し角度、ボールスピード、および許容度）およびスイング性能特性（例えば、空気抵抗、インパクト時のクラブヘッドをスクエアにする能力、スイング速度）が改善される。このバランスは、ドライバータイプクラブヘッド、フェアウェイウッドタイプクラブヘッド、およびハイブリッドタイプクラブヘッドに適用可能である。
【００４６】
もしあれば、本明細書および特許請求の範囲における用語「第１」、「第２」、「第３」、「第４」等は、類似要素を区別するために使用され、必ずしも特定の連続した順序または古い順を記述するためのものではない。そのように使用された用語は、本明細書に記載される実施形態が例えば、例示されているかまたは別様に本明細書に記載されているもの以外の順序で操作可能であるように、適切な状況において置き換え可能であると理解すべきである。さらに、用語「含む」および「有する」ならびにこれらの任意の活用形は、要素のリストを含むプロセス、方法、システム、物品、デバイス、もしくは装置が必ずしもそれらの要素に限定されていないが、明示的に列挙されていないか、またはかかるプロセス、方法、システム、物品、デバイス、もしくは装置に固有ではない他の要素を含んでもよいように、非排他的包含を網羅することが意図される。
【００４７】
もしあれば、本明細書および特許請求の範囲における用語「左」、「右」、「前」、「後」、「上」、「下」、「の上」、「の下」等は、説明目的で使用され、必ずしも永久的な相対位置を記述するためのものではない。そのように使用された用語は、本明細書に記載される製造装置、製造方法、および／または製造物品の実施形態が、例えば、例示されているかまたは別様に本明細書に記載されているもの以外の配向で操作可能であるように、適切な状況において置き換え可能であると理解すべきである。
【００４８】
本開示の任意の実施形態が詳細に説明される前に、本開示は、その適用において、以下の説明に記載されるかまたは以下の図面に示される構造の詳細および構成要素の配置に限定されないことを理解されたい。本開示は他の実施形態に適用可能であり、様々な方法で実施または実行することができる。
【００４９】
図１〜図３は、本体１０２と打球面１０４とを有するゴルフクラブヘッド１００を示す。クラブヘッド１００の本体１０２は、フロントエンド１０８、フロントエンド１０８の反対側のバックエンド１１０、クラウン１１６、クラウン１１６の反対側のソール１１８、ヒール１２０、およびヒール１２０の反対側のトウ１２２を含む。本体１０２はさらに、クラウン１１６とソール１１８との間にそれらに隣接するスカートまたは後縁部１２８を含み、スカートはクラブヘッド１００のヒール１２０の近くからトウ１２２の近くまで延びている。
【００５０】
多くの実施形態では、クラブヘッド１００は中空体クラブヘッドである。これらの実施形態では、本体および打撃面はゴルフクラブヘッド１００の内部空洞を画定することができる。いくつかの実施形態では、本体１０２は、クラブヘッド１００のクラウン１１６、ソール１１８、ヒール１２０、トウ１２２、バックエンド１１０、およびフロントエンド１０８の周囲にわたって延在することができる。これらの実施形態では、本体１０２はクラブヘッド１００のフロントエンド１０８に開口部を画定し、打撃面１０４は開口部内に配置されてクラブヘッド１００を形成する。その他の実施形態では、打撃面１０４は、クラブヘッドのフロントエンド１０８全体にわたって延在することができ、クラウン１１６、ソール１１８、ヒール１２０、およびトウ１２２のうちの少なくとも１つにわたって延在する戻り部分を含むことができる。これらの実施形態では、打撃面１０４の戻り部分は本体１０２に結合されてクラブヘッド１００を形成する。
【００５１】
クラブヘッド１００の打撃面１０４は、第１の材料を含む。多くの実施形態では、第１の材料は、チタン合金、スチール合金、アルミニウム合金、または他の任意の金属もしくは金属合金などの金属合金である。他の実施形態では、第１の材料は、複合材料、プラスチック、または任意の他の適切な材料もしくは材料の組み合わせなどの任意の他の材料を含むことができる。
【００５２】
クラブヘッド１００の本体１０２は、第２の材料を含む。多くの実施形態では、第２の材料は、チタン合金、スチール合金、アルミニウム合金、または他の任意の金属もしくは金属合金などの金属合金である。他の実施形態では、第２の材料は、複合材料、プラスチック、または任意の他の適切な材料もしくは材料の組み合わせなどの任意の他の材料を含むことができる。
【００５３】
第１および第２の材料は、材料の密度（ρ）に対する降伏応力（σｙ）の比（下記の関係１を参照）として測定される強度対重量比または比強度、および、材料の弾性率（Ｅ）に対する降伏応力（σｙ）の比（下記の関係２を参照）として測定される強度対弾性率比または比可撓性を含む。
【数１】
2019535416.tif 000003
【数２】
2019535416.tif 000004
【００５４】
図１に示すように、クラブヘッド１００はさらに、ホーゼル構造１３０と、ホーゼル構造１３０のボアに沿って中心に延びるホーゼル軸１３２と、を含む。この例では、クラブヘッド１００のホーゼル結合機構は、ホーゼル構造１３０とホーゼルスリーブ１３４を含み、ホーゼルスリーブ１３４はゴルフシャフト１３６の端部に結合することができる。ホーゼルスリーブ１３４は、ホーゼル構造１３０と複数の構成で結合することができ、それによってゴルフシャフト１３６をホーゼル軸１３２に対して複数の角度でホーゼル構造１３０に固定することができる。しかしながら、シャフト１３６をホーゼル構造１３０に調整不能に固定することができる他の例があり得る。
【００５５】
クラブヘッド１００の打撃面１０４は、幾何学的中心１４０を画定する。いくつかの実施形態では、幾何学的中心１４０は、打撃面周囲１４２の幾何学的中心点、およびフェース高さ１４４の中点に配置することができる。同じまたは他の例では、幾何学的中心１４０はまた、打撃面上の溝１５０の領域によって画定することができる設計された衝撃ゾーン１４８に関して中心に置くことができる。別のアプローチとして、打撃面の幾何学的中心は、米国ゴルフ協会（ＵＳＧＡ）などのゴルフ運営団体の定義に基づいて配置することができる。例えば、打撃面の幾何学的中心は、ＵＳＧＡのゴルフクラブヘッドの可撓性を測定する手順（ＵＳＧＡ−ＴＰＸ３００４、Ｒｅｖ．１．０．０，２００８年５月１日）（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ  Ｃｌｕｂ−Ｈｅａｄ／）（「可撓性の手順」）のセクション６．１に従って決定することができる。
【００５６】
クラブヘッド１００はさらに、打球面１０４の幾何学的中心１４０に接するロフト面１０１０を画定する。フェース高さ１４４は、ロフト面１０１０に対して平行にクラウン１１６の近くの打撃面周囲１４２の上端とソール１１８の近くの打撃面周囲１４２の下端との間で測定することができる。これらの実施形態では、打撃面周囲１４２は、曲面が打撃面１０４の膨らみおよび／または起伏から逸脱するところで、打撃面１０４の外縁に沿って位置することができる。
【００５７】
打撃面１０４の幾何学的中心１４０はさらに、打撃面１０４の幾何学的中心１４０を原点とする座標系を規定し、この座標系はＸ’軸１０５２、Ｙ’軸１０６２、およびＺ’軸１０７２を有する。Ｘ’軸１０５２は、クラブヘッド１００のヒール１２０からトウ１２２への方向に打撃面１０４の幾何学的中心１４０を通って延びる。Ｙ’軸１０６２は、クラブヘッド１００のクラウン１１６からソール１１８への方向に打撃面１０４の幾何学的中心１４０を通って延びており、Ｘ’軸１０５２に対して垂直である。Ｚ’軸１０７２は、クラブヘッド１００のフロントエンド１０８からバックエンド１１０に向かう方向に幾何学的中心１４０を通って延びており、Ｘ’軸１０５２およびＹ’軸１０６２に垂直である。
【００５８】
座標系は、Ｘ’軸１０５２およびＹ’軸１０６２を通って延びるＸ’Ｙ’平面、Ｘ’軸１０５２およびＺ’軸１０７２を通って延びるＸ’Ｚ’平面、Ｙ’軸１０６２およびＺ’軸１０７２を通って延びるＹ’Ｚ’平面を画定する。ここで、Ｘ’Ｙ’平面、Ｘ’Ｚ’平面、およびＹ’Ｚ’平面はすべて互いに垂直であり、打撃面１０４の幾何学的中心１４０に位置する座標系の原点で交差する。Ｘ’Ｙ’平面は、ホーゼル軸１３２と平行に延びており、ロフト平面１０１０からのクラブヘッド１００のロフト角に対応する角度で配置されている。さらに、Ｘ’軸１０５２は、Ｘ’Ｙ’平面に垂直な方向から見たときにホーゼル軸１３２に対して６０度の角度で配置されている。
【００５９】
これらまたは他の実施形態では、打撃面１０４をＸ’Ｙ’平面に垂直な方向から見たときに、クラブヘッド１００を正面図（図１）から見ることができる。さらに、これらまたは他の実施形態では、ヒール１２０をＹ’Ｚ’平面に垂直な方向から見たときに、クラブヘッド１００を側面図または側断面図（図２）から見ることができる。
【００６０】
クラブヘッド１００、３００は、深さ１６０、３６０、長さ１６２、３６２、および高さ１６４、３６４を画定する。図３に示すように、クラブヘッドの深さ１６０、３６０は、Ｚ’軸１０７２に平行な方向において、フロントエンド１０８、３０８からバックエンド１１０、３１０までのクラブヘッド１００、３００の最も遠い範囲として測定することができる。
【００６１】
クラブヘッド１００の長さ１６２は、正面図（図１）から見たときに、Ｘ’軸１０５２に平行な方向において、ヒール１２０からトウ１２２までのクラブヘッド１００の最も遠い範囲として測定することができる。多くの実施形態では、クラブヘッド１００の長さ１６２は、米国ゴルフ協会（ＵＳＧＡ）などのゴルフ運営団体の定義に基づいて測定することができる。例えば、クラブヘッド１００の長さ１６２は、ウッドクラブのクラブヘッドサイズを測定するためのＵＳＧＡの手順（ＵＳＧＡ−ＴＰＸ３００３、Ｒｅｖ．１．０．０，２００３年１１月２１日）（ｈｔｔｐｓ：／／ｗｗｗ．ｕｓｇａ．ｏｒｇ／ｃｏｎｔｅｎｔ／ｄａｍ／ｕｓｇａ／ｐｄｆ／Ｅｑｕｉｐｍｅｎｔ／ＴＰＸ３００３−ｐｒｏｃｅｄｕｒｅ−ｆｏｒ−ｍｅａｓｕｒｉｎｇ−ｔｈｅ−ｃｌｕｂ−ｈｅａｄ−ｓｉｚｅ−ｏｆ−ｗｏｏｄ−ｃｌｕｂｓ．ｐｄｆ）（「ウッドクラブのクラブヘッドサイズの測定手順」）に従って決定することができる。
【００６２】
クラブヘッド１００の高さ１６４は、正面図（図１）から見たときに、Ｙ’軸１０６２に平行な方向において、クラウン１１６からソール１１８までのクラブヘッド１００の最も遠い範囲として測定することができる。多くの実施形態では、クラブヘッド１００の高さ１６４は、米国ゴルフ協会（ＵＳＧＡ）などのゴルフ運営団体の定義に基づいて測定することができる。例えば、クラブヘッド１００の高さ１６４は、ウッドクラブのクラブヘッドサイズを測定するためのＵＳＧＡの手順（ＵＳＧＡ−ＴＰＸ３００３、Ｒｅｖ．１．０．０，２００３年１１月２１日）（ｈｔｔｐｓ：／／ｗｗｗ．ｕｓｇａ．ｏｒｇ／ｃｏｎｔｅｎｔ／ｄａｍ／ｕｓｇａ／ｐｄｆ／Ｅｑｕｉｐｍｅｎｔ／ＴＰＸ３００３−ｐｒｏｃｅｄｕｒｅ−ｆｏｒ−ｍｅａｓｕｒｉｎｇ−ｔｈｅ−ｃｌｕｂ−ｈｅａｄ−ｓｉｚｅ−ｏｆ−ｗｏｏｄ−ｃｌｕｂｓ．ｐｄｆ）（「ウッドクラブのクラブヘッドサイズの測定手順」）に従って決定することができる。
【００６３】
図１および図２に示すように、クラブヘッド１００はさらに、ヘッド重心（ＣＧ）１７０とヘッド深さ平面１０４０を含んでおり、ヘッド深さ平面１０４０は、クラブヘッド１００のヒール１２０からトウ１２２への方向において打撃面１０４の幾何学的中心１４０を通るとともにロフト平面１０１０に垂直に延びている。多くの実施形態では、ヘッドＣＧ１７０は、Ｘ’Ｙ’平面に垂直な方向で測定した、Ｘ’Ｙ’平面からのヘッドＣＧ深さに配置される。いくつかの実施形態では、ヘッドＣＧ１７０は、ロフト平面に垂直な方向で測定したときに、ロフト平面１０１０からのヘッドＣＧ深さ１７２に配置することができる。ヘッドＣＧ１７０はさらに、ヘッド深さ平面１０４０から垂直な方向に測定した、ヘッド深さ平面１０４０からのヘッドＣＧ高さ１７４に配置されている。さらに、ヘッドＣＧ高さ１７４は、クラウン１１６またはソール１１８に向かうヘッド深さ平面１０４０に垂直な方向におけるヘッド深さ平面１０４０からのオフセット距離として測定される。多くの実施形態では、ヘッドＣＧがヘッド深さ平面１０４０の上方（すなわち、ヘッド深さ平面１０４０とクラウン１１６との間）にあるとき、ヘッドＣＧ高さ１７４は正であり、ヘッドＣＧがヘッド深さ面１０４０の下（すなわち、ヘッド深さ面１０４０とソール１１８との間）にあるとき、ヘッドＣＧ高さ１７４は負である。いくつかの実施形態では、ヘッドＣＧ高さ１７４の絶対値は、ヘッド深さ平面１０４０の上または下（すなわち、ヘッド深さ平面１０４０とクラウン１１６との間、またはヘッド深さ平面１０４０とソール１１８との間）に位置するヘッドＣＧを表すことができる。多くの実施形態では、ヘッドＣＧ１７０は、後述するように、容量およびロフト角などの様々なクラブヘッドパラメータに基づいてクラブヘッド１００のソール１１８およびバックエンド１１０に向かって戦略的に配置される。さらに、多くの実施形態において、ヘッドＣＧ１７０は、低減された空気抵抗と組み合わせて、クラブヘッド１００のソール１１８およびバックエンド１１０に向かって戦略的に配置される。
【００６４】
ヘッドＣＧ１７０は、ｘ軸１０５０、ｙ軸１０６０、およびｚ軸１０７０を有する座標系の原点を規定する。ｙ軸１０６０は、クラウン１１６からソール１１８までヘッドＣＧ１７０を通って延びており、側面図から見たときにホーゼル軸１３２に対して平行であり、正面から見たときにホーゼル軸１３２から３０度の角度である。ｘ軸１０５０は、ヘッドＣＧ１７０を通ってヒール１２０からトウ１２２まで延びており、正面図から見たときにｙ軸１０６０に対して垂直であり、Ｘ’Ｙ’平面に平行である。ｚ軸１０７０は、ヘッドＣＧ１７０を通ってフロントエンド１０８からバックエンド１１０まで延びており、ｘ軸１０５０およびｙ軸に対して垂直である。多くの実施形態では、ｘ軸１０５０は、ヘッドＣＧ１７０を通ってヒール１２０からトウ１２２まで延びるとともにＸ’軸１０５２に平行であり、ｙ軸１０６０は、ヘッドＣＧ１７０を通ってクラウン１１６からソール１１８まで延びるとともにＹ’軸１０６２に平行であり、ｚ軸１０７０は、ヘッドＣＧ１７０を通ってフロントエンド１０８からバックエンド１１０まで延びるとともにＺ’軸１０７２に平行である。
【００６５】
クラブヘッド１００はさらに、ｘ軸周りの慣性モーメントＩｘｘ（すなわち、クラウン−ソール慣性モーメント）、およびｙ軸周りの慣性モーメントＩｙｙ（すなわち、ヒール−トウ慣性モーメント）を含む。多くの実施形態では、クラウン−ソール慣性モーメントＩｘｘおよびヒール−トウ慣性モーメントＩｙｙは、以下でさらに詳細に説明するように、容量およびロフト角などの様々なクラブヘッドパラメータに基づいて増加または最大化される。さらに、多くの実施形態では、クラウン−ソール慣性モーメントＩｘｘおよびヒール−トウ慣性モーメントＩｙｙは、減少した空気抵抗と組み合わせて増加または最大化される。
【００６６】
様々なロフト角および容量を有するクラブヘッドの様々な実施形態が以下に説明される。他の実施形態は、本明細書に記載のロフト角および容量とは異なるロフト角または容量を有するクラブヘッドを含むことができる。
Ｉ．大容量ドライバータイプクラブヘッド
【００６７】
一例によれば、ゴルフクラブヘッド３００は、大容量および低ロフト角を含む。多くの実施形態では、ゴルフクラブヘッド３００はドライバータイプのクラブヘッドを含む。他の実施形態では、ゴルフクラブヘッド３００は、本明細書に記載されているようなロフト角および容量を有する任意の種類のゴルフクラブヘッドを含むことができる。多くの実施形態では、クラブヘッド３００は、クラブヘッド１００と同じまたは類似のパラメータを含み、パラメータは、クラブヘッド１００の参照番号に２００を加えた番号で記載されている。
【００６８】
多くの実施形態では、クラブヘッド３００のロフト角は、約１６度未満、約１５度未満、約１４度未満、約１３度未満、約１２度未満、約１１度未満、または約１０度未満である。さらに、多くの実施形態では、クラブヘッド３００の容量は、約４００ｃｃよりも大きい、約４２５ｃｃよりも大きい、約４５０ｃｃよりも大きい、約４７５ｃｃよりも大きい、約５００ｃｃよりも大きい、約５２５ｃｃよりも大きい、約５５０ｃｃよりも大きい、約５７５ｃｃよりも大きい、約６００ｃｃよりも大きい、約６２５ｃｃよりも大きい、約６５０ｃｃより大きい、約６７５ｃｃより大きい、または約７００ｃｃより大きい。いくつかの実施形態では、クラブヘッドの容量は、約４００ｃｃ〜６００ｃｃ、４４５ｃｃ〜４８５ｃｃ、４２５ｃｃ〜５００ｃｃ、約５００ｃｃ〜６５０ｃｃ、約５５０ｃｃ〜７００ｃｃ、約６００ｃｃ〜６５０ｃｃ、約６００ｃｃ〜７００ｃｃ、または約６００ｃｃ〜８００ｃｃであり得る。
【００６９】
多くの実施形態では、クラブヘッド３００の長さ３６２は、４．８５インチよりも大きい。他の実施形態では、クラブヘッド３００の長さ３６２は、４．５インチよりも大きい、４．６インチよりも大きい、４．７インチよりも大きい、４．８インチよりも大きい、４．９インチよりも大きい、または５．０インチよりも大きい。例えば、いくつかの実施形態では、クラブヘッド３００の長さ３６２は、４．６〜５．０インチ、４．７〜５．０インチ、４．８〜５．０インチ、４．８５〜５．０インチ、または４．９〜５．０インチの間であり得る。
【００７０】
多くの実施形態では、クラブヘッド３００の深さ３６０は、クラブヘッド３００の長さ３６２よりも少なくとも０．７０インチ小さい。多くの実施形態では、クラブヘッド３００の深さ３６０は、４．７５インチよりも大きい。他の実施形態では、クラブヘッド３００の深さ３６０は、４．５インチよりも大きい、４．６インチよりも大きい、４．７インチよりも大きい、４．８インチよりも大きい、４．９インチよりも大きい、または５．０インチよりも大きい。例えば、いくつかの実施形態では、クラブヘッド３００の深さ３６０は、４．６〜５．０インチ、４．７〜５．０インチ、４．７５〜５．０インチ、４．８〜５．０インチ、または４．９〜５．０インチの間であり得る。
【００７１】
多くの実施形態では、クラブヘッド３００の高さ３６４は、約２．８インチ未満である。他の実施形態では、クラブヘッド３００の高さ３６４は、３．０インチ未満、２．９インチ未満、２．８インチ未満、２．７インチ未満、または２．６インチ未満である。例えば、いくつかの実施形態では、クラブヘッド３００の高さ３６４は、２．０〜２．８インチ、２．２〜２．８インチ、２．５〜２．８インチ、または２．５〜３．０インチの間であり得る。さらに、多くの実施形態では、クラブヘッド３００のフェース高さ３４４は、約１．３インチ（３３ｍｍ）〜約２．８インチ（７１ｍｍ）とすることができる。さらになお、多くの実施形態において、クラブヘッド３００は、１８５グラム〜２２５グラムの間の質量を含み得る。
【００７２】
クラブヘッド３００は、ヘッドＣＧ位置、クラブヘッドの慣性モーメント、および空気抵抗などの様々な追加のパラメータのバランスをさらに含み、改善されたインパクト性能特性（例えば、スピン、打ち出し角度、速度、許容度）およびスイング性能特性（例：空力抵抗、インパクト時にクラブヘッドをスクエアにする能力）の両方をもたらす。多くの実施形態において、以下に記載されるパラメータのバランスは、スイング性能特性を維持または改善しながら改善されたインパクト性能を提供する。さらに、多くの実施形態において、以下に記載されるパラメータのバランスは、インパクト性能特性を維持または改善しながら、改良されたスイング性能特性を提供する。
Ａ．重心位置と慣性モーメント
【００７３】
多くの実施形態では、ヘッドＣＧからの距離が最大となるクラブヘッドの領域において、裁量のウエイトを増加させ、裁量のウエイトを再配置することによって、低く後方のクラブヘッドＣＧおよび高い慣性モーメントを達成することができる。ヘッドＣＧ位置に関して上述したように、クラウンを薄くすること、および／または最適化された材料を使用することによって、裁量のウエイトを増加させることを達成することができる。ヘッドＣＧからの距離を最大にするための裁量のウエイトの再配置は、ヘッドＣＧの位置に関して上述したように、取り外し可能なウエイト、埋め込まれたウエイト、または急なクラウン角度を使用して達成することができる。
【００７４】
多くの実施形態では、クラブヘッド３００は、約３０００ｇ・ｃｍ２よりも大きい、約３２５０ｇ・ｃｍ２よりも大きい、約３５００ｇ・ｃｍ２よりも大きい、約３７５０ｇ・ｃｍ２よりも大きい、約４０００ｇ・ｃｍ２よりも大きい、約４２５０ｇ・ｃｍ２よりも大きい、約４５００ｇ・ｃｍ２よりも大きい、約４７５０ｇ・ｃｍ２よりも大きい、約５０００ｇ・ｃｍ２よりも大きい、約５２５０ｇ・ｃｍ２よりも大きい、約５５００ｇ・ｃｍ２よりも大きい、約５７５０ｇ・ｃｍ２よりも大きい、約６０００ｇ・ｃｍ２よりも大きい、約６２５０ｇ・ｃｍ２よりも大きい、約６５００ｇ・ｃｍ２よりも大きい、約６７５０ｇ・ｃｍ２よりも大きい、または約７０００ｇ・ｃｍ２よりも大きい、クラウン−ソール慣性モーメントＩｘｘを含む。
【００７５】
多くの実施形態では、クラブヘッド３００は、約５０００ｇ・ｃｍ２よりも大きい、約５２５０ｇ・ｃｍ２よりも大きい、約５５００ｇ・ｃｍ２よりも大きい、約５７５０ｇ・ｃｍ２よりも大きい、約６０００ｇ・ｃｍ２よりも大きい、約６２５０ｇ・ｃｍ２よりも大きい、約６５００ｇ・ｃｍ２よりも大きい、約６７５０ｇ・ｃｍ２よりも大きい、または約７０００ｇ・ｃｍ２よりも大きい、ヒール−トウ慣性モーメントIｙｙを含む。
【００７６】
多くの実施形態では、クラブヘッド３００は、８０００ｇ・ｃｍ２よりも大きい、８５００ｇ・ｃｍ２よりも大きい、８７５０ｇ・ｃｍ２よりも大きい、９０００ｇ・ｃｍ２よりも大きい、９２５０ｇ・ｃｍ２よりも大きい、９５００ｇ・ｃｍ２よりも大きい、９７５０ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、１１０００ｇ・ｃｍ２よりも大きい、１１２５０ｇ・ｃｍ２よりも大きい、１１５００ｇ・ｃｍ２よりも大きい、１１７５０ｇ・ｃｍ２よりも大きい、１２０００ｇ・ｃｍ２よりも大きい、１２５００ｇ・ｃｍ２よりも大きい、１３０００ｇ・ｃｍ２よりも大きい、１３５００ｇ・ｃｍ２よりも大きい、または１４０００ｇ・ｃｍ２よりも大きい、合成慣性モーメント（すなわち、クラウン−ソール慣性モーメントＩｘｘとヒール−トウ慣性モーメントＩｙｙとの合計）を含む。
【００７７】
多くの実施形態では、クラブヘッド３００は、約０．２０インチ未満、約０．１５インチ未満、約０．１０インチ未満、約０．０９インチ未満、約０．０８インチ未満、約０．０７インチ未満、約０．０６インチ未満、または約０．０５インチ未満のヘッドＣＧ高さ３７４を有する。さらに、多くの実施形態において、クラブヘッド３００は、約０．２０インチ未満、約０．１５インチ未満、約０．１０インチ未満、約０．０９インチ未満、約０．０８インチ未満、約０．０７インチ未満、約０．０６インチ未満、または約０．０５インチ未満の絶対値を有するヘッドＣＧ高さ３７４を含む。
【００７８】
多くの実施形態では、クラブヘッド３００は、約１．２インチより大きい、約１．３インチより大きい、約１．４インチより大きい、約１．５インチより大きい、約１．６インチより大きい、約１．７インチより大きい、約１．８インチよりも大きい、約１．９インチよりも大きい、または約２．０インチよりも大きい、ヘッドＣＧ深さ３７２を含む。
【００７９】
いくつかの実施形態では、クラブヘッド３００は、０．５６以下の第１性能特性を含むことができ、ここで、第１性能特性は、（ａ）７２ｍｍとフェース高さ３４４との間の差、および（ｂ）ヘッドＣＧ深さ３７２、の間の比として定義される。これらの実施形態または他の実施形態では、クラブヘッド３００は、４２５ｃｃ以上の第２性能特性を含むことができ、ここで、第２性能特性は、（ａ）クラブヘッド３００の容量、および（ｂ）ヘッドＣＧ深さ３７２とヘッドＣＧ高さ３７４の絶対値との間の比、の合計として定義される。いくつかの実施形態において、第２性能特性は、４５０ｃｃ以上、４７５ｃｃ以上、４９０ｃｃ以上、４９５ｃｃ以上、５００ｃｃ以上、５０５ｃｃ以上、又は５１０ｃｃ以上であり得る。
【００８０】
減少したヘッドＣＧ高さ３７４を有するクラブヘッド３００は、より高いヘッドＣＧ高さを有する同様のクラブヘッドと比較して、インパクト時のゴルフボールのバックスピンを減少させることができる。多くの実施形態では、バックスピンを減少させると、クラブヘッドの性能を向上させるために、ボール速度と飛行距離の両方を増加させることができる。さらに、ヘッドＣＧ深さ３７２を増大させたクラブヘッド３００は、打球面により近いヘッドＣＧの深さを有する同様のクラブヘッドと比較して、ヒール−トウ慣性モーメントを増大させることができる。ヒール−トウ慣性モーメントを大きくすると、クラブヘッドの性能を向上させるためのインパクト時のクラブヘッドの許容度を高めることができる。さらにまた、ヘッドＣＧ深さ１７２が増大したクラブヘッド３００は、打球面により近いヘッドＣＧの深さを有する同様のクラブヘッドと比較して、打球時のクラブヘッドの動的ロフトを増大させることによって、インパクト時のゴルフボールの打ち出し角度を増大させることができる。
【００８１】
ヘッドＣＧ高さ３７４および／またはヘッドＣＧ深さ３７２は、様々な領域でクラブヘッドの重量を減らし、それによって裁量のウエイトを増やし、ヘッドＣＧをより低くより後方にシフトするためにクラブヘッドの戦略的な領域で裁量のウエイトを変えることによって達成できる。クラブヘッドの重量を減少させて再配置するための様々な手段が以下に説明される。
ｉ．薄い領域
【００８２】
いくつかの実施形態では、ヘッドＣＧ高さ３７４および／またはヘッドＣＧ深さ３７２は、クラブヘッド３００の様々な領域を薄くして余分なウエイトを取り除くことによって達成することができる。余分なウエイトを除去すると、所望の低く後方のクラブヘッドＣＧ位置を達成するためにクラブヘッド３００の領域に戦略的に再配置することができる増加した裁量のウエイトがもたらされる。
【００８３】
多くの実施形態では、クラブヘッド３００は、１つまたは複数の薄い領域３７６を有することができる。１つまたは複数の薄い領域３７６は、打撃面３０４、本体３０２、または打撃面３０４と本体３０２の組み合わせ上に配置することができる（図７を参照）。さらに、１つまたは複数の薄い領域３７６は、クラウン３１６、ソール３１８、ヒール３２０、トウ３２２、フロントエンド３０８、バックエンド３１０、スカート３２８または記載された位置の任意の組み合わせを含む本体３０２の任意の領域に配置することができる。例えば、いくつかの実施形態では、１つまたは複数の薄い領域３７６は、クラウン３１６上に配置することができる。さらなる例では、１つまたは複数の薄い領域３７６は、打撃面３０４とクラウン３０６の組み合わせ上に配置することができる。さらなる例では、１つまたは複数の薄い領域３７６は、打撃面３０４、クラウン３１６、およびソール３１８の組み合わせ上に配置することができる。さらなる例では、本体３０２全体および／または打撃面３０４全体が薄い領域３７６を含むことができる。
【００８４】
１つまたは複数の薄い領域３７６が打撃面３０４上に配置される実施形態では、打撃面３０４の厚さは、最大打撃面厚さおよび最小打撃面厚さを変化し得る。これらの実施形態では、最小打撃面厚さは、０．１０インチ未満、０．０９インチ未満、０．０８インチ未満、０．０７インチ未満、０．０６インチ未満、０．０５インチ未満、０．０４インチ未満、または０．０３インチ未満であり得る。これらまたは他の実施形態では、最大打撃面厚さは、０．２０インチ未満、０．１９インチ未満、０．１８インチ未満、０．１７インチ未満、０．１６インチ未満、０．１５インチ未満、０．１４インチ未満、０．１３インチ未満０．１２インチ未満、０．１１インチ未満、または０．１０インチ未満であり得る。
【００８５】
１つまたは複数の薄い領域３７６が本体３０２上に配置されている実施形態では、薄い領域は約０．０２０インチ未満の厚さを含むことができる。他の実施形態では、薄い領域は、０．０２５インチ未満、０．０２０インチ未満、０．０１９インチ未満、０．０１８インチ未満、０．０１７インチ未満、０．０１６インチ未満、０．０１５インチ未満、０．０１４インチ未満、０．０１３インチ未満、０．０１２インチ未満、または０．０１０インチ未満の厚さを含む。例えば、薄い領域は、約０．０１０〜０．０２５インチ、約０．０１３〜０．０２０インチ、約０．０１４〜０．０２０インチ、約０．０１５〜０．０２０インチ、約０．０１６〜０．０２０インチ、約０．０１７〜０．０２０インチ、または約０．０１８〜０．０２０インチの厚さを含むことができる。
【００８６】
図示の実施形態では、薄い領域３７６は形状および位置が異なり、クラブヘッド３００の表面積の約２５％を覆っている。他の実施形態では、薄い領域は、クラブヘッド９００の表面積の約２０〜３０％、約１５〜３５％、約１５〜２５％、約１０〜２５％、約１５〜３０％、または約２０〜５０％を覆うことができる。さらに、他の実施形態では、薄い領域は、クラブヘッド３００の表面積の最大５％、最大１０％、最大１５％、最大２０％、最大２５％、最大３０％、最大３５％、最大４０％、最大４５％、または最大５０％までをカバーすることができる。
【００８７】
多くの実施形態では、クラウン３１６は、クラウン３１６の表面積の約５１％が薄い領域３７６を含むように、１つまたは複数の薄い領域３７６を含むことができる。他の実施形態では、クラウン３１６は、クラウン３１６の最大２０％、最大２５％、最大３０％、最大３５％、最大４０％、最大４５％、最大４５％、最大５０％、最大５５％、最大６０％、最大６５％、最大７０％、最大７５％、最大８０％、最大８５％、または最大９０％が薄い領域３７６を含むように、１つまたは複数の薄い領域３７６を含むことができる。例えば、いくつかの実施形態では、クラウン３１６の約４０〜６０％が薄い領域３７６を含むことができる。さらなる例では、他の実施形態では、クラウン３１６の約５０〜１００％、約４０〜８０％、約３５〜６５％、約３０〜７０％、または約２５〜７５％が薄い領域３７６を含むことができる。いくつかの実施形態では、クラウン３１６は１つまたは複数の薄い領域３７６を含むことができ、１つまたは複数の薄い領域３７６のそれぞれは勾配をつけて薄くなっている。この例示的な一実施形態では、クラウン３１６の１つまたは複数の薄い領域３７６は、ヒール−トウ方向に延び、１つまたは複数の薄い領域３７６のそれぞれは、打撃面３０４からバックエンド３１０に向かう方向に厚さが減少している。
【００８８】
多くの実施形態では、ソール３１８の表面積の約６４％が薄い領域３７６を含むように、ソール３１８は１つまたは複数の薄い領域３７６を含むことができる。他の実施形態では、ソール３１８は、ソール３１８の最大２０％、最大２５％、最大３０％、最大３５％、最大４０％、最大４５％、最大４５％、最大５０％、最大５５％、最大６０％、最大６５％、最大７０％、最大７５％、最大８０％、最大８５％、または最大９０％が薄い領域３７６を含むように、１つまたは複数の薄い領域３７６を含むことができる。例えば、いくつかの実施形態では、ソール３１８の約４０〜６０％が薄い領域３７６を含むことができる。さらなる例では、他の実施形態では、ソール３１８の約５０〜１００％、約４０〜８０％、約３５〜６５％、または約３０〜７０％、または約２５〜７５％が薄い領域３７６を含むことができる。
【００８９】
薄い領域３７６は、円形、三角形、正方形、長方形、卵形、または少なくとも１つの曲面を有する任意の他の多角形もしくは形状などの任意の形状を含むことができる。さらに、１つまたは複数の薄い領域３７６は、残りの薄い領域と同じ形状、または異なる形状を含むことができる。
【００９０】
多くの実施形態では、薄い領域を有するクラブヘッド１００は遠心鋳造を用いて製造することができる。これらの実施形態では、遠心鋳造は、クラブヘッド３００が従来の鋳造を使用して製造されたクラブヘッドよりも薄い壁を有することを可能にする。他の実施形態では、薄い領域を有するクラブヘッド３００の部分は、打ち抜き加工、鍛造加工、または機械加工などの他の適切な方法を使用して製造することができる。薄い領域を有するクラブヘッド３００の部分が打ち抜き加工、鍛造加工、または機械加工を使用して製造される実施形態では、クラブヘッド３００の部分は、エポキシ、テープ、溶接、機械的締結具、または他の適切な方法を使用して結合され得る。
ｉｉ．最適化された材料
【００９１】
いくつかの実施形態では、打撃面３０４および／または本体３０２は、増加した比強度および／または増加した比可撓性を有する最適化された材料を含み得る。比可撓性は、最適化された材料の弾性率に対する降伏強度の比として測定される。比強度および／または比可撓性を増大させると、耐久性を維持しながらクラブヘッドの一部を薄くすることができる。
【００９２】
いくつかの実施形態では、打撃面３０４の第１の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第１の材料は、約９００，０００ＰＳＩ／ｌｂ／ｉｎ３（２２４ＭＰａ／ｇ／ｃｍ３）以上、約９１０，０００ＰＳＩ／ｌｂ／ｉｎ３（２２７ＭＰａ／ｇ／ｃｍ３）以上、約９２０，０００ＰＳＩ／ｌｂ／ｉｎ３（２２９ＭＰａ／ｇ／ｃｍ３）以上、約９３０，０００ＰＳＩ／ｌｂ／ｉｎ３（２３２ＭＰａ／ｇ／ｃｍ３）以上、約９４０，０００ＰＳＩ／ｌｂ／ｉｎ３（２３４ＭＰａ／ｇ／ｃｍ３）以上、約９５０，０００ＰＳＩ／ｌｂ／ｉｎ３（２３７ＭＰａ／ｇ／ｃｍ３）以上、約９６０，０００ＰＳＩ／ｌｂ／ｉｎ３（２３９ＭＰａ／ｇ／ｃｍ３）以上、約９７０，０００ＰＳＩ／ｌｂ／ｉｎ３（２４２ＭＰａ／ｇ／ｃｍ３）以上、約９８０，０００ＰＳＩ／ｌｂ／ｉｎ３（２４４ＭＰａ／ｇ／ｃｍ３）以上、約９９０，０００ＰＳＩ／ｌｂ／ｉｎ３（２４７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、または約１，１５０，０００ＰＳＩ／ｌｂ／ｉｎ３（２８６ＭＰａ／ｇ／ｃｍ３）以上の比強度を有することができる。
【００９３】
さらに、これらまたは他の実施形態では、最適化チタン合金を含む第１の材料は、約０．００７５以上、約０．００８０以上、約０．００８５以上、約０．００９０以上、約０．００９１以上、約０．００９２以上、約０．００９３以上、約０．００９４以上、約０．００９５以上、約０．００９６以上、約０．００９７以上、約０．００９８以上、約０．００９９以上、約０．０１００以上、約０．０１０５以上、約０．０１１０以上、約０．０１１５以上、または約０．０１２０以上の比可撓性を有することができる。
【００９４】
これらまたは他の実施形態では、最適化スチール合金を含む第１の材料は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）以上、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）以上、約８１０，０００ＰＳＩ／ｌｂ／ｉｎ３（２０２ＭＰａ／ｇ／ｃｍ３）以上、約８２０，０００ＰＳＩ／ｌｂ／ｉｎ３（２０４ＭＰａ／ｇ／ｃｍ３）以上、約８３０，０００ＰＳＩ／ｌｂ／ｉｎ３（２０７ＭＰａ／ｇ／ｃｍ３）以上、約８４０，０００ＰＳＩ／ｌｂ／ｉｎ３（２０９ＭＰａ／ｇ／ｃｍ３）以上、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、約１，１１５，０００ＰＳＩ／ｌｂ／ｉｎ３（２７８ＭＰａ／ｇ／ｃｍ３）以上、または約１，１２０，０００ＰＳＩ／ｌｂ／ｉｎ３（２７９ＭＰａ／ｇ／ｃｍ３）以上の比強度を有することができる。
【００９５】
さらに、これらまたは他の実施形態では、最適化スチール合金を含む第１の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【００９６】
これらの実施形態では、最適化された第１の材料の増加した比強度および／または増加した比可撓性は、耐久性を維持しながら、上述のように打撃面３０４またはその一部を薄くすることを可能にする。打撃面３０４を薄くすることにより、打撃面のウエイトを減らすことができ、それによってクラブヘッド３００の他の領域に戦略的に配置される裁量のウエイトが増加し、これにより、ヘッドＣＧが低く後方に配置され、および／またはクラブヘッドの慣性モーメントが大きくなる。
【００９７】
いくつかの実施形態では、本体３０２の第２の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第２の材料は、約７３０，５００ＰＳＩ／ｌｂ／ｉｎ３（１８２ＭＰａ／ｇ／ｃｍ３）以上の比強度を有することができる。例えば、最適化チタン合金の比強度は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上。または約１，１００，０００ＰＳＩ／ｌｂ／ｉｎ３（２７２ＭＰａ／ｇ／ｃｍ３）以上であり得る。
【００９８】
さらに、これらまたは他の実施形態では、最適化チタン合金を含む第２の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、または約０．０１２０以上の比可撓性を有することができる。
【００９９】
これらまたは他の実施形態では、最適化スチールを含む第２の材料は、約５００，０００ＰＳＩ／ｌｂ／ｉｎ３（１２５ＭＰａ／ｇ／ｃｍ３）以上、約５１０，０００ＰＳＩ／ｌｂ／ｉｎ３（１２７ＭＰａ／ｇ／ｃｍ３）以上、約５２０，０００ＰＳＩ／ｌｂ／ｉｎ３（１３０ＭＰａ／ｇ／ｃｍ３）以上、約５３０，０００ＰＳＩ／ｌｂ／ｉｎ３（１３２ＭＰａ／ｇ／ｃｍ３）以上、約５４０，０００ＰＳＩ／ｌｂ／ｉｎ３（１３５ＭＰａ／ｇ／ｃｍ３）以上、約５５０，０００ＰＳＩ／ｌｂ／ｉｎ３（１３７ＭＰａ／ｇ／ｃｍ３）以上、約５６０，０００ＰＳＩ／ｌｂ／ｉｎ３（１３９ＭＰａ／ｇ／ｃｍ３）以上、約５７０，０００ＰＳＩ／ｌｂ／ｉｎ３（１４２ＭＰａ／ｇ／ｃｍ３）以上、約５８０，０００ＰＳＩ／ｌｂ／ｉｎ３（１４４ＭＰａ／ｇ／ｃｍ３）以上、約５９０，０００ＰＳＩ／ｌｂ／ｉｎ３（１４７ＭＰａ／ｇ／ｃｍ３）以上、約６００，０００ＰＳＩ／ｌｂ／ｉｎ３（１４９ＭＰａ／ｇ／ｃｍ３）以上、約６２５，０００ＰＳＩ／ｌｂ／ｉｎ３（１５６ＭＰａ／ｇ／ｃｍ３）以上、約６７５，０００ＰＳＩ／ｌｂ／ｉｎ３（１６８ＭＰａ／ｇ／ｃｍ３）以上、約７２５，０００ＰＳＩ／ｌｂ／ｉｎ３（１８１ＭＰａ／ｇ／ｃｍ３）以上、約７７５，０００ＰＳＩ／ｌｂ／ｉｎ３（１９３ＭＰａ／ｇ／ｃｍ３）以上、約８２５，０００ＰＳＩ／ｌｂ／ｉｎ３（２０５ＭＰａ／ｇ／ｃｍ３）以上、約８７５，０００ＰＳＩ／ｌｂ／ｉｎ３（２１８ＭＰａ／ｇ／ｃｍ３）以上、約９２５，０００ＰＳＩ／ｌｂ／ｉｎ３（２３０ＭＰａ／ｇ／ｃｍ３）以上、約９７５，０００ＰＳＩ／ｌｂ／ｉｎ３（２４３ＭＰａ／ｇ／ｃｍ３）以上、約１，０２５，０００ＰＳＩ／ｌｂ／ｉｎ３（２５５ＭＰａ／ｇ／ｃｍ３）以上、約１，０７５ＰＳＩ／ｌｂ／ｉｎ３（２６８ＭＰａ／ｇ／ｃｍ３）、または約１，１２５，０００ＰＳＩ／ｌｂ／ｉｎ３（２８０ＭＰａ／ｇ／ｃｍ３）以上の比強度を有することができる。
【０１００】
さらに、これらまたは他の実施形態では、最適化スチールを含む第２の材料は、約０．００６０以上、約０．００６２以上、約０．００６４以上、約０．００６６以上、約０．００６８以上、約０．００７０以上、約０．００７２以上、約０．００７６以上、約０．００８０以上、約０．００８４以上、約０．００８８以上、約０．００９２以上、約０．００９６以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０１０１】
これらの実施形態では、最適化された第２の材料の増加した比強度および／または増加した比可撓性は、耐久性を維持しながら、本体３０２またはその一部を薄くすることを可能にする。本体を薄くすると、クラブヘッドのウエイトを減らすことができ、それによってクラブヘッド３００の他の領域に戦略的に配置する裁量のウエイトが増加し、これにより、ヘッドＣＧが低く後方に配置され、および／またはクラブヘッドの慣性モーメントが大きくなる。
ｉｉｉ．取り外し可能なウエイト
【０１０２】
いくつかの実施形態では、クラブヘッド３００は、１つまたは複数の取り外し可能なウエイト３８２を含む１つまたは複数のウエイト構造３８０を含むことができる。１つ以上のウエイト構造３８０および／または１つ以上の取り外し可能なウエイト３８２は、ソール３１８およびバックエンド３１０に向かって配置することができ、それによって裁量のウエイトをソール３１８およびクラブヘッドのバックエンド３１０の近くに位置決めすることができ、低く後方のヘッドＣＧ位置が達成される。多くの実施形態では、１つまたは複数のウエイト構造３８０は、１つまたは複数の取り外し可能なウエイト３８２を取り外し可能に受け入れる。これらの実施形態では、１つまたは複数の取り外し可能なウエイト３８２を、ねじ付きファスナー、接着剤、磁石、スナップフィット、または１つまたは複数の取り外し可能なウエイトを１つまたは複数のウエイト構造に固定可能な他の任意の機構などの任意の適切な方法を使用して１つまたは複数のウエイト構造３８０に結合することができる。
【０１０３】
ウエイト構造３８０および／または取り外し可能なウエイト３８２は、上面図または底面図（図３）から見たときに打撃面３０４に対して整列させることができるクロックグリッド２０００に対して配置することができる。クロックグリッドは、少なくとも１２時の放射線、３時の放射線、４時の放射線、５時の放射線、６時の放射線、７時の放射線、８時の放射線、および９時の放射線を含む。例えば、クロックグリッド２０００は、打撃面３０４の幾何学的中心３４０と位置合わせされた１２時の放射線２０１２を含む。１２時の放射線２０１２は、Ｘ’Ｙ’平面に直交する。クロックグリッド２０００の中心は、１２時の放射線２０１２に沿ってクラブヘッド３００のフロントエンド３０８とバックエンド３１０との間の中点に配置することができる。同じまたは他の例では、底面図（図３）から見たときに、クロックグリッド中心点２０１０をゴルフクラブヘッド３００の幾何学的中心点に近接して中心に置くことができる。クロックグリッド２０００はまた、ヒール３２０に向かって延びる３時の放射線２００３と、クラブヘッド３００のトウ３２２に向かって延びる９時の放射線２００９とを含む。
【０１０４】
ウエイト構造３８０のウエイト周囲３８４は、本実施形態ではバックエンド３１０に向かって配置され、クロックグリッド２０００の４時の放射線２００４と８時の放射線２００８との間に少なくとも部分的に境界が定められており、一方で、ウエイト構造３８０内に配置された取り外し可能なウエイト３８２は、５時の放射線２００５と７時の放射線２００７との間に配置されている。本例のような例では、ウエイト周囲３８４は、４時の放射線２００４と８時の放射線２００８との間に完全に囲まれている。この例では、ウエイト周囲３８４はクラブヘッド３００の外部に画定されているが、ウエイト周囲３８４がクラブヘッド３００の内部に延びる、またはクラブヘッド３００内に画定され得る他の例があり得る。いくつかの例では、ウエイト構造３８０の位置は、より広い領域に対して確立することができる。例えば、そのような例では、ウエイト構造３８０のウエイト周囲３８４は、クロックグリッド２０００の４時の放射線２００４と９時の放射線２００９との間に少なくとも部分的に境界を定められたバックエンド３１０に向かって配置されることができ、一方で、ウエイト中心３８６は、５時の放射線２００５と８時の放射線２００８との間に位置し得る。
【０１０５】
この例では、ウエイト構造３８０は、ソール３１８の外部輪郭から突き出ており、したがって、ヘッドＣＧ３７０のより大きな調整を可能にするために少なくとも部分的に外部にある。いくつかの例では、ウエイト構造３８０は、約２グラム〜約５０グラムの質量、および／または約１ｃｃ〜約３０ｃｃの容量を含むことができる。他の例では、ウエイト構造３８０は、本体３０２の外部輪郭と同一平面上に留まることができる。
【０１０６】
多くの実施形態では、取り外し可能なウエイト３８２は、約０．５グラム〜約３０グラムの質量を含むことができ、ヘッドＣＧ３７０の位置を調整するために１つまたは複数の他の同様の取り外し可能なウエイトと置き換えることができる。同じまたは他の例では、ウエイト中心３８６は、取り外し可能なウエイト３８２の重心、および／または取り外し可能なウエイトの幾何学的中心３８２のうちの少なくとも１つを含むことができる。
ｉｖ．埋め込みウエイト
【０１０７】
いくつかの実施形態では、クラブヘッド３００は、裁量のウエイトをソール３１８上、スカート３２８内、および／またはクラブヘッド３００のバックエンド３１０の近くに配置して低く後方のヘッドＣＧ位置を達成するために、１つまたは複数の埋め込みウエイト３８３を含むことができる。多くの実施形態では、１つまたは複数の埋め込みウエイト３８３は、クラブヘッド３００にまたはクラブヘッド３００内に恒久的に固定されている。これらの実施形態では、埋め込みウエイト３８３は、「埋め込み高密度鋳造」と題された米国仮特許出願第６２／３７２，８７０号に記載されている高密度金属片（ＨＤＭＰ）と同様であり得る。
【０１０８】
多くの実施形態では、１つまたは複数の埋め込みウエイト３８３は、クラブヘッド３００のバックエンド３１０の近くに配置されている。例えば、埋め込みウエイト３８３のウエイト中心３８７は、クロックグリッド２０００の５時の放射線２００５と７時の放射線２００７の間、または５時の放射線２００５と８時の放射線２００８の間に位置することができる。多くの実施形態において、１つまたは複数の埋め込みウエイト３８３は、スカート３２８上でクラブヘッド３００のバックエンド３１０付近、ソール３１８上でクラブヘッド３００のバックエンド３１０付近、またはスカート３２８上およびソール３１８上でクラブヘッド３００のバックエンド３１０付近に配置することができる。
【０１０９】
多くの実施形態では、１つまたは複数の埋め込みウエイト３８３のウエイト中心３８７は、上面図または底面図（図３）から見たとき、クラブヘッド３００の周囲の０．１０インチ以内、０．２０インチ以内、０．３０インチ以内、０．４０インチ以内、０．５０インチ以内、０．６０インチ以内、０．７０インチ以内、０．８０インチ以内、０．９０インチ以内、１．０インチ以内、１．１インチ以内、１．２インチ以内、１．３インチ以内、１．４インチ以内、または１．５インチ以内に配置される。これらの実施形態では、埋め込みウエイト３８３がクラブヘッド３００の周囲に近接していることにより、低く後方のヘッドＣＧ位置、クラウン−ソール慣性モーメントＩｘｘ、および／またはヒール−トウ慣性モーメントＩｙｙを最大化することができる。
【０１１０】
多くの実施形態では、１つ以上の埋め込みウエイト３８３のウエイト中心３８７は、ヘッドＣＧ３７０から１．６インチよりも大きい、１．７インチよりも大きい、１．８インチよりも大きい、１．９インチよりも大きい、２．０インチよりも大きい、２．１インチよりも大きい、２．２インチよりも大きい、２．３インチよりも大きい、２．４インチよりも大きい、２．５インチよりも大きい、２．６インチよりも大きい、２．７インチよりも大きい、２．８インチよりも大きい、２．９インチよりも大きい、または３．０インチよりも大きい距離に配置される。
【０１１１】
多くの実施形態では、１つまたは複数の埋め込みウエイト３８３のウエイト中心３８７は、打撃面３０４の幾何学的中心３４０から４．０インチよりも大きい、４．１インチよりも大きい、４．２インチよりも大きい、４．３インチよりも大きい、４．４インチよりも大きい、４．５インチよりも大きい、４．６インチよりも大きい、４．７インチよりも大きい、４．８インチよりも大きい、４．９インチよりも大きい、または５．０インチよりも大きい距離に配置される。
【０１１２】
多くの実施形態で、１つ以上の埋め込みウエイト３８３は、３．０〜５０グラムの質量を含み得る。例えば、いくつかの実施形態では、１つまたは複数の埋め込みウエイト３８３は、３．０〜２５グラム、１０〜３０グラム、２０〜４０グラム、または３０〜５０グラムの質量を含むことができる。１つまたは複数の埋め込みウエイト３８３が２つ以上のウエイトを含む実施形態では、埋め込みウエイトのそれぞれは同じまたは異なる質量を含むことができる。
【０１１３】
多くの実施形態では、１つまたは複数の埋め込みウエイト３８３は、１０．０から２２．０の間の比重を有する材料を含むことができる。例えば、多くの実施形態では、１つまたは複数の埋め込みウエイト３８３は、１０．０より大きい、１１．０より大きい、１２．０より大きい、１３．０より大きい、１４．０より大きい、１５．０より大きい、１６．０より大きい、１６．０より大きい、１７．０より大きい、１８．０より大きい、または１９．０より大きい比重を有する材料を含むことができる。１つまたは複数の埋め込みウエイト３８３が２つ以上のウエイトを含む実施形態では、埋め込みウエイトのそれぞれは同じまたは異なる材料を含むことができる。
ｖ．急なクラウン角度
【０１１４】
図４〜図６を参照すると、いくつかの実施形態では、ゴルフクラブヘッド３００は、ヘッドＣＧの低く後方の位置を達成するために急なクラウン角度３８８をさらに含むことができる。急なクラウン角度３８８は、クラウン３１６のバックエンドをソール３１８または地面に向かって位置決めし、それによってクラブヘッドＣＧ位置を下げる。
【０１１５】
クラウン角度３８８は、クラウン軸１０９０と前面１０２０との間の鋭角として測定される。これらの実施形態では、クラウン軸１０９０は、接地面１０３０および前面１０２０に垂直に配置された平面に沿って見たクラブヘッドの断面内に位置している。クラウン軸１０９０は、上部遷移境界および後部遷移境界を参照してさらに説明することができる。
【０１１６】
クラブヘッド３００は、フロントエンド３０８とクラウン３１６との間にヒール３２０の近くからトウ３２２の近くまで延びる上部遷移境界を含む。上部遷移境界は、クラブヘッド３００がアドレス位置にあるときに前面１０２０に垂直で接地面１０３０に垂直な平面に沿って取られた側断面図から見たときのクラウン遷移プロファイル３９０を含む。側断面図は、ヒール３２０の近くからトウ３２２の近くまでのクラブヘッド３００の任意の点において取ることができる。クラウン遷移プロファイル３９０は、クラブヘッド３００のフロントエンド３０８からクラウン遷移点３９４まで延びるフロント曲率半径３９２を規定しており、ここで、クラブヘッド３００のフロントエンド３０８は輪郭が打撃面３０４の起伏範囲および／または膨らみ範囲から外れる部分であり、クラウン遷移点３９４はフロント曲率半径３９２からクラウン３１６の曲率への曲率の変化を示している。いくつかの実施形態では、フロント曲率半径３９２は、クラウン３１６付近の打撃面周囲３４２の上端３９３からクラウン遷移点３９４まで延びる単一の曲率半径を含み、ここで、クラウン３１６付近の打撃面周囲３４２の上端３９３は輪郭が打撃面３０４の起伏範囲および／または膨らみ範囲から外れる部分であり、クラウン遷移点３９４はフロント曲率半径３９２からクラウン３１６の１つ以上の異なる曲率への曲率の変化を示している。
【０１１７】
クラブヘッド３００はさらに、クラウン３１６とスカート３２８との間にヒール３２０の近くからトウ３２２の近くまで延びる後部遷移境界を含む。後部遷移境界は、クラブヘッド３００がアドレス位置にあるときに前面１０２０に垂直で接地面１０３０に垂直な平面に沿って取られた側断面図から見たときの後部遷移プロファイル３９６を含む。断面図は、ヒール３２０の近くからトウ３２２の近くまでのクラブヘッド３００の任意の点において取ることができる。後部遷移プロファイル３９６は、クラブヘッド３００のクラウン３１６からスカート３２８まで延びるバック曲率半径３９８を画定する。多くの実施形態では、バック曲率半径３９８は、クラウン３１６を後部遷移境界に沿ってクラブヘッド３００のスカート３２８に遷移させる単一の曲率半径を含む。第１の後部遷移点４０２は、クラウン３１６と後部遷移境界との間の接続部に位置している。第２の後部遷移点４０３は、クラブヘッド３００の後部遷移境界とスカート３２８との間の接続部に位置している。
【０１１８】
上部遷移境界のフロント曲率半径３９２は一定のままでもよいし、またはクラブヘッド３００のヒール３２０付近からトウ３２２付近まで変化してもよい。同様に、後部遷移境界のバック曲率半径３９８は、一定のままでもよいし、クラブヘッド３００のヒール３２０の近くからトウ３２２の近くまで変化してもよい。
【０１１９】
クラウン軸１０９０は、クラブヘッド３００のフロントエンド３０８付近のクラウン遷移点３９４とクラブヘッド３００のバックエンド３１０付近の後部遷移点４０２との間に延びる。クラウン角度３８８は一定のままでもよいし、クラブヘッド３００のヒール３２０の近くからトウ３２２の近くまで変化してもよい。例えば、クラウン角度３８８は、側断面図がヒール３２０およびトウ３２２に対して異なる位置で取られるときに変化し得る。
【０１２０】
図示の実施形態では、トウ３２２付近のクラウン角度３８８は約７２．２５度であり、ヒール３２０付近のクラウン角度３８８は約６４．５度であり、ゴルフクラブヘッドの中心付近のクラウン角度３８８は約６４．２度である。多くの実施形態では、トウ３２２の近くからヒール３２０の近くまでの任意の位置で取られる最大クラウン角度３８８は、７９度未満、約７８度未満、約７７度未満、約７６度未満、約７５度未満、約７４度未満、約７３度未満、約７２度未満、約７１度未満、約７０度未満、約６９度未満、または約６８度未満である。例えば、いくつかの実施形態では、最大クラウン角は、５０〜７９度、６０〜７９度、または７０〜７９度の間である。
【０１２１】
他の実施形態では、クラブヘッド３００のトウ３２２付近のクラウン角度３８８は、約７９度未満、約７８度未満、約７７度未満、約７６度未満、約７５度未満、約７４度未満、約７３度未満、約７２度未満、約７１度未満、約７０度未満、約６９度未満度、または約６８度未満であり得る。例えば、打撃面３０４の幾何学的中心３４０からトウ３２２に向かって約１．０インチに配置された側面断面図に沿って取られたクラウン角度３８８は、７９度未満、７８度未満、７７度未満、７６度度、７５度未満、７４度未満、７３度未満、７２度未満、７１度未満、７０度未満、６９度未満、または６８度未満であり得る。
【０１２２】
さらに、他の実施形態では、ヒール３２０付近のクラウン角度３８８は、約７０度未満、約６９度未満、約６８度未満、約６７度未満、約６６度未満、約６５度未満、約６４度未満、約６３度未満、約６２度未満、約６１度未満、約６０度未満、約５９度未満であり得る。例えば、打撃面３０４の幾何学的中心３４０からヒール３２０に向かって約１．０インチに配置された側面断面図に沿って取られたクラウン角度３８８は、約７０度未満、約６９度未満、約６８度未満、約６７度未満、約６６度未満、約６５度未満、約６４度未満、約６３度未満、約６２度未満、約６１度未満、約６０度未満、約５９度未満であり得る。
【０１２３】
さらに、他の実施形態では、クラブヘッド３００の中心付近のクラウン角度３８８は、７５度未満、７４度未満、７３度未満、７２度未満、７１度未満、約７０度未満、約６９度未満、約６８度未満、約６７度未満、約６６度未満、約６５度未満、約６４度未満、約６３度未満、約６２度未満、約６１度未満、約６０度未満、約５９度未満であり得る。例えば、打撃面３０４のほぼ幾何学的中心３４０に位置する側面断面図に沿って取られたクラウン角度３８８は、約７０度未満、約６９度未満、約６８度未満、約６７度未満、約６６度未満、約６５度未満、約６４度未満、約６３度未満、約６２度未満、約６１度未満、約６０度未満、約５９度未満であり得る。
【０１２４】
多くの実施形態において、現在のクラブヘッドと比較してクラウン角度３８８を減少させることは、より急なクラウンまたはクラブヘッド３００がアドレス位置にあるときに接地平面１０３０により近い位置に配置されたクラウンを生成する。したがって、クラウン角度３８８の減少は、より高いクラウン角度を有するクラブヘッドと比較して、より低いヘッドＣＧ位置をもたらし得る。
ｖｉ．ホーゼルスリーブウエイト
【０１２５】
いくつかの実施形態では、ヘッドＣＧ高さ１７４および／またはヘッドＣＧ深さ１７２は、ホーゼルスリーブ３３４の質量を減らすことによって達成することができる。ホーゼルスリーブ３３４から余分なウエイトを取り除くと、所望の低く後方のクラブヘッドＣＧ位置を達成するために、増加した裁量のウエイトを戦略的にクラブヘッド３００の領域に再配置することができる。
【０１２６】
ホーゼルスリーブ３３４の質量を減らすことは、スリーブ壁を薄くすること、ホーゼルスリーブ３３４の高さを減らすこと、ホーゼルスリーブ３３４の直径を減らすこと、および／またはホーゼルスリーブ３３４の壁に空隙を導入することによって達成できる。多くの実施形態において、ホーゼルスリーブ３３４の質量は、６グラム未満、５．５グラム未満、５．０グラム未満、４．５グラム未満、または４．０グラム未満であり得る。多くの実施形態では、質量が減少したホーゼルスリーブを有するクラブヘッド３００は、より重いホーゼルスリーブを有する同様のクラブヘッドよりも低く（ソールに近い）そしてより後方に（バックエンドに近い）クラブヘッドＣＧ位置をもたらす。
Ｂ．空気抵抗
【０１２７】
多くの実施形態では、クラブヘッド３００は、低減された空力抵抗とともに、クラブヘッドの低く後方のＣＧ位置と、クラブヘッドの慣性モーメントの増加と、の組み合わせを含む。
【０１２８】
多くの実施形態では、クラブヘッド３００は、スクエア面および時速１０２マイル（ｍｐｈ）の風速の風洞で試験したときに、約１．５ｌｂｆ未満、１．４ｌｂｆ未満、１．３ｌｂｆ未満、または１．２ｌｂｆ未満の空気抵抗力を経験する。これらまたは他の実施形態では、クラブヘッド３００は、スクエア面および時速１０２マイル（ｍｐｈ）の風速の計算流体力学による計算において、約１．５ｌｂｆ未満、１．４ｌｂｆ未満、１．３ｌｂｆ未満、または１．２ｌｂｆ未満の空気抵抗力を経験する。これらの実施形態では、スクエア面を有するクラブヘッド３００が経験する空気流は、Ｘ’Ｙ’平面に垂直な方向に打撃面３０４に向けられる。以下に記載されるように、空気抵抗力が低減されたクラブヘッド３００は、様々な手段を用いて達成することができる。
ｉ．クラウン角度高さ
【０１２９】
いくつかの実施形態では、クラウン角３８８を小さくしてより急なクラウンおよびより低いヘッドＣＧ位置を形成すると、スイング中のクラウン上での空気流の分離が増大するため、空力抵抗の望ましくない増大があり得る。クラウン角３８８の減少に伴う抗力の増大を防ぐために、最大クラウン高さ４０４を増大させることができる。図４に示すように、最大クラウン高さ４０４は、Ｙ’Ｚ’平面に平行な平面に沿ったクラブヘッド３００の任意の側断面図で見たクラウン３１６の表面とクラウン軸１０９０との間の最大距離である。多くの実施形態において、より大きな最大クラウン高さ４０４は、より大きな曲率を有するクラウン３１６をもたらす。クラウン３１６の曲率が大きいほど、スイング中の空気流の分離の位置がクラブヘッド３００の後方にさらに移動する。言い換えれば、より大きな曲率は、スイング中にクラウン３１６に沿ってより長い距離にわたって空気流がクラブヘッド３００に接触したままでいることを可能にする。クラウン３１６上で気流分離点を後方に移動させると、空力抵抗が減少し、クラブヘッドのスイング速度が増加し、それによってボールの速度と距離が増加する可能性がある。
【０１３０】
多くの実施形態において、最大クラウン高さ４０４は、約０．２０インチ（５ｍｍ）より大きく、約０．３０インチ（７．５ｍｍ）より大きく、約０．４０インチ（１０ｍｍ）より大きく、約０．５０インチ（１２．５ｍｍ）より大きく、約０．６０インチ（１５ｍｍ）より大きく、約０．７０インチ（１７．５ｍｍ）より大きく、約０．８０インチ（２０ｍｍ）より大きく、約０．９０インチ（２２．５ｍｍ）より大きく、または約１．０インチ（２５ｍｍ）より大きくあり得る。さらに、他の実施形態では、最大クラウン高さは、０．２０インチ（５ｍｍ）〜０．６０インチ（１５ｍｍ）、０．４０インチ（１０ｍｍ）〜０．８０インチ（２０ｍｍ）、または０．６０インチ（１５ｍｍ）〜１．０インチ（２５ｍｍ）の範囲内であり得る。例えば、いくつかの実施形態では、最大クラウン高さ４０４は、約０．５２インチ（１３．３ｍｍ）、約０．５４インチ（１３．８ｍｍ）、約０．５９インチ（１５ｍｍ）、約０．６５インチ（１６．５ｍｍ）、または約０．７９インチ（２０ｍｍ）であり得る。
ｉｉ．遷移プロファイル
【０１３１】
多くの実施形態では、打撃面３０４からクラウン３１６、打撃面３０４からソール３１８、および／またはクラブヘッド３００のバックエンド３１０に沿ったクラウン３１６からソール３１８の遷移プロファイルは、スイング中のクラブヘッド３００上の空力抵抗に影響を与える。
【０１３２】
いくつかの実施形態では、クラウン遷移プロファイル３９０を画定する上部遷移境界と、後部遷移プロファイル３９６を画定する後部遷移境界とを有するクラブヘッド３００は、ソール遷移プロファイル４１０を画定するソール遷移境界をさらに含む。ソール遷移境界は、フロントエンド３０８とソール３１８との間でヒール３２０の近くからトウ３２２の近くまで延びる。ソール遷移境界は、Ｙ’Ｚ’平面に平行な平面に沿って見た側断面図から見たときのソール遷移プロファイル４１０を含む。側面断面図は、ヒール３２０の近くからトウ３２２の近くまでのクラブヘッド３００の任意の点において取ることができる。ソール遷移プロファイル４１０は、クラブヘッド３００のフロントエンド３０８からソール遷移点４１４まで延びるソール曲率半径４１２を画定しており、ここで、クラブヘッド３００のフロントエンド３０８は輪郭が打撃面３０４の起伏範囲および／または膨らみ範囲から外れる部分であり、ソール遷移点４１４はソール曲率半径４１２からソール３１８の曲率への曲率の変化を示す。いくつかの実施形態では、ソール曲率半径４１２は、ソール３１８付近の打撃面周囲３４２の底端４１３からソール遷移点４１４まで伸びる単一の曲率半径を含み、ここで、ソール３１８付近の打撃面周囲３４２の底端４１３は輪郭が起伏範囲および／または膨らみ範囲から外れる部分であり、ソール遷移点４１４はソール曲率半径４１２からソール３１８の曲率への曲率の変化を示す。
【０１３３】
多くの実施形態では、クラウン遷移プロファイル３９０、ソール遷移プロファイル４１０、および後部遷移プロファイル３９６は、「空力抵抗を減少させるための遷移プロファイルを有するゴルフクラブヘッド」という名称の米国特許第１５／２３３，４８６号に記載されているクラウン遷移プロファイル、ソール遷移プロファイル、および後部遷移プロファイルと同様であり得る。さらに、フロント曲率半径３９２、ソール曲率半径４１２、およびバック曲率半径３９８は、「空力抵抗を減少させるための遷移プロファイルを有するゴルフクラブヘッド」という名称の米国特許第１５／２３３，４８６号に記載されている第１のクラウン側曲率半径、第１のソール側曲率半径、およびバック曲率半径と同様にすることができる。
【０１３４】
いくつかの実施形態では、フロント曲率半径３９２は、約０．１８〜０．３０インチ（０．４６〜０．７６ｃｍ）の範囲であり得る。さらに、他の実施形態では、フロント曲率半径３９２は、０．４０インチ（１．０２ｃｍ）未満、０．３７５インチ（０．９５ｃｍ）未満、０．３５インチ（０．８９ｃｍ）未満、０．３２５インチ（０．８３ｃｍ）未満、または０．３０インチ（０．７６ｃｍ）未満であり得る。例えば、フロント曲率半径３９２は、約０．１８インチ（０．４６ｃｍ）、０．２０インチ（０．５１ｃｍ）、０．２２インチ（０．６６ｃｍ）、０．２４インチ（０．６１ｃｍ）、０．２６インチ（０．６６ｃｍ）、０．２８インチ（０．７１ｃｍ）、または０．３０インチ（０．７６ｃｍ）であり得る。
【０１３５】
いくつかの実施形態では、ソール曲率半径４１２は、約０．２５〜０．５０インチ（０．７６〜１．２７ｃｍ）の範囲であり得る。例えば、ソール曲率半径４１２は、約０．５インチ（１．２７ｃｍ）未満、約０．４７５インチ（１．２１ｃｍ）未満、約０．４５インチ（１．１４ｃｍ）未満、約０．４２５インチ（１．０８ｃｍ）未満、または約０．４０インチ（１．０２ｃｍ）未満であり得る。さらなる例では、ソール曲率半径４１２は、約０．３０インチ（０．７６ｃｍ）、０．３５インチ（０．８９ｃｍ）、０．４０インチ（１．０２ｃｍ）、０．４５インチ（１．１４ｃｍ）、または０．５０インチ（１．２７ｃｍ）であり得る。
【０１３６】
いくつかの実施形態において、バック曲率半径３９８は、約０．１０〜０．２５インチ（０．２５〜０．６４ｃｍ）の範囲であり得る。例えば、バック曲率半径３９８は、約０．３インチ（０．７６ｃｍ）未満、約０．２７５インチ（０．７０ｃｍ）未満、約０．２５インチ（０．６４ｃｍ）未満、約０．２２５インチ（０．５７ｃｍ）未満または約０．２０インチ（０．５１ｃｍ）未満であり得る。さらなる例では、バック曲率半径３９８は、約０．１０インチ（０．２５ｃｍ）、０．１５インチ（０．３８ｃｍ）、０．２０インチ（０．５１ｃｍ）、または０．２５インチ（０．６４ｃｍ）であり得る。
ｉｉｉ．タービュレータ
【０１３７】
図７を参照すると、いくつかの実施形態では、クラブヘッド３００はさらに、「タービュレータ付きゴルフクラブヘッドおよびゴルフクラブヘッドを製造する方法」という名称のその内容が本願に完全に組み込まれている米国特許出願第１３／５３６，７５３号、２０１３年１２月１７日に付与された現在米国特許第８，６０８，５８７号に記載されているように、複数のタービュレータ４１４を含むことができる。多くの実施形態では、複数のタービュレータ４１４は、空気流を乱し、それによって境界層内に小さな渦または乱流を生じさせて、境界層にエネルギーを与え、スイング中にクラウン３１６上での気流の分離を遅らせる。
【０１３８】
いくつかの実施形態では、複数のタービュレータ４１４は、クラブヘッド３００のクラウン遷移点５９４に隣接することができる。複数のタービュレータ４１４は、クラウン３１６の外面から突出し、クラブヘッド３００のフロントエンド３０８とバックエンド３１０との間に延びる長さ、およびクラブヘッド３００のヒール３２０からトウ３２２まで延びる幅を含む。多くの実施形態では、複数のタービュレータ４１４の長さは幅よりも大きい。いくつかの実施形態では、複数のタービュレータ４１４は同じ幅を含むことができる。いくつかの実施形態において、複数のタービュレータ４１４は、高さプロファイルが変化することができる。いくつかの実施形態では、複数のタービュレータ４１４は、クラウン３１６の前面と比較してクラウン３１６の頂点に向かって高くてもよい。他の実施形態では、複数のタービュレータ４１４は、クラウン３１６の前方に向かって高く、クラウン３１６の頂点に向かって高さが低くてもよい。他の実施形態では、複数のタービュレータ４１４は一定の高さプロファイルを含むことができる。さらに、多くの実施形態では、少なくとも１つのタービュレータの少なくとも一部が打撃面３０４とクラウン３１６の頂点との間に配置され、隣接するタービュレータ間の間隔は、隣接するタービュレータのそれぞれの幅よりも大きい。
ｉｖ．バックキャビティ
【０１３９】
図８〜図９を参照すると、いくつかの実施形態では、クラブヘッド３００は、クラブヘッド３００のバックエンド３１０および後縁部３２８に位置するキャビティ４２０をさらに含むことができる。キャビティ４２０は、「ゴルフクラブヘッドと空気力学的特徴および関連する方法」という名称のその内容が本願に完全に組み込まれている米国特許出願第１４／８８２，０９２号、２０１６年１１月１５日に付与された現在米国特許第９，４９２，７２１号に記載されているキャビティと同様である。多くの実施形態では、キャビティ４２０は、ゴルフクラブヘッド３００の後方で発生した渦をより小さな渦に砕き、乱気流のサイズを小さくし、および／または抗力を小さくすることができる。いくつかの実施形態では、渦をより小さな渦に分割することにより、ゴルフクラブヘッド３００の後方に高圧の領域を生成することができる。いくつかの実施形態では、この高圧領域はゴルフクラブヘッド３００を前方に押し出し、抗力を低減し、および／またはゴルフクラブヘッド３００の空力設計を向上させることができる。多くの実施形態では、より小さな渦と抗力の減少の正味の効果は、ゴルフクラブヘッド３００の速度の増加である。この効果は、ゴルフボールがインパクト後に打球面３０４を離れる速度が速くなり、ボールの飛行距離が増大する可能性がある。
【０１４０】
多くの実施形態では、キャビティ４２０は、Ｘ’Ｚ’平面に垂直な方向に配向された後壁４２２を含み、さらに、ヒール３２０からトウ３２２への方向に測定された幅、深さ４２４、および高さ４２６を含む。キャビティ４２０の幅は、約１．０インチ（約２．５４センチメートル）〜約８インチ（約２０．３２ｃｍ）、約１．０インチ（約２．５４ｃｍ）〜約２．２５インチ（約５．７２ｃｍ）、または約１．７５インチ（約４．５ｃｍ）〜約２．２５インチ（約５．７２ｃｍ）であり得る。例えば、キャビティ４２０の幅は、約２．０インチ（５．０８ｃｍ）、３．０インチ（７．６２ｃｍ）、４．０インチ（１０．１６ｃｍ）、５．０インチ（１２．７ｃｍ）、６．０インチ（１５．２４ｃｍ）、または７．０インチ（１７．７８ｃｍ）であり得る。いくつかの実施形態では、キャビティ４２０の幅は、キャビティ４２０の頂部付近（クラブヘッド３００のクラウン３１６に向かって）からキャビティ４２０の底部付近（クラブヘッド３００のソール３１８に向かって）まで一定のままであり得る。他の実施形態では、キャビティ４２０の幅は頂部付近から底部付近まで変化することができる。図８に示す実施形態では、キャビティ４２０の幅は頂部近くで最大で底部近くで最も小さい。他の実施形態では、キャビティ４２０の幅は任意の輪郭に従って変化し得る。例えば、他の実施形態では、キャビティ４２０の幅は、頂部、底部、中心部、またはキャビティ４２０の頂部から底部まで延びる他の任意の位置で最も長くすることができる。
【０１４１】
キャビティ４２０の深さ４２４は、約０．０２５インチ（約０．１２７ｃｍ）〜約０．２５０インチ（約０．６３５ｃｍ）、または約０．０２５インチ（約０．１２７ｃｍ）〜約０．１５０インチ（約０．３８１ｃｍ）とすることができる。例えば、キャビティ４２０の深さ４２４は、約０．１インチ（約０．２５４ｃｍ）、または約０．０５インチ（約０．１２７ｃｍ）であり得る。いくつかの実施形態では、キャビティ４２０の深さ４２４は、ヒールとトウの間および／またはキャビティ４２０の頂部と底部の間で一定のままであり得る。他の実施形態では、キャビティ４２０の深さ４２４は、ヒールとトウとの間および／またはキャビティ４２０の頂部と底部との間で変化することができる。例えば、キャビティ４２０の深さ４２４は、ヒール付近、トウ付近、クラウン付近、ソール付近、中心付近で、または記載された位置の任意の組み合わせで最大とすることができる。
【０１４２】
キャビティ４２０の高さ４２６は、クラウン３１６からソール３１８への方向に沿って測定することができる。キャビティ４２０の高さ４２６は、約０．１９インチ（約０．４８ｃｍ）〜約０．２１インチ（約０．５３ｃｍ）であり得る。いくつかの実施形態では、キャビティ４２０の高さ４２６は、約０．１０インチ（約０．２５ｃｍ）〜約０．５０インチ（約１．２７ｃｍ）であり得る。いくつかの実施形態では、キャビティ４２０の高さ４２６は、約０．１０インチ（約０．２５ｃｍ）〜約０．４０インチ（約１．０２ｃｍ）であり得る。いくつかの実施形態において、キャビティ４２０の高さ４２６は、約０．１０インチ（約０．２５ｃｍ）〜約０．３０インチ（約０．７６ｃｍ）であり得る。いくつかの実施形態において、キャビティ４２０の高さ４２６は、約０．１０インチ（約０．２５ｃｍ）〜約０．２０インチ（約０．５１ｃｍ）であり得る。いくつかの実施形態では、キャビティ４２０の高さ４２６は、キャビティ４２０のヒールとトウとの間で一定のままであり得る。他の実施形態では、キャビティ４２０の高さ４２６は、キャビティ４２０のヒールとトウとの間で変化することができる。例えば、キャビティ４２０の高さ４２６は、ヒール付近、トウ付近、中心付近で、または記載された位置の任意の組み合わせで最大であり得る。
ｖ．ホーゼル構造
【０１４３】
いくつかの実施形態において、ホーゼル構造３３０は、より大きい直径のホーゼル構造を有する同様のクラブヘッドと比較して、スイング中にクラブヘッド３００にかかる空気抵抗を低減するために、より小さい外径を有することができる。多くの実施形態において、ホーゼル構造３３０は、０．５４５インチ未満の外径を有する。例えば、ホーゼル構造３３０は、０．６０インチ未満、０．５９インチ未満、０．５８インチ未満、０．５７インチ未満、０．５６インチ未満、０．５５インチ未満、０．５４インチ未満、０．５３インチ未満、０．５２未満、０．５１インチ未満、または０．５０インチ未満の外径を有することができる。多くの実施形態において、ホーゼル構造３３０の外径は、クラブヘッド３００のロフト角および／またはライ角の調節可能性を維持しながら減少する。
ｖｉ．投影面積
【０１４４】
多くの実施形態では、クラブヘッド３００はさらに前面投影面積および側面投影面積を含む。前面投影面積は、図１に示すように、正面図から見えるとともにＸ’Ｙ’平面に投影されるクラブヘッド３００の面積である。側面投影面積は、側面図から見えるとともにＹ’Ｚ’平面に投影されるクラブヘッド３００の面積である。
【０１４５】
多くの実施形態では、クラブヘッド３００の前面投影面積は、０．００４００ｍ２〜０．００７００ｍ２の間とすることができる。例えば、図示の実施形態では、クラブヘッドの前面投影面積は、０．００６５５ｍ２である。他の実施形態では、前面投影面積は、０．００４００ｍ２〜０．００６６５ｍ２の間、０．００４００ｍ２〜０．００６７５ｍ２の間、０．００４００ｍ２〜０．００６８５ｍ２の間、または０．００４００ｍ２〜０．００６９５ｍ２の間であり得る。
【０１４６】
多くの実施形態において、クラブヘッド３００の側面投影面積は、０．００５００ｍ２〜０．００６５０ｍ２の間であり得る。例えば、図示の実施形態では、クラブヘッドの側面投影面積は、０．００５７９ｍ２である。他の実施形態では、側面投影面積は、０．００５４５ｍ２〜０．００５６５ｍ２の間、０．００５３５ｍ２〜０．００５７５ｍ２の間、０．００５２５ｍ２〜０．００５８５ｍ２の間、０．００５１５ｍ２〜０．００５９５ｍ２の間であり得る。
Ｃ．ＣＧ位置、慣性モーメント、および空気抵抗のバランス
【０１４７】
現在のゴルフクラブヘッド設計では、クラブヘッドの慣性モーメントおよび／またはヘッドＣＧ位置を増加または最大化することは、空気抵抗などのクラブヘッドの他の性能特性に悪影響を及ぼす可能性がある。本明細書に記載のクラブヘッド３００は、以下でさらに詳細に説明するように、同時に空気抵抗を維持または低減しながら、クラブヘッドの慣性モーメントを増大または最大化する。したがって、インパクト性能特性（例えば、スピン、打ち出し角度、ボールスピード、および許容度）を改善したクラブヘッド３００はまた、スイング性能特性（例えば、空気抵抗、インパクト時にクラブヘッドをスクエアにする能力、およびスイング速度）のバランスし、または改善する。
ＩＩ．小容量ドライバータイプクラブヘッド
【０１４８】
別の実施形態によれば、ゴルフクラブヘッド５００は、低容量および低ロフト角を含み得る。多くの実施形態では、ゴルフクラブヘッド５００はドライバータイプのクラブヘッドを含む。他の実施形態では、ゴルフクラブヘッド５００は、本明細書に記載のようなロフト角および容量を有する任意の種類のゴルフクラブヘッドを含むことができる。多くの実施形態では、クラブヘッド５００は、クラブヘッド１００と同じまたは類似のパラメータを含み、パラメータは、クラブヘッド１００の参照番号に４００を加えた番号で記載されている。
【０１４９】
多くの実施形態において、クラブヘッド５００のロフト角は、約１６度未満、約１５度未満、約１４度未満、約１３度未満、約１２度未満、約１１度未満、または約１０度未満である。さらに、多くの実施形態では、クラブヘッド５００の容量は、約４５０ｃｃ未満、約４４０ｃｃ未満、約４３０ｃｃ未満、約４２５ｃｃ未満、約４００ｃｃ未満、約３７５ｃｃ未満、または約３５０ｃｃ未満である。いくつかの実施形態において、クラブヘッドの容量は、約３００ｃｃ〜４５０ｃｃ、約３００ｃｃ〜４００ｃｃ、約３２５ｃｃ〜４２５ｃｃ、約３５０ｃｃ〜４５０ｃｃ、約４００ｃｃ〜４５０ｃｃ、約４２０ｃｃ〜４５０ｃｃ、または約４４０ｃｃ〜４５０ｃｃであり得る。
【０１５０】
多くの実施形態では、クラブヘッド５００の長さ５６２は、４．８５インチよりも大きい。他の実施形態では、クラブヘッド５００の長さ５６２は、４．５インチよりも大きい、４．６インチよりも大きい、４．７インチよりも大きい、４．８インチよりも大きい、４．９インチよりも大きい、または５．０インチよりも大きい。例えば、いくつかの実施形態では、クラブヘッド５００の長さ５６２は、４．６〜５．０インチの間、４．７〜５．０インチの間、４．８〜５．０インチの間、４．８５〜５．０インチの間、または４．９〜５．０インチの間であり得る。
【０１５１】
多くの実施形態では、クラブヘッド５００の深さ５６０は、クラブヘッド５００の長さ５６２よりも少なくとも０．７０インチ小さい。多くの実施形態では、クラブヘッド５００の深さ５６０は、４．７５インチよりも大きい。他の実施形態では、クラブヘッド５００の深さ３６０は、４．５インチよりも大きい、４．６インチよりも大きい、４．７インチよりも大きい、４．８インチよりも大きい、４．９インチよりも大きい、または５．０インチよりも大きい。例えば、いくつかの実施形態では、クラブヘッド５００の深さ５６０は、４．６〜５．０インチの間、４．７〜５．０インチの間、４．７５〜５．０インチの間、４．８〜５．０インチの間、または４．９〜５．０インチの間であり得る。
【０１５２】
多くの実施形態では、クラブヘッドの高さ５６４は、約２．８インチ未満である。他の実施形態では、クラブヘッド５００の高さ５６４は、３．０インチ未満、２．９インチ未満、２．８インチ未満、２．７インチ未満、または２．６インチ未満である。例えば、いくつかの実施形態では、クラブヘッド５００の高さ５６４は、２．０〜２．８インチの間、２．２〜２．８インチの間、２．５〜２．８インチの間、または２．５〜３．０インチの間であり得る。さらに、多くの実施形態では、クラブヘッド５００のフェース高さ５４４は、約１．３インチ（３３ｍｍ）〜約２．８インチ（７１ｍｍ）とすることができる。さらにまた、多くの実施形態において、クラブヘッド５００は、１８５グラム〜２２５グラムの質量を含み得る。
【０１５３】
クラブヘッド５００はさらに、ヘッドＣＧ位置、クラブヘッド慣性モーメント、および空気抵抗などの様々な追加パラメータのバランスを含み、改善されたインパクト性能特性（例えば、スピン、打ち出し角度、速度、許容度）および改善されたスイング性能特性（例えば、空気抵抗、インパクト時にクラブヘッドをスクエアにする能力）の両方を提供する。多くの実施形態において、以下に記載されるパラメータのバランスは、スイング性能特性を維持または改善しながら改善されたインパクト性能を提供する。さらに、多くの実施形態において、以下に記載されるパラメータのバランスは、インパクト性能特性を維持または改善しながら、改善されたスイング性能特性を提供する。
Ａ．重心位置と慣性モーメント
【０１５４】
多くの実施形態では、ヘッドＣＧからの距離が最大となるクラブヘッドの領域において、裁量のウエイトを増加させ、裁量のウエイトを再配置することによって、低く後方のクラブヘッドＣＧおよび高い慣性モーメントを達成することができる。ヘッドＣＧ位置に関して上述したように、クラウンを薄くすること、および／または最適化された材料を使用することによって、増加した裁量のウエイトを達成することができる。ヘッドＣＧからの距離を最大にするための裁量のウエイトの再配置は、ヘッドＣＧの位置に関して上述したように、取り外し可能なウエイト、埋め込みウエイト、または急なクラウン角度を使用して達成することができる。
【０１５５】
多くの実施形態では、クラブヘッド５００は、約３０００ｇ・ｃｍ２より大きい、約３２５０ｇ・ｃｍ２より大きい、約３５００ｇ・ｃｍ２より大きい、約３７５０ｇ・ｃｍ２より大きい、約４０００ｇ・ｃｍ２より大きい、約４２５０ｇ・ｃｍ２より大きい、約４５００ｇ・ｃｍ２より大きい、約４７５０ｇ・ｃｍ２より大きい、約５０００ｇ・ｃｍ２より大きい、約５２５０ｇ・ｃｍ２より大きい、約５５００ｇ・ｃｍ２より大きい、約５７５０ｇ・ｃｍ２より大きい、約６０００ｇ・ｃｍ２より大きい、約６２５０ｇ・ｃｍ２より大きい、約６５００ｇ・ｃｍ２より大きい、約６７５０ｇ・ｃｍ２より大きい、または約７０００ｇ・ｃｍ２より大きいクラウン−ソール慣性モーメントＩｘｘを含む。
【０１５６】
多くの実施形態では、クラブヘッド５００は、約５０００ｇ・ｃｍ２より大きい、約５２５０ｇ・ｃｍ２より大きい、約５５００ｇ・ｃｍ２より大きい、約５７５０ｇ・ｃｍ２より大きい、約６０００ｇ・ｃｍ２より大きい、約６２５０ｇ・ｃｍ２より大きい、約６５００ｇ・ｃｍ２より大きい、約６７５０ｇ・ｃｍ２より大きい、または約７０００ｇ・ｃｍ２より大きい、ヒール−トウ慣性モーメントＩｙｙを含む。
【０１５７】
多くの実施形態では、クラブヘッド５００は、８０００ｇ・ｃｍ２よりも大きい、８５００ｇ・ｃｍ２よりも大きい、８７５０ｇ・ｃｍ２よりも大きい、９０００ｇ・ｃｍ２よりも大きい、９２５０ｇ・ｃｍ２よりも大きい、９５００ｇ・ｃｍ２よりも大きい、９７５０ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、１１０００ｇ・ｃｍ２よりも大きい、１１２５０ｇ・ｃｍ２よりも大きい、１１５００ｇ・ｃｍ２よりも大きい、１１７５０ｇ・ｃｍ２よりも大きい、または１２０００ｇ・ｃｍ２よりも大きい、合成慣性モーメント（すなわち、クラウン−ソール慣性モーメントＩｘｘとヒール−トウ慣性モーメントＩｙｙとの合計）を含む。
【０１５８】
多くの実施形態では、クラブヘッド５００は、約０．２０インチ未満、約０．１５インチ未満、約０．１０インチ未満、約０．０９インチ未満、約０．０８インチ未満、約０．０７インチ未満、約０．０６インチ未満、または約０．０５インチ未満のヘッドＣＧ高さ５７４を有する。さらに、多くの実施形態において、クラブヘッド５００は、約０．２０インチ未満、約０．１５インチ未満、約０．１０インチ未満、約０．０９インチ未満、約０．０８インチ未満、約０．０７インチ未満、約０．０６インチ未満、または約０．０５インチ未満の絶対値を有するヘッドＣＧ高さ５７４を含む。
【０１５９】
多くの実施形態では、クラブヘッド５００は、約１．２インチより大きい、約１．３インチより大きい、約１．４インチより大きい、約１．５インチより大きい、約１．６インチより大きい、約１．７インチより大きい、約１．８インチよりも大きい、約１．９インチよりも大きい、または約２．０インチよりも大きい、ヘッドＣＧ深さ５７２を含む。
【０１６０】
いくつかの実施形態では、クラブヘッド５００は、０．５６以下の第１性能特性を含むことができ、ここで、第１性能特性は、（ａ）７２ｍｍとフェース高さ５４４との間の差、および（ｂ）ヘッドＣＧ深さ５７２、の間の比として定義される。これらの実施形態または他の実施形態では、クラブヘッド５００は、４２５ｃｃ以上の第２性能特性を含むことができ、ここで、第２性能特性は、（ａ）クラブヘッド５００の容量、および（ｂ）ヘッドＣＧ深さ５７２とヘッドＣＧ高さ５７４の絶対値との間の比、の合計として定義される。いくつかの実施形態において、第２性能特性は、４５０ｃｃ以上、４７５ｃｃ以上、４９０ｃｃ以上、４９５ｃｃ以上、５００ｃｃ以上、５０５ｃｃ以上、または５１０ｃｃ以上であり得る。
【０１６１】
減少したヘッドＣＧ高さ５７４を有するクラブヘッド５００は、より高いヘッドＣＧ高さを有する同様のクラブヘッドと比較して、インパクト時のゴルフボールのバックスピンを減少させることができる。多くの実施形態では、バックスピンを減少させると、クラブヘッドの性能を向上させるために、ボール速度と飛行距離の両方を増加させることができる。さらに、ヘッドＣＧ深さ５７２を増大させたクラブヘッド５００は、打球面により近いヘッドＣＧの深さを有する同様のクラブヘッドと比較して、ヒール−トウ慣性モーメントを増大させることができる。ヒール−トウ慣性モーメントを大きくすると、クラブヘッドの性能を向上させるためのインパクト時のクラブヘッドの許容度を高めることができる。さらにまた、ヘッドＣＧ深さ５７２が増大したクラブヘッド５００は、打球面により近いヘッドＣＧの深さを有する同様のクラブヘッドと比較して、打球時のクラブヘッドの動的ロフトを増大させることによって、インパクト時のゴルフボールの打ち出し角度を増大させることができる。
【０１６２】
ヘッドＣＧ高さ５７４および／またはヘッドＣＧ深さ５７２は、様々な領域でクラブヘッドの重量を減らし、それによって裁量のウエイトを増やし、ヘッドＣＧをより低くより後方にシフトするためにクラブヘッドの戦略的な領域で裁量のウエイトを変えることによって達成できる。クラブヘッドの重量を減少させて再配置するための様々な手段が以下に説明される。
ｉ．薄い領域
【０１６３】
いくつかの実施形態では、ヘッドＣＧ高さ５７４および／またはヘッドＣＧ深さ５７２は、クラブヘッド５００の様々な領域を薄くして余分なウエイトを取り除くことによって達成することができる。余分なウエイトを除去すると、所望の低く後方のクラブヘッドＣＧ位置を達成するためにクラブヘッド５００の領域に戦略的に再配置することができる増加した裁量のウエイトがもたらされる。
【０１６４】
多くの実施形態では、クラブヘッド５００は１つまたは複数の薄い領域を有することができる。薄い領域は、クラブヘッド３００の１つまたは複数の薄い領域３７６と類似または同一であり得る。１つまたは複数の薄い領域は、打撃面５０４、本体５０２、または打撃面５０４と本体５０２の組み合わせ上に配置することができる。さらに、１つまたは複数の薄い領域は、クラウン５１６、ソール５１８、ヒール５２０、トウ５２２、フロントエンド５０８、バックエンド５１０、スカート５２８または記載された位置の任意の組み合わせを含む本体５０２の任意の領域に配置することができる。例えば、いくつかの実施形態では、１つまたは複数の薄い領域をクラウン５１６上に配置することができる。さらなる例では、１つまたは複数の薄い領域は、打撃面５０４とクラウン５１６の組み合わせ上に配置することができる。さらなる例では、１つまたは複数の薄い領域は、打撃面５０４、クラウン５１６、およびソール５１８の組み合わせ上に配置することができる。さらなる例では、本体５０２全体および／または打撃面５０４全体が薄い領域を含むことができる。
【０１６５】
１つまたは複数の薄い領域が打撃面５０４上に配置される実施形態では、打撃面５０４の厚さは、最大打撃面厚さおよび最小打撃面厚さを変化し得る。これらの実施形態では、最小打撃面厚さは、０．１０インチ未満、０．０９インチ未満、０．０８インチ未満、０．０７インチ未満、０．０６インチ未満、０．０５インチ未満、０．０４インチ未満、または０．０３インチ未満であり得る。これらまたは他の実施形態では、最大打撃面厚さは、０．２０インチ未満、０．１９インチ未満、０．１８インチ未満、０．１７インチ未満、０．１６インチ未満、０．１５インチ未満、０．１４インチ未満、０．１３インチ未満０．１２インチ未満、０．１１インチ未満、または０．１０インチ未満であり得る。
【０１６６】
１つまたは複数の薄い領域が本体５０２上に配置されている実施形態では、薄い領域は約０．０２０インチ未満の厚さを含むことができる。他の実施形態では、薄い領域は、０．０２５インチ未満、０．０２０インチ未満、０．０１９インチ未満、０．０１８インチ未満、０．０１７インチ未満、０．０１６インチ未満、０．０１５インチ未満、０．０１４インチ未満、０．０１３インチ未満、０．０１２インチ未満、または０．０１０インチ未満の厚さを含む。例えば、薄い領域は、約０．０１０〜０．０２５インチ、約０．０１３〜０．０２０インチ、約０．０１４〜０．０２０インチ、約０．０１５〜０．０２０インチ、約０．０１６〜０．０２０インチ、約０．０１７〜０．０２０インチ、または約０．０１８−０．０２０インチの厚さを含むことができる。
【０１６７】
図示の実施形態では、薄い領域は形状および位置が異なり、クラブヘッド５００の表面積の約２５％を覆っている。他の実施形態では、薄い領域は、クラブヘッド５００の表面積の約２０〜３０％、約１５〜３５％、約１５〜２５％、約１０〜２５％、約１５〜３０％、または約２０〜５０％を覆うことができる。さらに、他の実施形態では、薄い領域は、クラブヘッド５００の表面積の最大５％、最大１０％、最大１５％、最大２０％、最大２５％、最大３０％、最大３５％、最大４０％、最大４５％、または最大５０％までをカバーすることができる。
【０１６８】
多くの実施形態では、クラウン５１６は、クラウンの表面積の約５１％が薄い領域を含むように、１つまたは複数の薄い領域を含むことができる。他の実施形態では、クラウン５１６は、クラウンの最大２０％、最大２５％、最大３０％、最大３５％、最大４０％、最大４５％、最大４５％、最大５０％、最大５５％、最大６０％、最大６５％、最大７０％、または最大７５％が薄い領域を含むように、１つまたは複数の薄い領域を含むことができる。例えば、いくつかの実施形態では、クラウンの約４０〜６０％が薄い領域を含むことができる。さらなる例では、他の実施形態では、クラウン５１６の約５０〜１００％、約４０〜８０％、約３５〜６５％、約３０〜７０％、または約２５〜７５％が薄い領域を含むことができる。いくつかの実施形態では、クラウン５１６は１つまたは複数の薄い領域を含むことができ、１つまたは複数の薄い領域のそれぞれは勾配をつけて薄くなっている。この例示的な一実施形態では、クラウン５１６の１つまたは複数の薄い領域は、ヒール−トウ方向に延び、１つまたは複数の薄い領域のそれぞれは、打撃面５０４からバックエンド５１０に向かう方向に厚さが減少している。
【０１６９】
多くの実施形態では、ソール５１８の表面積の約６４％が薄い領域を含むように、ソール５１８は１つまたは複数の薄い領域を含むことができる。他の実施形態では、ソール５１８は、ソールの最大２０％、最大２５％、最大３０％、最大３５％、最大４０％、最大４５％、最大４５％、最大５０％、最大５５％、最大６０％、最大６５％、最大７０％、最大７５％、最大８０％、最大８５％、または最大９０％が薄い領域を含むように、１つまたは複数の薄い領域を含むことができる。例えば、いくつかの実施形態では、ソールの約４０〜６０％が薄い領域を含むことができる。さらなる例では、他の実施形態では、ソール５１８の約５０〜１００％、約４０〜８０％、約３５〜６５％、または約３０〜７０％、または約２５〜７５％が薄い領域を含むことができる。
【０１７０】
薄い領域は、円形、三角形、正方形、長方形、卵形、または少なくとも１つの曲面を有する任意の他の多角形もしくは形状などの任意の形状を含むことができる。さらに、１つまたは複数の薄い領域は、残りの薄い領域と同じ形状、または異なる形状を含むことができる。
【０１７１】
多くの実施形態では、薄い領域を有するクラブヘッド５００は遠心鋳造を用いて製造することができる。これらの実施形態では、遠心鋳造は、クラブヘッド５００が従来の鋳造を使用して製造されたクラブヘッドよりも薄い壁を有することを可能にする。他の実施形態では、薄い領域を有するクラブヘッド５００の部分は、打ち抜き加工、鍛造加工、または機械加工などの他の適切な方法を使用して製造することができる。薄い領域を有するクラブヘッド５００の部分が打ち抜き加工、鍛造加工、または機械加工を使用して製造される実施形態では、クラブヘッド５００の部分は、エポキシ、テープ、溶接、機械的締結具、または他の適切な方法を使用して結合され得る。
ｉｉ．最適化された材料
【０１７２】
いくつかの実施形態では、打撃面５０４および／または本体５０２は、増加した比強度および／または増加した比可撓性を有する最適化された材料を含み得る。比可撓性は、最適化された材料の弾性率に対する降伏強度の比として測定される。比強度および／または比可撓性を増大させると、耐久性を維持しながらクラブヘッドの一部を薄くすることができる。
【０１７３】
いくつかの実施形態では、打撃面５０４の第１の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第１の材料は、約９００，０００ＰＳＩ／ｌｂ／ｉｎ３（２２４ＭＰａ／ｇ／ｃｍ３）以上、約９１０，０００ＰＳＩ／ｌｂ／ｉｎ３（２２７ＭＰａ／ｇ／ｃｍ３）以上、約９２０，０００ＰＳＩ／ｌｂ／ｉｎ３（２２９ＭＰａ／ｇ／ｃｍ３）以上、約９３０，０００ＰＳＩ／ｌｂ／ｉｎ３（２３２ＭＰａ／ｇ／ｃｍ３）以上、約９４０，０００ＰＳＩ／ｌｂ／ｉｎ３（２３４ＭＰａ／ｇ／ｃｍ３）以上、約９５０，０００ＰＳＩ／ｌｂ／ｉｎ３（２３７ＭＰａ／ｇ／ｃｍ３）以上、約９６０，０００ＰＳＩ／ｌｂ／ｉｎ３（２３９ＭＰａ／ｇ／ｃｍ３）以上、約９７０，０００ＰＳＩ／ｌｂ／ｉｎ３（２４２ＭＰａ／ｇ／ｃｍ３）以上、約９８０，０００ＰＳＩ／ｌｂ／ｉｎ３（２４４ＭＰａ／ｇ／ｃｍ３）以上、約９９０，０００ＰＳＩ／ｌｂ／ｉｎ３（２４７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、または約１，１５０，０００ＰＳＩ／ｌｂ／ｉｎ３（２８６ＭＰａ／ｇ／ｃｍ３）以上の比強度を有することができる。
【０１７４】
さらに、これらまたは他の実施形態では、最適化チタン合金を含む第１の材料は、約０．００７５以上、約０．００８０以上、約０．００８５以上、約０．００９０以上、約０．００９１以上、約０．００９２以上、約０．００９３以上、約０．００９４以上、約０．００９５以上、約０．００９６以上、約０．００９７以上、約０．００９８以上、約０．００９９以上、約０．０１００以上、約０．０１０５以上、約０．０１１０以上、約０．０１１５以上、または約０．０１２０以上の比可撓性を有することができる。
【０１７５】
これらまたは他の実施形態では、最適化スチール合金を含む第１の材料は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）以上、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）以上、約８１０，０００ＰＳＩ／ｌｂ／ｉｎ３（２０２ＭＰａ／ｇ／ｃｍ３）以上、約８２０，０００ＰＳＩ／ｌｂ／ｉｎ３（２０４ＭＰａ／ｇ／ｃｍ３）以上、約８３０，０００ＰＳＩ／ｌｂ／ｉｎ３（２０７ＭＰａ／ｇ／ｃｍ３）以上、約８４０，０００ＰＳＩ／ｌｂ／ｉｎ３（２０９ＭＰａ／ｇ／ｃｍ３）以上、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、約１，１１５，０００ＰＳＩ／ｌｂ／ｉｎ３（２７８ＭＰａ／ｇ／ｃｍ３）以上、または約１，１２０，０００ＰＳＩ／ｌｂ／ｉｎ３（２７９ＭＰａ／ｇ／ｃｍ３）以上の比強度を有することができる。
【０１７６】
さらに、これらまたは他の実施形態では、最適化スチール合金を含む第１の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０１７７】
これらの実施形態では、最適化された第１の材料の増加した比強度および／または増加した比可撓性は、耐久性を維持しながら、上述のように打撃面５０４またはその一部を薄くすることを可能にする。打撃面５０４を薄くすることにより、打撃面のウエイトを減らすことができ、それによってクラブヘッド５００の他の領域に戦略的に配置される裁量のウエイトが増加し、これにより、ヘッドＣＧが低く後方に配置され、および／またはクラブヘッドの慣性モーメントが大きくなる。
【０１７８】
いくつかの実施形態では、本体５０２の第２の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第２の材料は、約７３０，５００ＰＳＩ／ｌｂ／ｉｎ３（１８２ＭＰａ／ｇ／ｃｍ３）以上の比強度を有することができる。例えば、最適化チタン合金の比強度は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上。または約１，１００，０００ＰＳＩ／ｌｂ／ｉｎ３（２７２ＭＰａ／ｇ／ｃｍ３）以上であり得る。
【０１７９】
さらに、これらまたは他の実施形態では、最適化チタン合金を含む第２の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、または約０．０１２０以上の比可撓性を有することができる。
【０１８０】
これらまたは他の実施形態では、最適化スチールを含む第２の材料は、約５００，０００ＰＳＩ／ｌｂ／ｉｎ３（１２５ＭＰａ／ｇ／ｃｍ３）以上、約５１０，０００ＰＳＩ／ｌｂ／ｉｎ３（１２７ＭＰａ／ｇ／ｃｍ３）以上、約５２０，０００ＰＳＩ／ｌｂ／ｉｎ３（１３０ＭＰａ／ｇ／ｃｍ３）以上、約５３０，０００ＰＳＩ／ｌｂ／ｉｎ３（１３２ＭＰａ／ｇ／ｃｍ３）以上、約５４０，０００ＰＳＩ／ｌｂ／ｉｎ３（１３５ＭＰａ／ｇ／ｃｍ３）以上、約５５０，０００ＰＳＩ／ｌｂ／ｉｎ３（１３７ＭＰａ／ｇ／ｃｍ３）以上、約５６０，０００ＰＳＩ／ｌｂ／ｉｎ３（１３９ＭＰａ／ｇ／ｃｍ３）以上、約５７０，０００ＰＳＩ／ｌｂ／ｉｎ３（１４２ＭＰａ／ｇ／ｃｍ３）以上、約５８０，０００ＰＳＩ／ｌｂ／ｉｎ３（１４４ＭＰａ／ｇ／ｃｍ３）以上、約５９０，０００ＰＳＩ／ｌｂ／ｉｎ３（１４７ＭＰａ／ｇ／ｃｍ３）以上、約６００，０００ＰＳＩ／ｌｂ／ｉｎ３（１４９ＭＰａ／ｇ／ｃｍ３）以上、約６２５，０００ＰＳＩ／ｌｂ／ｉｎ３（１５６ＭＰａ／ｇ／ｃｍ３）以上、約６７５，０００ＰＳＩ／ｌｂ／ｉｎ３（１６８ＭＰａ／ｇ／ｃｍ３）以上、約７２５，０００ＰＳＩ／ｌｂ／ｉｎ３（１８１ＭＰａ／ｇ／ｃｍ３）以上、約７７５，０００ＰＳＩ／ｌｂ／ｉｎ３（１９３ＭＰａ／ｇ／ｃｍ３）以上、約８２５，０００ＰＳＩ／ｌｂ／ｉｎ３（２０５ＭＰａ／ｇ／ｃｍ３）以上、約８７５，０００ＰＳＩ／ｌｂ／ｉｎ３（２１８ＭＰａ／ｇ／ｃｍ３）以上、約９２５，０００ＰＳＩ／ｌｂ／ｉｎ３（２３０ＭＰａ／ｇ／ｃｍ３）以上、約９７５，０００ＰＳＩ／ｌｂ／ｉｎ３（２４３ＭＰａ／ｇ／ｃｍ３）以上、約１，０２５，０００ＰＳＩ／ｌｂ／ｉｎ３（２５５ＭＰａ／ｇ／ｃｍ３）以上、約１，０７５ＰＳＩ／ｌｂ／ｉｎ３（２６８ＭＰａ／ｇ／ｃｍ３）、または約１，１２５，０００ＰＳＩ／ｌｂ／ｉｎ３（２８０ＭＰａ／ｇ／ｃｍ３）以上の比強度を有することができる。
【０１８１】
さらに、これらまたは他の実施形態では、最適化スチールを含む第２の材料は、約０．００６０以上、約０．００６２以上、約０．００６４以上、約０．００６６以上、約０．００６８以上、約０．００７０以上、約０．００７２以上、約０．００７６以上、約０．００８０以上、約０．００８４以上、約０．００８８以上、約０．００９２以上、約０．００９６以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０１８２】
これらの実施形態では、最適化された第２の材料の増加した比強度および／または増加した比可撓性は、耐久性を維持しながら、本体５０２またはその一部を薄くすることを可能にする。本体５０２を薄くすると、クラブヘッドのウエイトを減らすことができ、それによってクラブヘッド５００の他の領域に戦略的に配置する裁量のウエイトが増加し、これにより、ヘッドＣＧが低く後方に配置され、および／またはクラブヘッドの慣性モーメントが大きくなる。
ｉｉｉ．取り外し可能なウエイト
【０１８３】
いくつかの実施形態では、クラブヘッド５００は、１つまたは複数の取り外し可能なウエイト５８２を含む１つまたは複数のウエイト構造５８０を含むことができる。１つ以上のウエイト構造５８０および／または１つ以上の取り外し可能なウエイト５８２は、ソール５１８およびバックエンド５１０に向かって配置することができ、それによって裁量のウエイトをソール５１８およびクラブヘッドのバックエンド５１０の近くに位置決めすることができ、低く後方のヘッドＣＧ位置が達成される。多くの実施形態では、１つまたは複数のウエイト構造５８０は、１つまたは複数の取り外し可能なウエイト５８２を取り外し可能に受け入れる。これらの実施形態では、１つまたは複数の取り外し可能なウエイト５８２を、ねじ付きファスナー、接着剤、磁石、スナップフィット、または１つまたは複数の取り外し可能なウエイトを１つまたは複数のウエイト構造に固定可能な他の任意の機構などの任意の適切な方法を使用して１つまたは複数のウエイト構造５８０に結合することができる。
【０１８４】
ウエイト構造５８０および／または取り外し可能なウエイト５８２は、上面図から見たときに打撃面５０４に対して整列させることができるクロックグリッド２０００（図３に示される）に対して配置することができる。クロックグリッドは、少なくとも１２時の放射線、３時の放射線、４時の放射線、５時の放射線、６時の放射線、７時の放射線、８時の放射線、および９時の放射線を含む。例えば、クロックグリッド２０００は、打撃面５０４の幾何学的中心５４０と位置合わせされた１２時の放射線２０１２を含む。１２時の放射線２０１２は、Ｘ’Ｙ’平面に直交する。クロックグリッド２０００の中心は、１２時の放射線２０１２に沿ってクラブヘッド５００のフロントエンド５０８とバックエンド５１０との間の中点に配置することができる。同じまたは他の例では、底面図から見たときに、クロックグリッド中心点２０１０をゴルフクラブヘッド５００の幾何学的中心点に近接して中心に置くことができる。クロックグリッド２０００はまた、ヒール５２０に向かって延びる３時の放射線２００３と、クラブヘッド５００のトウ５２２に向かって延びる９時の放射線２００９とを含む。
【０１８５】
ウエイト構造５８０のウエイト周囲５８４は、本実施形態ではバックエンド５１０に向かって配置され、クロックグリッド２０００の４時の放射線２００４と８時の放射線２００８との間に少なくとも部分的に境界が定められており、一方で、ウエイト構造５８０内に配置された取り外し可能なウエイト５８２は、５時の放射線２００５と７時の放射線２００７との間に配置されている。本例のような例では、ウエイト周囲５８４は、４時の放射線２００４と８時の放射線２００８との間に完全に囲まれている。この例では、ウエイト周囲５８４はクラブヘッド５００の外部に画定されているが、ウエイト周囲５８４がクラブヘッド５００の内部に延びる、またはクラブヘッド５００内に画定され得る他の例があり得る。いくつかの例では、ウエイト構造５８０の位置は、より広い領域に対して確立することができる。例えば、そのような例では、ウエイト構造５８０のウエイト周囲５８４は、クロックグリッド２０００の４時の放射線２００４と９時の放射線２００９との間に少なくとも部分的に境界を定められたバックエンド５１０に向かって配置されることができ、一方で、ウエイト中心５８６は、５時の放射線２００５と８時の放射線２００８との間に位置し得る。
【０１８６】
この例では、ウエイト構造５８０は、ソール５１８の外部輪郭から突き出ており、したがって、ヘッドＣＧ５７０のより大きな調整を可能にするために少なくとも部分的に外部にある。いくつかの例では、ウエイト構造５８０は、約２グラム〜約５０グラムの質量、および／または約１ｃｃ〜約３０ｃｃの容量を含むことができる。他の例では、ウエイト構造５８０は、本体５０２の外部輪郭と同一平面上に留まることができる。
【０１８７】
多くの実施形態では、取り外し可能なウエイト５８２は、約０．５グラム〜約３０グラムの質量を含むことができ、ヘッドＣＧ５７０の位置を調整するために１つまたは複数の他の同様の取り外し可能なウエイトと置き換えることができる。同じまたは他の例では、ウエイト中心５８６は、取り外し可能なウエイト５８２の重心、および／または取り外し可能なウエイトの幾何学的中心５８２のうちの少なくとも１つを含むことができる。
ｉｖ．埋め込みウエイト
【０１８８】
いくつかの実施形態では、クラブヘッド５００は、裁量のウエイトをソール５１８上、スカート５２８内、および／またはクラブヘッド５００のバックエンド５１０の近くに配置して低く後方のヘッドＣＧ位置を達成するために、１つまたは複数の埋め込みウエイトを含むことができる。クラブヘッド５００の１つまたは複数の埋め込みウエイトは、クラブヘッド３００の１つまたは複数の埋め込みウエイト３８３と同様または同一であり得る。多くの実施形態では、１つまたは複数の埋め込みウエイトは、クラブヘッド５００にまたはクラブヘッド５００内に恒久的に固定されている。これらの実施形態では、埋め込みウエイトは、「埋め込み高密度鋳造」と題された米国仮特許出願第６２／３７２，８７０号に記載されている高密度金属片（ＨＤＭＰ）と同様であり得る。
【０１８９】
多くの実施形態では、１つまたは複数の埋め込みウエイトは、クラブヘッド５００のバックエンド５１０の近くに配置されている。例えば、埋め込みウエイトのウエイト中心は、クロックグリッド２０００の５時の放射線２００５と７時の放射線２００７の間、または５時の放射線２００５と８時の放射線２００８の間に位置することができる。多くの実施形態において、１つまたは複数の埋め込みウエイトは、スカート上でクラブヘッドのバックエンド付近、ソール上でクラブヘッドのバックエンド付近、またはスカート上およびソール上でクラブヘッドのバックエンド付近に配置することができる。
【０１９０】
多くの実施形態では、１つまたは複数の埋め込みウエイトのウエイト中心は、上面図から見たとき、クラブヘッド５００の周囲の０．１０インチ以内、０．２０インチ以内、０．３０インチ以内、０．４０インチ以内、０．５０インチ以内、０．６０インチ以内、０．７０インチ以内、０．８０インチ以内、０．９０インチ以内、１．０インチ以内、１．１インチ以内、１．２インチ以内、１．３インチ以内、１．４インチ以内、または１．５インチ以内に配置される。これらの実施形態では、埋め込みウエイトがクラブヘッド５００の周囲に近接していることにより、低く後方のヘッドＣＧ位置、クラウン−ソール慣性モーメントＩｘｘ、および／またはヒール−トウ慣性モーメントＩｙｙを最大化することができる。
【０１９１】
多くの実施形態では、１つ以上の埋め込みウエイトのウエイト中心は、ヘッドＣＧ５７０から１．６インチよりも大きい、１．７インチよりも大きい、１．８インチよりも大きい、１．９インチよりも大きい、２．０インチよりも大きい、２．１インチよりも大きい、２．２インチよりも大きい、２．３インチよりも大きい、２．４インチよりも大きい、２．５インチよりも大きい、２．６インチよりも大きい、２．７インチよりも大きい、２．８インチよりも大きい、２．９インチよりも大きい、または３．０インチよりも大きい距離に配置される。
【０１９２】
多くの実施形態では、１つまたは複数の埋め込みウエイトのウエイト中心は、打撃面５０４の幾何学的中心５４０から４．０インチよりも大きい、４．１インチよりも大きい、４．２インチよりも大きい、４．３インチよりも大きい、４．４インチよりも大きい、４．５インチよりも大きい、４．６インチよりも大きい、４．７インチよりも大きい、４．８インチよりも大きい、４．９インチよりも大きい、または５．０インチよりも大きい距離に配置される。
【０１９３】
多くの実施形態で、１つ以上の埋め込みウエイトは、３．０〜７０グラムの質量を含み得る。例えば、いくつかの実施形態では、１つまたは複数の埋め込みウエイトは、３．０〜２５グラム、１０〜３０グラム、２０〜４０グラム、３０〜５０グラム、４０〜６０グラム、または５０〜７０グラムの質量を含むことができる。１つまたは複数の埋め込みウエイトが２つ以上のウエイトを含む実施形態では、埋め込みウエイトのそれぞれは同じまたは異なる質量を含むことができる。
【０１９４】
多くの実施形態では、１つまたは複数の埋め込みウエイトは、１０．０から２２．０の間の比重を有する材料を含むことができる。例えば、多くの実施形態では、１つまたは複数の埋め込みウエイトは、１０．０より大きい、１１．０より大きい、１２．０より大きい、１３．０より大きい、１４．０より大きい、１５．０より大きい、１６．０より大きい、１６．０より大きい、１７．０より大きい、１８．０より大きい、または１９．０より大きい比重を有する材料を含むことができる。１つまたは複数の埋め込みウエイトが２つ以上のウエイトを含む実施形態では、埋め込みウエイトのそれぞれは同じまたは異なる材料を含むことができる。
ｖ．急なクラウン角度
【０１９５】
いくつかの実施形態では、ゴルフクラブヘッド５００は、ヘッドＣＧの低く後方の位置を達成するために急なクラウン角度５８８をさらに含むことができる。急なクラウン角度５８８は、クラウン５１６のバックエンドをソールまたは地面に向かって位置決めし、それによってクラブヘッドＣＧ位置を下げる。
【０１９６】
クラウン角度５８８は、クラウン軸１０９０と前面１０２０との間の鋭角として測定される。これらの実施形態では、クラウン軸１０９０は、接地面１０３０および前面１０２０に垂直に配置された平面に沿って見たクラブヘッドの断面内に位置している。クラウン軸１０９０は、上部遷移境界および後部遷移境界を参照してさらに説明することができる。
【０１９７】
クラブヘッド５００は、フロントエンド５０８とクラウン５１６との間にヒール５２０の近くからトウ５２２の近くまで延びる上部遷移境界を含む。上部遷移境界は、クラブヘッド５００がアドレス位置にあるときに前面１０２０に垂直で接地面１０３０に垂直な平面に沿って取られた側断面図から見たときのクラウン遷移プロファイル５９０を含む。側断面図は、ヒール５２０の近くからトウ５２２の近くまでのクラブヘッド５００の任意の点において取ることができる。クラウン遷移プロファイル５９０は、クラブヘッド５００のフロントエンド５０８からクラウン遷移点５９４まで延びるフロント曲率半径５９２を画定しており、ここで、クラブヘッド５００のフロントエンド５０８は輪郭が打撃面５０４の起伏範囲および／または膨らみ範囲から外れる部分であり、クラウン遷移点５９４はフロント曲率半径５９２からクラウン５１６の曲率への曲率の変化を示す。いくつかの実施形態では、フロント曲率半径５９２は、クラウン５１６付近の打撃面周囲５４２の上端５９３からクラウン遷移点５９４まで延びる単一の曲率半径を含み、クラウン５１６付近の打撃面周囲５４２の上端５９３は輪郭が打撃面５０４の起伏範囲および／または膨らみ範囲から外れる部分であり、クラウン遷移点５９４はフロント曲率半径５９２からクラウン５１６の１つ以上の異なる曲率への曲率の変化を示す。
【０１９８】
クラブヘッド５００はさらに、クラウン５１６とスカート５２８との間にヒール５２０の近くからトウ５２２の近くまで延びる後部遷移境界を含む。後部遷移境界は、クラブヘッド５００がアドレス位置にあるときに前面１０２０に垂直で接地面１０３０に垂直な平面に沿って取られた側断面図から見たときの後部遷移プロファイル５９６を含む。断面図は、ヒール５２０の近くからトウ５２２の近くまでのクラブヘッド５００の任意の点において取ることができる。後部遷移プロファイル５９６は、クラブヘッド５００のクラウン５１６からスカート５２８まで延びるバック曲率半径５９８を画定する。多くの実施形態では、バック曲率半径５９８は、クラウン５１６を後部遷移境界に沿ってクラブヘッド５００のスカート５２８に遷移させる単一の曲率半径を含む。第１の後部遷移点６０２は、クラウン５１６と後部遷移境界との間の接続部に位置している。第２の後部遷移点６０３は、クラブヘッド５００の後部遷移境界とスカート５２８との間の接続部に位置している。
【０１９９】
上部遷移境界のフロント曲率半径５９２は一定のままでもよいし、またはクラブヘッド５００のヒール５２０付近からトウ５２２付近まで変化してもよい。同様に、後部遷移境界のバック曲率半径５９８は、一定のままでもよいし、クラブヘッド５００のヒール５２０の近くからトウ５２２の近くまで変化してもよい。
【０２００】
クラウン軸１０９０は、クラブヘッド５００のフロントエンド５０８付近のクラウン遷移点５９４とクラブヘッド５００のバックエンド５１０付近の後部遷移点６０２との間に延びる。クラウン角度５８８は一定のままでもよいし、クラブヘッド５００のヒール５２０の近くからトウ５２２の近くまで変化してもよい。例えば、クラウン角度５８８は、側断面図がヒール５２０およびトウ５２２に対して異なる位置で取られるときに変化し得る。
【０２０１】
図示の実施形態では、トウ５２２付近のクラウン角度５８８は約７２．２５度であり、ヒール５２０付近のクラウン角度５８８は約６４．５度であり、ゴルフクラブヘッドの中心付近のクラウン角度５８８は約６４．２度である。多くの実施形態では、トウ５２２の近くからヒール５２０の近くまでの任意の位置で取られる最大クラウン角度５８８は、７９度未満、約７８度未満、約７７度未満、約７６度未満、約７５度未満、約７４度未満、約７３度未満、約７２度未満、約７１度未満、約７０度未満、約６９度未満、または約６８度未満である。例えば、いくつかの実施形態では、最大クラウン角は、５０〜７９度、６０〜７９度、または７０〜７９度の間である。
【０２０２】
他の実施形態では、クラブヘッド５００のトウ５２２付近のクラウン角度５８８は、約７９度未満、約７８度未満、約７７度未満、約７６度未満、約７５度未満、約７４度未満、約７３度未満、約７２度未満、約７１度未満、約７０度未満、約６９度未満度、または約６８度未満であり得る。例えば、打撃面５０４の幾何学的中心５４０からトウ５２２に向かって約１．０インチに配置された側面断面図に沿って取られたクラウン角度５８８は、７９度未満、７８度未満、７７度未満、７６度度、７５度未満、７４度未満、７３度未満、７２度未満、７１度未満、７０度未満、６９度未満、または６８度未満であり得る。
【０２０３】
さらに、他の実施形態では、ヒール５２０付近のクラウン角度５８８は、約７０度未満、約６９度未満、約６８度未満、約６７度未満、約６６度未満、約６５度未満、約６４度未満、約６３度未満、約６２度未満、約６１度未満、約６０度未満、約５９度未満であり得る。例えば、打撃面５０４の幾何学的中心５４０からヒール５２０に向かって約１．０インチに配置された側面断面図に沿って取られたクラウン角度５８８は、約７０度未満、約６９度未満、約６８度未満、約６７度未満、約６６度未満、約６５度未満、約６４度未満、約６３度未満、約６２度未満、約６１度未満、約６０度未満、約５９度未満であり得る。
【０２０４】
さらに、他の実施形態では、クラブヘッド５００の中心付近のクラウン角度５８８は、７５度未満、７４度未満、７３度未満、７２度未満、７１度未満、約７０度未満、約６９度未満、約６８度未満、約６７度未満、約６６度未満、約６５度未満、約６４度未満、約６３度未満、約６２度未満、約６１度未満、約６０度未満、約５９度未満であり得る。例えば、打撃面５０４のほぼ幾何学的中心５４０に位置する側面断面図に沿って取られたクラウン角度５８８は、約７０度未満、約６９度未満、約６８度未満、約６７度未満、約６６度未満、約６５度未満、約６４度未満、約６３度未満、約６２度未満、約６１度未満、約６０度未満、約５９度未満であり得る。
【０２０５】
多くの実施形態において、現在のクラブヘッドと比較してクラウン角度５８８を減少させることは、より急なクラウンまたはクラブヘッド５００がアドレス位置にあるときに接地平面１０３０により近い位置に配置されたクラウンを生成する。したがって、クラウン角度５８８の減少は、より高いクラウン角度を有するクラブヘッドと比較して、より低いヘッドＣＧ位置をもたらし得る。
ｖｉ．ホーゼルスリーブウエイト
【０２０６】
いくつかの実施形態では、ヘッドＣＧ高さ１７４および／またはヘッドＣＧ深さ１７２は、ホーゼルスリーブ５３４の質量を減らすことによって達成することができる。ホーゼルスリーブ５３４から余分なウエイトを取り除くと、所望の低く後方のクラブヘッドＣＧ位置を達成するために、増加した裁量のウエイトを戦略的にクラブヘッド５００の領域に再配置することができる。
【０２０７】
ホーゼルスリーブ５３４の質量を減らすことは、スリーブ壁を薄くすること、ホーゼルスリーブ５３４の高さを減らすこと、ホーゼルスリーブ５３４の直径を減らすこと、および／またはホーゼルスリーブ５３４の壁に空隙を導入することによって達成できる。多くの実施形態において、ホーゼルスリーブ５３４の質量は、６グラム未満、５．５グラム未満、５．０グラム未満、４．５グラム未満、または４．０グラム未満であり得る。多くの実施形態では、質量が減少したホーゼルスリーブを有するクラブヘッド５００は、より重いホーゼルスリーブを有する同様のクラブヘッドよりも低く（ソールに近い）そしてより後方に（バックエンドに近い）クラブヘッドＣＧ位置をもたらす。
Ｂ．空気抵抗
【０２０８】
多くの実施形態では、クラブヘッド５００は、低減された空力抵抗とともに、クラブヘッドの低く後方のＣＧ位置と、クラブヘッドの慣性モーメントの増加と、の組み合わせを含む。
【０２０９】
多くの実施形態では、クラブヘッド５００は、スクエア面および時速１０２マイル（ｍｐｈ）の風速の風洞で試験したときに、約１．３ｌｂｆ未満、１．４２５ｌｂｆ未満、１．２ｌｂｆ未満、１．１５ｌｂｆ未満、１．１ｌｂｆ未満、１．０５ｌｂｆ未満、または１．０ｌｂｆ未満の空気抵抗力を経験する。これらまたは他の実施形態では、クラブヘッド５００は、スクエア面および時速１０２マイル（ｍｐｈ）の風速の計算流体力学による計算において、約１．３ｌｂｆ未満、１．４２５ｌｂｆ未満、１．２ｌｂｆ未満、１．１５ｌｂｆ未満、１．１ｌｂｆ未満、１．０５ｌｂｆ未満、または１．０ｌｂｆ未満の空気抵抗力を経験する。これらの実施形態では、スクエア面を有するクラブヘッド５００が経験する空気流は、Ｘ’Ｙ’平面に垂直な方向に打撃面５０４に向けられる。以下に記載されるように、空気抵抗力が低減されたクラブヘッド５００は、様々な手段を用いて達成することができる。
ｉ．クラウン角度高さ
【０２１０】
いくつかの実施形態では、クラウン角５８８を小さくしてより急なクラウンおよびより低いヘッドＣＧ位置を形成すると、スイング中のクラウン上での空気流の分離が増大するため、空力抵抗の望ましくない増大があり得る。クラウン角５８８の減少に伴う抗力の増大を防ぐために、最大クラウン高さ６０４を増大させることができる。最大クラウン高さ６０４は、Ｙ’Ｚ’平面に平行な平面に沿ったクラブヘッド５００の任意の側断面図で見たクラウン５１６の表面とクラウン軸１０９０との間の最大距離である。多くの実施形態において、より大きな最大クラウン高さ６０４は、より大きな曲率を有するクラウン５１６をもたらす。クラウン５１６の曲率が大きいほど、スイング中の空気流の分離の位置がクラブヘッド５００の後方にさらに移動する。言い換えれば、より大きな曲率は、スイング中にクラウン５１６に沿ってより長い距離にわたって空気流がクラブヘッド５００に接触したままでいることを可能にする。クラウン５１６上で気流分離点を後方に移動させると、空力抵抗が減少し、クラブヘッドのスイング速度が増加し、それによってボールの速度と距離が増加する可能性がある。
【０２１１】
多くの実施形態において、最大クラウン高さ４０４は、約０．２０インチ（５ｍｍ）より大きく、約０．３０インチ（７．５ｍｍ）より大きく、約０．４０インチ（１０ｍｍ）より大きく、約０．５０インチ（１２．５ｍｍ）より大きく、約０．６０インチ（１５ｍｍ）より大きく、約０．７０インチ（１７．５ｍｍ）より大きく、約０．８０インチ（２０ｍｍ）より大きく、約０．９０インチ（２２．５ｍｍ）より大きく、または約１．０インチ（２５ｍｍ）より大きくあり得る。さらに、他の実施形態では、最大クラウン高さは、０．２０インチ（５ｍｍ）〜０．６０インチ（１５ｍｍ）、０．４０インチ（１０ｍｍ）〜０．８０インチ（２０ｍｍ）、または０．６０インチ（１５ｍｍ）〜１．０インチ（２５ｍｍ）の範囲内であり得る。例えば、いくつかの実施形態では、最大クラウン高さ４０４は、約０．５２インチ（１３．３ｍｍ）、約０．５４インチ（１３．８ｍｍ）、約０．５９インチ（１５ｍｍ）、約０．６５インチ（１６．５ｍｍ）、または約０．７９インチ（２０ｍｍ）であり得る。
ｉｉ．遷移プロファイル
【０２１２】
多くの実施形態では、打撃面５０４からクラウン５１６、打撃面５０４からソール５１８、および／またはクラブヘッド５００のバックエンド５１０に沿ったクラウン５１６からソール５１８の遷移プロファイルは、スイング中のクラブヘッド５００上の空気抵抗に影響を与える。
【０２１３】
いくつかの実施形態では、クラウン遷移プロファイル５９０を画定する上部遷移境界と、後部遷移プロファイル５９６を画定する後部遷移境界とを有するクラブヘッド５００は、ソール遷移プロファイル６１０を画定するソール遷移境界をさらに含む。ソール遷移境界は、フロントエンド５０８とソール５１８との間でヒール５２０の近くからトウ５２２の近くまで延びる。ソール遷移境界は、Ｙ’Ｚ’平面に平行な平面に沿って見た側断面図から見たときのソール遷移プロファイル６１０を含む。側面断面図は、ヒール５２０の近くからトウ５２２の近くまでのクラブヘッド５００の任意の点に沿って取ることができる。ソール遷移プロファイル６１０は、クラブヘッド５００のフロントエンド５０８からソール遷移点６１４まで延びるソール曲率半径６１２を画定しており、ここで、クラブヘッド５００のフロントエンド５０８は輪郭が打撃面５０４の起伏範囲および／または膨らみ範囲から外れる部分であり、ソール遷移点６１４はソールの曲率半径６１２からソール５１８の曲率への曲率の変化を示す。いくつかの実施形態では、ソール曲率半径６１２は、ソール５１８付近の打撃面周囲５４２の底端６１３からソール遷移点６１４まで伸びる単一の曲率半径を含み、ソール５１８付近の打撃面周囲５４２の底端６１３は輪郭が起伏範囲および／または膨らみ範囲から外れる部分であり、ソール遷移点６１４はソールの曲率半径６１２からソール６１４の曲率への曲率の変化を示す。
【０２１４】
多くの実施形態では、クラウン遷移プロファイル５９０、ソール遷移プロファイル６１０、および後部遷移プロファイル５９６は、「空力抵抗を減少させるための遷移プロファイルを有するゴルフクラブヘッド」という名称の米国特許第１５／２３３，４８６号に記載されているクラウン遷移プロファイル、ソール遷移プロファイル、および後部遷移プロファイルと同様であり得る。さらに、フロント曲率半径５９２、ソール曲率半径６１２、およびバック曲率半径３９８は、「空力抵抗を減少させるための遷移プロファイルを有するゴルフクラブヘッド」という名称の米国特許第１５／２３３，４８６号に記載されている第１のクラウン側曲率半径、第１のソール側曲率半径、およびバック曲率半径と同様にすることができる。
【０２１５】
いくつかの実施形態では、フロント曲率半径５９２は、約０．１８〜０．３０インチ（０．４６〜０．７６ｃｍ）の範囲であり得る。さらに、他の実施形態では、フロント曲率半径５９２は、０．４０インチ（１．０２ｃｍ）未満、０．３７５インチ（０．９５ｃｍ）未満、０．３５インチ（０．８９ｃｍ）未満、０．３２５インチ（０．８３ｃｍ）未満、または０．３０インチ（０．７６ｃｍ）未満であり得る。例えば、フロント曲率半径５９２は、約０．１８インチ（０．４６ｃｍ）、０．２０インチ（０．５１ｃｍ）、０．２２インチ（０．６６ｃｍ）、０．２４インチ（０．６１ｃｍ）、０．２６インチ（０．６６ｃｍ）、０．２８インチ（０．７１ｃｍ）、または０．３０インチ（０．７６ｃｍ）であり得る。
【０２１６】
いくつかの実施形態では、ソール曲率半径６１２は、約０．２５〜０．５０インチ（０．７６〜１．２７ｃｍ）の範囲であり得る。例えば、ソール曲率半径６１２は、約０．５インチ（１．２７ｃｍ）未満、約０．４７５インチ（１．２１ｃｍ）未満、約０．４５インチ（１．１４ｃｍ）未満、約０．４２５インチ（１．０８ｃｍ）未満、または約０．４０インチ（１．０２ｃｍ）未満であり得る。さらなる例では、ソール曲率半径６１２は、約０．３０インチ（０．７６ｃｍ）、０．３５インチ（０．８９ｃｍ）、０．４０インチ（１．０２ｃｍ）、０．４５インチ（１．１４ｃｍ）、または０．５０インチ（１．２７ｃｍ）であり得る。
【０２１７】
いくつかの実施形態において、バック曲率半径５９８は、約０．１０〜０．２５インチ（０．２５〜０．６４ｃｍ）の範囲であり得る。例えば、バック曲率半径５９８は、約０．３インチ（０．７６ｃｍ）未満、約０．２７５インチ（０．７０ｃｍ）未満、約０．２５インチ（０．６４ｃｍ）未満、約０．２２５インチ（０．５７ｃｍ）未満または約０．２０インチ（０．５１ｃｍ）未満であり得る。さらなる例では、バック曲率半径５９８は、約０．１０インチ（０．２５ｃｍ）、０．１５インチ（０．３８ｃｍ）、０．２０インチ（０．５１ｃｍ）、または０．２５インチ（０．６４ｃｍ）であり得る。
ｉｉｉ．タービュレータ
【０２１８】
いくつかの実施形態では、クラブヘッド５００はさらに、「タービュレータ付きゴルフクラブヘッドおよびゴルフクラブヘッドを製造する方法」という名称のその内容が本願に完全に組み込まれている米国特許出願第１３／５３６，７５３号、２０１３年１２月１７日に付与された現在米国特許第８，６０８，５８７号に記載されているように、複数のタービュレータ６１４を含むことができる。多くの実施形態では、複数のタービュレータ６１４は、空気流を乱し、それによって境界層内に小さな渦または乱流を生じさせて、境界層にエネルギーを与え、スイング中にクラウン上での気流の分離を遅らせる。
【０２１９】
いくつかの実施形態では、複数のタービュレータ６１４は、クラブヘッド５００のクラウン遷移点７９４に隣接することができる。複数のタービュレータ６１４は、クラウン５１６の外面から突出し、クラブヘッド５００のフロントエンド５０８とバックエンド５１０との間に延びる長さ、およびクラブヘッド５００のヒール５２０からトウ５２２まで延びる幅を含む。多くの実施形態では、複数のタービュレータ６１４の長さは幅よりも大きい。いくつかの実施形態では、複数のタービュレータ６１４は同じ幅を含むことができる。いくつかの実施形態において、複数のタービュレータ６１４は、高さプロファイルが変化することができる。いくつかの実施形態では、複数のタービュレータ６１４は、クラウン５１６の前面と比較してクラウン５１６の頂点に向かって高くてもよい。他の実施形態では、複数のタービュレータ６１４は、クラウン５１６の前方に向かって高く、クラウン５１６の頂点に向かって高さが低くてもよい。他の実施形態では、複数のタービュレータ６１４は一定の高さプロファイルを含むことができる。さらに、多くの実施形態では、少なくとも１つのタービュレータの少なくとも一部が打撃面５０４とクラウン５１６の頂点との間に配置され、隣接するタービュレータ間の間隔は、隣接するタービュレータのそれぞれの幅よりも大きい。
ｉｖ．バックキャビティ
【０２２０】
いくつかの実施形態では、クラブヘッド５００は、クラブヘッド５００のバックエンド５１０および後縁部５２８に位置するキャビティ６２０をさらに含むことができる。いくつかの実施形態では、キャビティはクラブヘッド３００上のキャビティ４２０と同等であり得る。さらに、キャビティは、「ゴルフクラブヘッドと空気力学的特徴および関連する方法」という名称の米国特許出願第１４／８８２，０９２号に記載されているキャビティと同様である。多くの実施形態では、キャビティ６２０は、ゴルフクラブヘッド５００の後方で発生した渦をより小さな渦に砕き、乱気流のサイズを小さくし、および／または抗力を小さくすることができる。いくつかの実施形態では、渦をより小さな渦に分割することにより、ゴルフクラブヘッド５００の後方に高圧の領域を生成することができる。いくつかの実施形態では、この高圧領域はゴルフクラブヘッド５００を前方に押し出し、抗力を低減し、および／またはゴルフクラブヘッド５００の空力設計を向上させることができる。多くの実施形態では、より小さな渦と抗力の減少の正味の効果は、ゴルフクラブヘッド５００の速度の増加である。この効果は、ゴルフボールがインパクト後に打球面を離れる速度が速くなり、ボールの飛行距離が増大する可能性がある。
【０２２１】
多くの実施形態では、キャビティ６２０は、Ｘ’Ｚ’平面に垂直な方向に配向された、後壁４２２と同様の後壁６２２を含むことができ、さらに、ヒール５２０からトウ５２２への方向に測定された幅、深さ６２４（キャビティ４２０の深さ４２４と同様）、および高さ６２６（キャビティ４２０の高さ４２６と同様）を含むことができる。キャビティ６２０の幅は、約１．０インチ（約２．５４センチメートル）〜約８インチ（約２０．３２ｃｍ）、約１．０インチ（約２．５４ｃｍ）〜約２．２５インチ（約５．７２ｃｍ）、または約１．７５インチ（約４．５ｃｍ）〜約２．２５インチ（約５．７２ｃｍ）であり得る。例えば、キャビティ４２０の幅は、約２．０インチ（５．０８ｃｍ）、３．０インチ（７．６２ｃｍ）、４．０インチ（１０．１６ｃｍ）、５．０インチ（１２．７ｃｍ）、６．０インチ（１５．２４ｃｍ）、または７．０インチ（１７．７８ｃｍ）であり得る。いくつかの実施形態では、キャビティ６２０の幅は、キャビティ６２０の頂部付近（クラブヘッド５００のクラウン５１６に向かって）からキャビティ６２０の底部付近（クラブヘッド５００のソール５１８に向かって）まで一定のままであり得る。他の実施形態では、キャビティ６２０の幅は頂部付近から底部付近まで変化することができる。いくつかの実施形態では、キャビティの幅は頂部近くで最大で底部近くで最も小さくあり得る。他の実施形態では、キャビティの幅は任意の輪郭に従って変化し得る。例えば、他の実施形態では、キャビティの幅は、頂部、底部、中心部、またはキャビティの頂部から底部まで延びる他の任意の位置で最も長くすることができる。
【０２２２】
キャビティ６２０の深さ６２４は、約０．０２５インチ（約０．１２７ｃｍ）〜約０．２５０インチ（約０．６３５ｃｍ）、または約０．０２５インチ（約０．１２７ｃｍ）〜約０．１５０インチ（約０．３８１ｃｍ）とすることができる。例えば、キャビティ６２０の深さ６２４は、約０．１インチ（約０．２５４ｃｍ）、または約０．０５インチ（約０．１２７ｃｍ）であり得る。いくつかの実施形態では、キャビティの深さは、ヒールとトウの間および／またはキャビティの頂部と底部の間で一定のままであり得る。他の実施形態では、キャビティの深さは、ヒールとトウとの間および／またはキャビティの頂部と底部との間で変化することができる。例えば、キャビティの深さは、ヒール付近、トウ付近、クラウン付近、ソール付近、中心付近で、または記載された位置の任意の組み合わせで最大とすることができる。
【０２２３】
キャビティ６２０の高さ６２６は、クラウン５１６からソール５１８への方向に沿って測定することができる。キャビティ６２０の高さ６２６は、約０．１９インチ（約０．４８ｃｍ）〜約０．２１インチ（約０．５３ｃｍ）であり得る。いくつかの実施形態では、キャビティ８２０の高さ８２６は、約０．１０インチ（約０．２５ｃｍ）〜約０．５０インチ（約１．２７ｃｍ）であり得る。いくつかの実施形態では、キャビティ６２０の高さ６２６は、約０．１０インチ（約０．２５ｃｍ）〜約０．４０インチ（約１．０２ｃｍ）であり得る。いくつかの実施形態において、キャビティ６２０の高さ６２６は、約０．１０インチ（約０．２５ｃｍ）〜約０．３０インチ（約０．７６ｃｍ）であり得る。いくつかの実施形態において、キャビティ６２０の高さ６２６は、約０．１０インチ（約０．２５ｃｍ）〜約０．２０インチ（約０．５１ｃｍ）であり得る。いくつかの実施形態では、キャビティの高さは、キャビティのヒールとトウとの間で一定のままであり得る。他の実施形態では、キャビティの高さは、キャビティのヒールとトウとの間で変化することができる。例えば、キャビティの高さは、ヒール付近、トウ付近、中心付近で、または記載された位置の任意の組み合わせで最大であり得る。
ｖ．ホーゼル構造
【０２２４】
いくつかの実施形態において、ホーゼル構造５３０は、より大きい直径のホーゼル構造を有する同様のクラブヘッドと比較して、スイング中にクラブヘッド５００にかかる空気抵抗を低減するために、より小さい外径を有することができる。多くの実施形態において、ホーゼル構造５３０は、０．５４５インチ未満の外径を有する。例えば、ホーゼル構造５３０は、０．６０インチ未満、０．５９インチ未満、０．５８インチ未満、０．５７インチ未満、０．５６インチ未満、０．５５インチ未満、０．５４インチ未満、０．５３インチ未満、０．５２未満、０．５１インチ未満、または０．５０インチ未満の外径を有することができる。多くの実施形態において、ホーゼル構造５３０の外径は、クラブヘッド５００のロフト角および／またはライ角の調節可能性を維持しながら減少する。
ｖｉ．投影面積
【０２２５】
多くの実施形態では、クラブヘッド５００はさらに前面投影面積および側面投影面積を含む。前面投影面積は、図１に示すように、正面図から見えるとともにＸ’Ｙ’平面に投影されるクラブヘッド５００の面積である。側面投影面積は、側面図から見えるとともにＹ’Ｚ’平面に投影されるクラブヘッド５００の面積である。
【０２２６】
多くの実施形態では、クラブヘッド５００の前面投影面積は、０．００４００ｍ２〜０．００７００ｍ２の間とすることができる。例えば、図示の実施形態では、クラブヘッドの前面投影面積は、０．００６５５ｍ２である。他の実施形態では、前面投影面積は、０．００４００ｍ２〜０．００６６５ｍ２の間、０．００４００ｍ２〜０．００６７５ｍ２の間、０．００４００ｍ２〜０．００６８５ｍ２の間、または０．００４００ｍ２〜０．００６９５ｍ２の間であり得る。
【０２２７】
多くの実施形態において、クラブヘッド５００の側面投影面積は、０．００５００ｍ２〜０．００６５０ｍ２の間であり得る。例えば、図示の実施形態では、クラブヘッドの側面投影面積は、０．００５７９ｍ２である。他の実施形態では、側面投影面積は、０．００５４５ｍ２〜０．００５６５ｍ２の間、０．００５３５ｍ２〜０．００５７５ｍ２の間、０．００５２５ｍ２〜０．００５８５ｍ２の間、０．００５１５ｍ２〜０．００５９５ｍ２の間であり得る。
Ｃ．ＣＧ位置、慣性モーメント、および空気抵抗のバランス
【０２２８】
現在のゴルフクラブヘッド設計では、クラブヘッドの慣性モーメントおよび／またはヘッドＣＧ位置を増加または最大化することは、空気抵抗などのクラブヘッドの他の性能特性に悪影響を及ぼす可能性がある。本明細書に記載のクラブヘッド５００は、同時に空気抵抗を維持または低減しながら、クラブヘッドの慣性モーメントを増大または最大化する。したがって、インパクト性能特性（例えば、スピン、打ち出し角度、ボールスピード、および許容度）を改善したクラブヘッド５００はまた、スイング性能特性（例えば、空気抵抗、インパクト時にクラブヘッドをスクエアにする能力、およびスイング速度）のバランスし、または改善する。
【０２２９】
以下に説明するクラブヘッド３００および５００の例では、クラブヘッドの空気抵抗は、時速１０２マイル（ｍｐｈ）の空気速度で空気流内においてスクエアに向いたクラブヘッドのフロントエンドに対して計算流体力学シミュレーションを使用して測定される。他の実施形態では、空気抵抗は、風洞試験を用いるなどの他の方法を用いて測定することができる。
【０２３０】
多くの既知のゴルフクラブヘッドにおいて、クラブヘッドの慣性モーメントを増大させるかまたは最大にすることは空気抵抗に悪影響を及ぼす。図１０Ａ〜Ｃは、クラブヘッド３００またはクラブヘッド５００と同様の容量および／またはロフト角を有する多くの既知のクラブヘッドについて、クラブヘッドの慣性モーメントが増大するにつれて（クラブヘッドの許容度を増大させるため）、スイング中の抗力が増加することを示す（それによってスイングスピードとボールの飛行距離が減少する）。
【０２３１】
例えば、図１０Ａに示すように、多くの既知のクラブヘッドでは、ｘ軸周りの慣性モーメントが増加するにつれて、抗力が増加する。さらなる例として、図１０Ｂを参照すると、多くの既知のクラブヘッドについて、ｙ軸周りの慣性モーメントが増加するにつれて、抗力が増加する。さらなる例として、多くの既知のクラブヘッドについて、図１０Ｃを参照すると、合成慣性モーメント（すなわち、ｘ軸周りの慣性モーメントとｙ軸周りの慣性モーメントとの合計）が増加するにつれて、抗力が増加する。
【０２３２】
本明細書に記載のクラブヘッド３００、５００は、同様の容量および／またはロフト角を有する既知のクラブヘッドと比較して、同時に空気抵抗を維持または低減しながら、クラブヘッドの慣性モーメントを増大または最大化する。したがって、改善されたインパクト性能特性（例えば、スピン、打ち出し角度、ボールスピード、および許容度）を有するクラブヘッド３００、５００はまた、スイング性能特性（例えば、空気抵抗、インパクト時にクラブヘッドをスクエアにする能力、およびスイング速度）をバランスまたは改善する。
【０２３３】
多くの実施形態において、図１１に示すように、クラブヘッド３００、５００は、同様の容量および／またはロフト角を有する既知のゴルフクラブヘッドと比較して、クラブヘッドの抗力（ＦＤ）を維持または低減しながら、クラブヘッドの合成慣性モーメント（Ｉｘｘ＋Ｉｙｙ）が増大するように、以下の関係のうちの１つまたは複数を満たす。
【数３】
2019535416.tif 000005
【数４】
2019535416.tif 000006
【数５】
2019535416.tif 000007
【０２３４】
例えば、多くの実施形態では、クラブヘッド３００、５００は、関係３を満たし、９０００ｇ・ｃｍ２よりも大きい合成慣性モーメントを有する。他の実施形態では、クラブヘッド３００、５００は、関係３を満たすことができ、９０１０ｇ・ｃｍ２よりも大きい、９０２５ｇ・ｃｍ２よりも大きい、９０５０ｇ・ｃｍ２よりも大きい、９０７５ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、または１１０００ｇ・ｃｍ２よりも大きい、合成慣性モーメントを有することができる。
【０２３５】
さらなる例では、多くの実施形態では、クラブヘッド３００、５００は、関係３を満たし、１．１６ｌｂｆ未満の効力を有する。他の実施形態では、クラブヘッド３００、５００は、関係３を満たすことができ、１．１５ｌｂｆ未満、１．１０ｌｂｆ未満、１．００ｌｂｆ未満、０．９００ｌｂｆ未満、０．８００ｌｂｆ未満、０．７５ｌｂｆ未満、０．７００ｌｂｆ未満、０．６００ｌｂｆ未満、または０．５００ｌｂｆ未満の抗力を有することができる。
【０２３６】
さらなる例では、多くの実施形態では、クラブヘッド３００、５００は、関係４を満たし、９０００ｇ・ｃｍ２よりも大きい合成慣性モーメントを有する。他の実施形態では、クラブヘッド３００、５００は、関係４を満たすことができ、９０１０ｇ・ｃｍ２よりも大きい、９０２５ｇ・ｃｍ２よりも大きい、９０５０ｇ・ｃｍ２よりも大きい、９０７５ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、または１１０００ｇ・ｃｍ２よりも大きい、合成慣性モーメントを有することができる。
【０２３７】
さらなる例では、多くの実施形態では、クラブヘッド３００、５００は、関係４を満たし、１．１６ｌｂｆ未満の効力を有する。他の実施形態では、クラブヘッド３００、５００は、関係４を満たすことができ、１．１５ｌｂｆ未満、１．１０ｌｂｆ未満、１．００ｌｂｆ未満、０．９００ｌｂｆ未満、０．８００ｌｂｆ未満、０．７５ｌｂｆ未満、０．７００ｌｂｆ未満、０．６００ｌｂｆ未満、または０．５００ｌｂｆ未満の抗力を有することができる。
【０２３８】
さらなる例では、多くの実施形態では、クラブヘッド３００、５００は、関係５を満たし、９０００ｇ・ｃｍ２よりも大きい合成慣性モーメントを有する。他の実施形態では、クラブヘッド３００、５００は、関係５を満たすことができ、９０１０ｇ・ｃｍ２よりも大きい、９０２５ｇ・ｃｍ２よりも大きい、９０５０ｇ・ｃｍ２よりも大きい、９０７５ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、または１１０００ｇ・ｃｍ２よりも大きい、合成慣性モーメントを有することができる。
【０２３９】
さらなる例では、多くの実施形態では、クラブヘッド３００、５００は、関係５を満たし、１．１６ｌｂｆ未満の効力を有する。他の実施形態では、クラブヘッド３００、５００は、関係５を満たすことができ、１．１５ｌｂｆ未満、１．１０ｌｂｆ未満、１．００ｌｂｆ未満、０．９００ｌｂｆ未満、０．８００ｌｂｆ未満、０．７５ｌｂｆ未満、０．７００ｌｂｆ未満、０．６００ｌｂｆ未満、または０．５００ｌｂｆ未満の抗力を有することができる。
ｉ．ＣＧ位置と空気抵抗
【０２４０】
多くの既知のゴルフクラブヘッドでは、ゴルフボールの打ち出し角度を増大させるためおよび／またはクラブヘッドの慣性を増大させるためにＣＧ位置をさらに後方にシフトすることは、空気抵抗などのクラブヘッドの他の性能特性に悪影響を及ぼす可能性がある。図１２は、クラブヘッド３００またはクラブヘッド５００と同様の容量および／またはロフト角を有する多くの既知のクラブヘッドにおいて、クラブヘッドＣＧの深さが増加するにつれて（クラブヘッドの許容度および／または打ち出し角度を増加させるために）、スイング中の抗力が増加することを示す（それによってスイング速度およびボールの飛行距離が減少する）。例えば、図１２に示すように、多くの既知のクラブヘッドでは、ヘッドＣＧの深さが増加するにつれて、クラブヘッドに対する抗力が増加する。
【０２４１】
本明細書に記載のクラブヘッド３００、５００は、同様の容量および／またはロフト角を有する既知のクラブヘッドと比較して、同時に空気抵抗を維持または減少させながら、クラブヘッドのＣＧ深さを増大または最大化する。したがって、改善されたインパクト性能特性（例えば、スピン、打ち出し角度、ボールスピード、および許容度）を有するクラブヘッド３００、５００はまた、スイング性能特性（例えば、空気抵抗、インパクト時にクラブヘッドをスクエアにする能力、およびスイング速度）をバランスまたは改善する。
【０２４２】
多くの実施形態において、図１３に示すように、クラブヘッド３００、５００は、既知のゴルフクラブヘッドと比較して、クラブヘッドに対する抗力（ＦＤ）を維持または低減しながら、ヘッドＣＧ深さ（ＣＧＤ）が増大するように、以下の関係の１つまたは複数を満たす。
【数６】
2019535416.tif 000008
【数７】
2019535416.tif 000009
【数８】
2019535416.tif 000010
【０２４３】
例えば、多くの実施形態では、クラブヘッド３００、５００は、関係６を満たし、１．６５インチよりも大きいヘッドＣＧ深さを有する。他の実施形態では、クラブヘッド３００、５００は、関係６を満たすことができ、１．６０インチよりも大きい、１．６２インチよりも大きい、１．６４インチよりも大きい、１．６８インチよりも大きい、１．７０インチよりも大きい、１．７２インチよりも大きい、１．７４インチよりも大きい、１．７６インチよりも大きい、１．７８インチよりも大きい、１．８０インチよりも大きい、１．８５インチよりも大きい、または１．９０インチよりも大きい、ヘッドＣＧ深さを有することができる。
【０２４４】
さらなる例では、多くの実施形態では、クラブヘッド３００、５００は、関係６を満たし、１．１６ｌｂｆ未満の効力を有する。他の実施形態では、クラブヘッド３００、５００は、関係６を満たすことができ、１．１５ｌｂｆ未満、１．１０ｌｂｆ未満、１．００ｌｂｆ未満、０．９００ｌｂｆ未満、０．８００ｌｂｆ未満、０．７５ｌｂｆ未満、０．７００ｌｂｆ未満、０．６００ｌｂｆ未満、または０．５００ｌｂｆ未満の抗力を有することができる。
【０２４５】
さらなる例では、多くの実施形態では、クラブヘッド３００、５００は、関係７を満たし、９０００ｇ・ｃｍ２よりも大きい合成慣性モーメントを有する。他の実施形態では、クラブヘッド３００、５００は、関係７を満たすことができ、１．６０インチよりも大きい、１．６２インチよりも大きい、１．６４インチよりも大きい、１．６８インチよりも大きい、１．７０インチよりも大きい、１．７２インチよりも大きい、１．７４インチよりも大きい、１．７６インチよりも大きい、１．７８インチよりも大きい、１．８０インチよりも大きい、１．８５インチよりも大きい、または１．９０インチよりも大きい、ヘッドＣＧ深さを有することができる。
【０２４６】
さらなる例では、多くの実施形態では、クラブヘッド３００、５００は、関係７を満たし、１．１６ｌｂｆ未満の効力を有する。他の実施形態では、クラブヘッド３００、５００は、関係７を満たすことができ、１．１５ｌｂｆ未満、１．１０ｌｂｆ未満、１．００ｌｂｆ未満、０．９００ｌｂｆ未満、０．８００ｌｂｆ未満、０．７５ｌｂｆ未満、０．７００ｌｂｆ未満、０．６００ｌｂｆ未満、または０．５００ｌｂｆ未満の抗力を有することができる。
【０２４７】
さらなる例では、多くの実施形態では、クラブヘッド３００、５００は、関係８を満たし、９０００ｇ・ｃｍ２よりも大きい合成慣性モーメントを有する。他の実施形態では、クラブヘッド３００、５００は、関係８を満たすことができ、１．６０インチよりも大きい、１．６２インチよりも大きい、１．６４インチよりも大きい、１．６８インチよりも大きい、１．７０インチよりも大きい、１．７２インチよりも大きい、１．７４インチよりも大きい、１．７６インチよりも大きい、１．７８インチよりも大きい、１．８０インチよりも大きい、１．８５インチよりも大きい、または１．９０インチよりも大きい、ヘッドＣＧ深さを有することができる。
【０２４８】
さらなる例では、多くの実施形態では、クラブヘッド３００、５００は、関係８を満たし、１．１６ｌｂｆ未満の効力を有する。他の実施形態では、クラブヘッド３００、５００は、関係８を満たすことができ、１．１５ｌｂｆ未満、１．１０ｌｂｆ未満、１．００ｌｂｆ未満、０．９００ｌｂｆ未満、０．８００ｌｂｆ未満、０．７５ｌｂｆ未満、０．７００ｌｂｆ未満、０．６００ｌｂｆ未満、または０．５００ｌｂｆ未満の抗力を有することができる。
ｉｉ．慣性モーメントおよびＣＧ深さ
【０２４９】
図１４に示すように、多くの既知のゴルフクラブヘッドでは、合成慣性モーメントおよび／またはヘッドＣＧ深さが制限されている。例えば、クラブヘッド３００またはクラブヘッド５００と同様の容量および／またはロフト角を有する多くの既知のゴルフクラブヘッドは、１．６インチ未満のヘッドＣＧ深さおよび８９００ｇ・ｃｍ２未満の合成慣性モーメントを有する。本明細書に記載のクラブヘッド３００、５００は、同時に空気抵抗を維持または低減しながら、同様の容量および／またはロフト角を有する既知のクラブヘッドよりも大きなヘッドＣＧ深さおよび大きな合成慣性モーメントを有する。したがって、改善されたインパクト性能特性（例えば、スピン、打ち出し角度、ボールスピード、および許容度）を有するクラブヘッド３００、５００はまた、スイング性能特性（例えば、空気抵抗、インパクト時にクラブヘッドをスクエアにする能力、およびスイング速度）をバランスまたは改善する。
【０２５０】
例えば、多くの実施形態では、クラブヘッド３００、５００は、１．６５インチよりも大きいヘッドＣＧ深さおよび９０００ｇ・ｃｍ２よりも大きい合成慣性モーメントを有する。他の実施形態では、クラブヘッド３００、５００は、１．６０インチよりも大きい、１．６２インチよりも大きい、１．６４インチよりも大きい、１．６８インチよりも大きい、１．７０インチよりも大きい、１．７２インチよりも大きい、１．７４インチよりも大きい、１．７６インチよりも大きい、１．７８インチよりも大きい、１．８０インチよりも大きい、１．８５インチよりも大きい、または１．９０インチよりも大きい、ヘッドＣＧ深さを有することができる。さらに、他の実施形態では、クラブヘッド３００、５００は、９０１０ｇ・ｃｍ２よりも大きい、９０２５ｇ・ｃｍ２よりも大きい、９０５０ｇ・ｃｍ２よりも大きい、９０７５ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、または１１０００ｇ・ｃｍ２よりも大きい、合成慣性モーメントを有することができる。
ＩＩＩ．フェアウェイウッドタイプクラブヘッド
【０２５１】
別の実施形態によれば、ゴルフクラブヘッド７００はフェアウェイウッドタイプのクラブヘッドを含むことができる。多くの実施形態において、クラブヘッド７００は、クラブヘッド１００と同じまたは類似のパラメータを含み、パラメータは、クラブヘッド１００の参照番号に６００を加えた番号で記載されている。
【０２５２】
多くの実施形態において、クラブヘッド７００のロフト角は、約３５度未満、約３４度未満、約３３度未満、約３２度未満、約３１度未満、または約３０度未満である。さらに、多くの実施形態において、クラブヘッド７００のロフト角は、約１２度よりも大きい、約１３度よりも大きい、約１４度よりも大きい、約１５度よりも大きい、約１６度よりも大きい、約１７度よりも大きい、約１８度よりも大きい、約１９度よりも大きい、または約２０度よりも大きい。例えば、いくつかの実施形態では、クラブヘッド７００のロフト角は、１２度から３５度の間、１５度から３５度の間、２０度から３５度の間、または１２度から３０度の間であり得る。
【０２５３】
多くの実施形態では、クラブヘッド７００の容量は、約４００ｃｃ未満、約３７５ｃｃ未満、約３５０ｃｃ未満、約３２５ｃｃ未満、約３００ｃｃ未満、約２７５ｃｃ未満、約２７５ｃｃ未満、約２５０ｃｃ未満、約２２５ｃｃ未満、または約２００ｃｃ未満である。いくつかの実施形態では、クラブヘッドの容量は、約１５０ｃｃ〜２００ｃｃ、約１５０ｃｃ〜２５０ｃｃ、約１５０ｃｃ〜３００ｃｃ、約１５０ｃｃ〜３５０ｃｃ、約１５０ｃｃ〜４００ｃｃ、約２００ｃｃ〜３００ｃｃ、約２００ｃｃ〜３５０ｃｃ、約３００ｃｃ〜４００ｃｃ、約３２５ｃｃ〜４００ｃｃ、約３５０ｃｃ〜４００ｃｃ、約２５０ｃｃ〜４００ｃｃ、約２５０〜３５０ｃｃ、または約２７５〜３７５ｃｃであり得る。他の実施形態では、ゴルフクラブヘッド７００は、本明細書に記載されているようなロフト角および容量を有する任意の種類のゴルフクラブヘッドを含むことができる。
【０２５４】
多くの実施形態において、クラブヘッド７００の長さ７６２は、３．５インチから４．７５インチの間、４．０インチから４．８５インチの間、３．５インチから５．０インチの間、または４．０インチから４．５インチの間であり得る。多くの実施形態では、クラブヘッド７００の深さ７６０は、クラブヘッド７００の長さ７６２よりも少なくとも０．７０インチ小さい。例えば、多くの実施形態において、クラブヘッド７００の深さ７６０は、２．７５インチから４．５インチの間、３．０インチから４．０インチの間、３．０インチから３．７５インチの間、または３．０インチから４．８５インチの間であり得る。
【０２５５】
多くの実施形態では、クラブヘッド７００の高さ７６４は、約２．０インチ未満である。他の実施形態では、クラブヘッド７００の高さ７６４は、２．５インチ未満、２．４インチ未満、２．３インチ未満、２．２インチ未満、２．１インチ未満、１．９インチ未満、または１．８インチ未満である。例えば、いくつかの実施形態では、クラブヘッド７００の高さ７６４は、１．３〜１．７インチの間、１．５〜２．０インチの間、１．７５〜２．５インチの間、１．７５〜２．０インチの間、または２．０〜２．５インチの間であり得る。さらに、多くの実施形態では、クラブヘッドのフェース高さ７４４は、約０．５インチ（１２．７ｍｍ）から約２．０インチ（５０．８ｍｍ）の間であり得る。さらに、多くの実施形態では、クラブヘッド７００は、１８５グラムから２５０グラムの間の質量を含むことができる。
【０２５６】
クラブヘッド７００はさらに、ヘッドＣＧ位置、クラブヘッド慣性モーメント、および空力抵抗などの様々な追加パラメータのバランスを含み、改善されたインパクト性能特性（例えば、スピン、打ち出し角度、速度、許容度）および改善されたスイング性能特性（例えば、空気抵抗、インパクト時にクラブヘッドをスクエアにする能力）の両方を提供する。多くの実施形態において、以下に記載されるパラメータのバランスは、スイング性能特性を維持または改善しながら改善されたインパクト性能を提供する。さらに、多くの実施形態において、以下に記載されるパラメータのバランスは、インパクト性能特性を維持または改善しながら、改善されたスイング性能特性を提供する。
Ａ．重心位置と慣性モーメント
【０２５７】
多くの実施形態では、ヘッドＣＧからの距離が最大となるクラブヘッドの領域において、裁量のウエイトを増加させ、裁量のウエイトを再配置することによって、低く後方のクラブヘッドＣＧおよび高い慣性モーメントを達成することができる。ヘッドＣＧ位置に関して上述したように、クラウンを薄くすること、および／または最適化された材料を使用することによって、増加した裁量のウエイトを達成することができる。ヘッドＣＧからの距離を最大にするための裁量のウエイトの再配置は、ヘッドＣＧの位置に関して上述したように、取り外し可能なウエイト、埋め込みウエイト、または急なクラウン角度を使用して達成することができる。
【０２５８】
多くの実施形態では、クラブヘッド７００は、約１５００ｇ・ｃｍ２よりも大きい、約１６００ｇ・ｃｍ２よりも大きい、約１６００ｇ・ｃｍ２よりも大きい、約１６５０ｇ・ｃｍ２よりも大きい、約１７００ｇ・ｃｍ２よりも大きい、約１７５０ｇ・ｃｍ２よりも大きい、約１８００ｇ・ｃｍ２よりも大きい、約１８５０ｇ・ｃｍ２よりも大きい、約１９００ｇ・ｃｍ２よりも大きい、約１９５０ｇ・ｃｍ２よりも大きい、約２０００ｇ・ｃｍ２よりも大きい、約２１００ｇ・ｃｍ２よりも大きい、約２２００ｇ・ｃｍ２よりも大きい、約２３００ｇ・ｃｍ２よりも大きい、約２４００ｇ・ｃｍ２よりも大きい、約２５００ｇ・ｃｍ２よりも大きい、約２６００ｇ・ｃｍ２よりも大きい、約２７００ｇ・ｃｍ２よりも大きい、または約２８００ｇ・ｃｍ２よりも大きい、クラウン−ソール慣性モーメントＩｘｘを含む。
【０２５９】
多くの実施形態では、クラブヘッド７００は、約３０００ｇ・ｃｍ２よりも大きい、約３１００ｇ・ｃｍ２よりも大きい、約３２００ｇ・ｃｍ２よりも大きい、約３２５０ｇ・ｃｍ２よりも大きい、約３３００ｇ・ｃｍ２よりも大きい、約３４００ｇ・ｃｍ２よりも大きい、約３５００ｇ・ｃｍ２よりも大きい、約３６００ｇ・ｃｍ２よりも大きい、約３７５０ｇ・ｃｍ２よりも大きい、約４０００ｇ・ｃｍ２よりも大きい、約４２５０ｇ・ｃｍ２よりも大きい、約４５００ｇ・ｃｍ２よりも大きい、約４７５０ｇ・ｃｍ２よりも大きい、約５０００ｇ・ｃｍ２よりも大きい、約５２５０ｇ・ｃｍ２よりも大きい、約５５００ｇ・ｃｍ２よりも大きい、約５７５０ｇ・ｃｍ２よりも大きい、約６０００ｇ・ｃｍ２よりも大きい、約６２５０ｇ・ｃｍ２よりも大きい、約６５００ｇ・ｃｍ２よりも大きい、約６７５０ｇ・ｃｍ２よりも大きい、または約７０００ｇ・ｃｍ２よりも大きい、ヒール−トウ慣性モーメントＩｙｙを含む。
【０２６０】
多くの実施形態では、クラブヘッド７００は、４９００ｇ・ｃｍ２よりも大きい、４９５０ｇ・ｃｍ２よりも大きい、５０００ｇ・ｃｍ２よりも大きい、５１００ｇ・ｃｍ２よりも大きい、５２００ｇ・ｃｍ２よりも大きい、５３００ｇ・ｃｍ２よりも大きい、５４００ｇ・ｃｍ２よりも大きい、５５００ｇ・ｃｍ２よりも大きい、５６００ｇ・ｃｍ２よりも大きい、５７００ｇ・ｃｍ２よりも大きい、５８００ｇ・ｃｍ２よりも大きい、５９００ｇ・ｃｍ２よりも大きい、または６０００ｇ・ｃｍ２よりも大きい、合成慣性モーメント（すなわち、クラウン−ソール慣性モーメントＩｘｘとヒール−トウ慣性モーメントｌｙｙとの合計）を含む。
【０２６１】
多くの実施形態において、クラブヘッド７００は、約０．５０インチ未満、約０．４７５インチ未満、約０．４５インチ未満、約０．４２５インチ未満、約０．４０インチ未満、約０．３５インチ未満、約０．３０インチ未満、約０．２５インチ未満、約０．２０インチ未満、０．１５インチ未満、または０．１０インチ未満のヘッドＣＧ高さ７７４を含む。さらに、多くの実施形態では、クラブヘッド７００は、約０．５０インチ未満、約０．４７５インチ未満、約０．４５インチ未満、約０．４２５インチ未満、約０．４０インチ未満、約０．３５インチ未満、約０．３０インチ未満、または約０．２５インチ未満の絶対値を有するヘッドＣＧ高さ７７４を含む。
【０２６２】
多くの実施形態において、クラブヘッド７００は、約１．０インチよりも大きい、約１．１インチよりも大きい、約１．２２インチよりも大きい、約１．２インチよりも大きい、約１．３インチよりも大きい、約１．４インチよりも大きい、約１．５インチよりも大きい、約１．６インチよりも大きい、約１．７インチよりも大きい、または約１．８インチよりも大きいヘッドＣＧ深さ７７２を含む。
【０２６３】
減少したヘッドＣＧ高さ７７４を有するクラブヘッド７００は、より高いヘッドＣＧ高さを有する同様のクラブヘッドと比較して、インパクト時のゴルフボールのバックスピンを減少させることができる。多くの実施形態では、バックスピンを減少させると、クラブヘッドの性能を向上させるために、ボール速度と飛行距離の両方を増加させることができる。さらに、ヘッドＣＧ深さ７７２を増大させたクラブヘッド７００は、打球面により近いヘッドＣＧの深さを有する同様のクラブヘッドと比較して、ヒール−トウ慣性モーメントを増大させることができる。ヒール−トウ慣性モーメントを大きくすると、クラブヘッドの性能を向上させるためのインパクト時のクラブヘッドの許容度を高めることができる。さらにまた、ヘッドＣＧ深さ７７２が増大したクラブヘッド７００は、打球面により近いヘッドＣＧの深さを有する同様のクラブヘッドと比較して、打球時のクラブヘッドの動的ロフトを増大させることによって、インパクト時のゴルフボールの打ち出し角度を増大させることができる。
【０２６４】
ヘッドＣＧ高さ７７４および／またはヘッドＣＧ深さ７７２は、様々な領域でクラブヘッドの重量を減らし、それによって裁量のウエイトを増やし、ヘッドＣＧをより低くより後方にシフトするためにクラブヘッドの戦略的な領域で裁量のウエイトを変えることによって達成できる。クラブヘッドの重量を減少させて再配置するための様々な手段が以下に説明される。
ｉ．薄い領域
【０２６５】
いくつかの実施形態では、ヘッドＣＧ高さ７７４および／またはヘッドＣＧ深さ７７２は、クラブヘッドの様々な領域を薄くして余分なウエイトを取り除くことによって達成することができる。余分なウエイトを除去すると、所望の低く後方のクラブヘッドＣＧ位置を達成するためにクラブヘッド７００の領域に戦略的に再配置することができる増加した裁量のウエイトがもたらされる。
【０２６６】
多くの実施形態では、クラブヘッド７００は１つまたは複数の薄い領域を有することができる。１つまたは複数の薄い領域は、クラブヘッド３００の１つまたは複数の薄い領域３７６と、またはクラブヘッド５００の１つまたは複数の薄い領域と類似または同一であり得る。１つまたは複数の薄い領域は、打撃面７０４、本体７０２、または打撃面７０４と本体７０２の組み合わせ上に配置することができる。さらに、１つまたは複数の薄い領域は、クラウン７１６、ソール７１８、ヒール７２０、トウ７２２、フロントエンド７０８、バックエンド７１０、スカート７２８または記載された位置の任意の組み合わせを含む本体７０２の任意の領域に配置することができる。例えば、いくつかの実施形態では、１つまたは複数の薄い領域をクラウン７１６上に配置することができる。さらなる例では、１つまたは複数の薄い領域は、打撃面７０４とクラウン７１６の組み合わせ上に配置することができる。さらなる例では、１つまたは複数の薄い領域は、打撃面７０４、クラウン７１６、およびソール７１８の組み合わせ上に配置することができる。さらなる例では、本体７０２全体および／または打撃面７０４全体が薄い領域を含むことができる。
【０２６７】
１つまたは複数の薄い領域が打撃面７１６上に配置される実施形態では、打撃面７０４の厚さは、最大打撃面厚さおよび最小打撃面厚さを変化し得る。これらの実施形態では、最小打撃面厚さは、０．１０インチ未満、０．０９インチ未満、０．０８インチ未満、０．０７インチ未満、０．０６インチ未満、０．０５インチ未満、０．０４インチ未満、０．０３インチ未満、または０．０２インチ未満であり得る。これらまたは他の実施形態では、最大打撃面厚さは、０．２０インチ未満、０．１９インチ未満、０．１８インチ未満、０．１７インチ未満、０．１６インチ未満、０．１５インチ未満、０．１４インチ未満、０．１３インチ未満０．１２インチ未満、０．１１インチ未満、または０．１０インチ未満であり得る。
【０２６８】
１つまたは複数の薄い領域が本体３０２上に配置されている実施形態では、薄い領域は約０．０２２インチ未満の厚さを含むことができる。他の実施形態では、薄い領域は、０．０２５インチ未満、０．０２０インチ未満、０．０１９インチ未満、０．０１８インチ未満、０．０１７インチ未満、０．０１６インチ未満、０．０１５インチ未満、０．０１４インチ未満、０．０１３インチ未満、０．０１２インチ未満、または０．０１０インチ未満の厚さを含む。例えば、薄い領域は、約０．０１０〜０．０２５インチ、約０．０１３〜０．０２２インチ、約０．０１４〜０．０２０インチ、約０．０１５〜０．０２０インチ、約０．０１６〜０．０２０インチ、約０．０１７〜０．０２０インチ、または約０．０１８−０．０２０インチの厚さを含むことができる。
【０２６９】
図示の実施形態では、薄い領域は形状および位置が異なり、クラブヘッド７００の表面積の約２５％を覆っている。他の実施形態では、薄い領域は、クラブヘッド７００の表面積の約２０〜３０％、約１５〜３５％、約１５〜２５％、約１０〜２５％、約１５〜３０％、または約２０〜５０％を覆うことができる。さらに、他の実施形態では、薄い領域は、クラブヘッド７００の表面積の最大５％、最大１０％、最大１５％、最大２０％、最大２５％、最大３０％、最大３５％、最大４０％、最大４５％、または最大５０％までをカバーすることができる。
【０２７０】
多くの実施形態では、クラウン７１６は、クラウンの表面積の約５１％が薄い領域を含むように、１つまたは複数の薄い領域を含む。他の実施形態では、クラウン７１６は、クラウンの最大２０％、最大２５％、最大３０％、最大３５％、最大４０％、最大４５％、最大４５％、最大５０％、最大５５％、最大６０％、最大６５％、最大７０％、最大７５％、最大８０％、最大８５％、または最大９０％、が薄い領域を含むように、１つまたは複数の薄い領域を含む。例えば、いくつかの実施形態では、クラウンの約４０〜６０％が薄い領域を含むことができる。さらなる例では、他の実施形態では、クラウンの約５０〜１００％、約４０〜９０％、約３５〜６５％、約３０〜７０％、または約２５〜７５％が薄い領域を含むことができる。いくつかの実施形態では、クラウン７１６は１つまたは複数の薄い領域を含むことができ、１つまたは複数の薄い領域のそれぞれは勾配をつけて薄くなっている。この例示的な一実施形態では、クラウン７１６の１つまたは複数の薄い領域は、ヒール−トウ方向に延び、１つまたは複数の薄い領域のそれぞれは、打撃面７０４からバックエンド７１０に向かう方向に厚さが減少している。
【０２７１】
多くの実施形態では、ソール７１８の表面積の約６４％が薄い領域を含むように、ソール７１８は１つまたは複数の薄い領域を含む。他の実施形態では、ソール７１８は、ソール７１８の最大２０％、最大２５％、最大３０％、最大３５％、最大４０％、最大４５％、最大４５％、最大５０％、最大５５％、最大６０％、最大６５％、最大７０％、最大７５％、最大８０％、最大８５％、または最大９０％が薄い領域を含むように、１つまたは複数の薄い領域を含むことができる。例えば、いくつかの実施形態では、ソール７１８の約４０〜６０％が薄い領域を含むことができる。さらなる例では、他の実施形態では、ソール７１８の約５０〜１００％、約４０〜９０％、約３５〜６５％、または約３０〜７０％、または約２５〜７５％が薄い領域を含むことができる。
【０２７２】
薄い領域は、円形、三角形、正方形、長方形、卵形、または少なくとも１つの曲面を有する任意の他の多角形もしくは形状などの任意の形状を含むことができる。さらに、１つまたは複数の薄い領域は、残りの薄い領域と同じ形状、または異なる形状を含むことができる。
【０２７３】
多くの実施形態では、薄い領域を有するクラブヘッド７００は遠心鋳造を用いて製造することができる。これらの実施形態では、遠心鋳造は、クラブヘッド７００が従来の鋳造を使用して製造されたクラブヘッドよりも薄い壁を有することを可能にする。他の実施形態では、薄い領域を有するクラブヘッド７００の部分は、打ち抜き加工、鍛造加工、または機械加工などの他の適切な方法を使用して製造することができる。薄い領域を有するクラブヘッド７００の部分が打ち抜き加工、鍛造加工、または機械加工を使用して製造される実施形態では、クラブヘッド７００の部分は、エポキシ、テープ、溶接、機械的締結具、または他の適切な方法を使用して結合され得る。
ｉｉ．最適化された材料
【０２７４】
いくつかの実施形態では、打撃面７０４および／または本体７０２は、増加した比強度および／または増加した比可撓性を有する最適化された材料を含み得る。比可撓性は、最適化された材料の弾性率に対する降伏強度の比として測定される。比強度および／または比可撓性を増大させると、耐久性を維持しながらクラブヘッドの一部を薄くすることができる。
【０２７５】
いくつかの実施形態では、打撃面７０４の第１の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第１の材料は、約９００，０００ＰＳＩ／ｌｂ／ｉｎ３（２２４ＭＰａ／ｇ／ｃｍ３）以上、約９１０，０００ＰＳＩ／ｌｂ／ｉｎ３（２２７ＭＰａ／ｇ／ｃｍ３）以上、約９２０，０００ＰＳＩ／ｌｂ／ｉｎ３（２２９ＭＰａ／ｇ／ｃｍ３）以上、約９３０，０００ＰＳＩ／ｌｂ／ｉｎ３（２３２ＭＰａ／ｇ／ｃｍ３）以上、約９４０，０００ＰＳＩ／ｌｂ／ｉｎ３（２３４ＭＰａ／ｇ／ｃｍ３）以上、約９５０，０００ＰＳＩ／ｌｂ／ｉｎ３（２３７ＭＰａ／ｇ／ｃｍ３）以上、約９６０，０００ＰＳＩ／ｌｂ／ｉｎ３（２３９ＭＰａ／ｇ／ｃｍ３）以上、約９７０，０００ＰＳＩ／ｌｂ／ｉｎ３（２４２ＭＰａ／ｇ／ｃｍ３）以上、約９８０，０００ＰＳＩ／ｌｂ／ｉｎ３（２４４ＭＰａ／ｇ／ｃｍ３）以上、約９９０，０００ＰＳＩ／ｌｂ／ｉｎ３（２４７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、または約１，１５０，０００ＰＳＩ／ｌｂ／ｉｎ３（２８６ＭＰａ／ｇ／ｃｍ３）以上の比強度を有することができる。
【０２７６】
さらに、これらまたは他の実施形態では、最適化チタン合金を含む第１の材料は、約０．００７５以上、約０．００８０以上、約０．００８５以上、約０．００９０以上、約０．００９１以上、約０．００９２以上、約０．００９３以上、約０．００９４以上、約０．００９５以上、約０．００９６以上、約０．００９７以上、約０．００９８以上、約０．００９９以上、約０．０１００以上、約０．０１０５以上、約０．０１１０以上、約０．０１１５以上、または約０．０１２０以上の比可撓性を有することができる。
【０２７７】
これらまたは他の実施形態では、最適化スチール合金を含む第１の材料は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）以上、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）以上、約８１０，０００ＰＳＩ／ｌｂ／ｉｎ３（２０２ＭＰａ／ｇ／ｃｍ３）以上、約８２０，０００ＰＳＩ／ｌｂ／ｉｎ３（２０４ＭＰａ／ｇ／ｃｍ３）以上、約８３０，０００ＰＳＩ／ｌｂ／ｉｎ３（２０７ＭＰａ／ｇ／ｃｍ３）以上、約８４０，０００ＰＳＩ／ｌｂ／ｉｎ３（２０９ＭＰａ／ｇ／ｃｍ３）以上、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、約１，１１５，０００ＰＳＩ／ｌｂ／ｉｎ３（２７８ＭＰａ／ｇ／ｃｍ３）以上、または約１，１２０，０００ＰＳＩ／ｌｂ／ｉｎ３（２７９ＭＰａ／ｇ／ｃｍ３）以上の比強度を有することができる。
【０２７８】
さらに、これらまたは他の実施形態では、最適化スチール合金を含む第１の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０２７９】
これらの実施形態では、最適化された第１の材料の増加した比強度および／または増加した比可撓性は、耐久性を維持しながら、上述のように打撃面７０４またはその一部を薄くすることを可能にする。打撃面７０４を薄くすることにより、打撃面７０４のウエイトを減らすことができ、それによってクラブヘッド７００の他の領域に戦略的に配置される裁量のウエイトが増加し、これにより、ヘッドＣＧが低く後方に配置され、および／またはクラブヘッドの慣性モーメントが大きくなる。
【０２８０】
いくつかの実施形態では、本体７０２の第２の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第２の材料は、約７３０，５００ＰＳＩ／ｌｂ／ｉｎ３（１８２ＭＰａ／ｇ／ｃｍ３）以上の比強度を有することができる。例えば、最適化チタン合金の比強度は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上。または約１，１００，０００ＰＳＩ／ｌｂ／ｉｎ３（２７２ＭＰａ／ｇ／ｃｍ３）以上であり得る。
【０２８１】
さらに、これらまたは他の実施形態では、最適化チタン合金を含む第２の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、または約０．０１２０以上の比可撓性を有することができる。
【０２８２】
これらまたは他の実施形態では、最適化スチールを含む第２の材料は、約５００，０００ＰＳＩ／ｌｂ／ｉｎ３（１２５ＭＰａ／ｇ／ｃｍ３）以上、約５１０，０００ＰＳＩ／ｌｂ／ｉｎ３（１２７ＭＰａ／ｇ／ｃｍ３）以上、約５２０，０００ＰＳＩ／ｌｂ／ｉｎ３（１３０ＭＰａ／ｇ／ｃｍ３）以上、約５３０，０００ＰＳＩ／ｌｂ／ｉｎ３（１３２ＭＰａ／ｇ／ｃｍ３）以上、約５４０，０００ＰＳＩ／ｌｂ／ｉｎ３（１３５ＭＰａ／ｇ／ｃｍ３）以上、約５５０，０００ＰＳＩ／ｌｂ／ｉｎ３（１３７ＭＰａ／ｇ／ｃｍ３）以上、約５６０，０００ＰＳＩ／ｌｂ／ｉｎ３（１３９ＭＰａ／ｇ／ｃｍ３）以上、約５７０，０００ＰＳＩ／ｌｂ／ｉｎ３（１４２ＭＰａ／ｇ／ｃｍ３）以上、約５８０，０００ＰＳＩ／ｌｂ／ｉｎ３（１４４ＭＰａ／ｇ／ｃｍ３）以上、約５９０，０００ＰＳＩ／ｌｂ／ｉｎ３（１４７ＭＰａ／ｇ／ｃｍ３）以上、約６００，０００ＰＳＩ／ｌｂ／ｉｎ３（１４９ＭＰａ／ｇ／ｃｍ３）以上、約６２５，０００ＰＳＩ／ｌｂ／ｉｎ３（１５６ＭＰａ／ｇ／ｃｍ３）以上、約６７５，０００ＰＳＩ／ｌｂ／ｉｎ３（１６８ＭＰａ／ｇ／ｃｍ３）以上、約７２５，０００ＰＳＩ／ｌｂ／ｉｎ３（１８１ＭＰａ／ｇ／ｃｍ３）以上、約７７５，０００ＰＳＩ／ｌｂ／ｉｎ３（１９３ＭＰａ／ｇ／ｃｍ３）以上、約８２５，０００ＰＳＩ／ｌｂ／ｉｎ３（２０５ＭＰａ／ｇ／ｃｍ３）以上、約８７５，０００ＰＳＩ／ｌｂ／ｉｎ３（２１８ＭＰａ／ｇ／ｃｍ３）以上、約９２５，０００ＰＳＩ／ｌｂ／ｉｎ３（２３０ＭＰａ／ｇ／ｃｍ３）以上、約９７５，０００ＰＳＩ／ｌｂ／ｉｎ３（２４３ＭＰａ／ｇ／ｃｍ３）以上、約１，０２５，０００ＰＳＩ／ｌｂ／ｉｎ３（２５５ＭＰａ／ｇ／ｃｍ３）以上、約１，０７５ＰＳＩ／ｌｂ／ｉｎ３（２６８ＭＰａ／ｇ／ｃｍ３）、または約１，１２５，０００ＰＳＩ／ｌｂ／ｉｎ３（２８０ＭＰａ／ｇ／ｃｍ３）以上の比強度を有することができる。
【０２８３】
さらに、これらまたは他の実施形態では、最適化スチールを含む第２の材料は、約０．００６０以上、約０．００６２以上、約０．００６４以上、約０．００６６以上、約０．００６８以上、約０．００７０以上、約０．００７２以上、約０．００７６以上、約０．００８０以上、約０．００８４以上、約０．００８８以上、約０．００９２以上、約０．００９６以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０２８４】
これらの実施形態では、最適化された第２の材料の増加した比強度および／または増加した比可撓性は、耐久性を維持しながら、本体７０２またはその一部を薄くすることを可能にする。本体７０２を薄くすると、クラブヘッドのウエイトを減らすことができ、それによってクラブヘッド７００の他の領域に戦略的に配置する裁量のウエイトが増加し、これにより、ヘッドＣＧが低く後方に配置され、および／またはクラブヘッドの慣性モーメントが大きくなる。
ｉｉｉ．取り外し可能なウエイト
【０２８５】
いくつかの実施形態では、クラブヘッド７００は、１つまたは複数の取り外し可能なウエイト７８２を含む１つまたは複数のウエイト構造７８０を含むことができる。１つ以上のウエイト構造７８０および／または１つ以上の取り外し可能なウエイト７８２は、ソール７１８およびバックエンド７１０に向かって配置することができ、それによって裁量のウエイトをソール７１８およびクラブヘッドのバックエンド７１０の近くに位置決めすることができ、低く後方のヘッドＣＧ位置が達成される。多くの実施形態では、１つまたは複数のウエイト構造７８０は、１つまたは複数の取り外し可能なウエイト７８２を取り外し可能に受け入れる。これらの実施形態では、１つまたは複数の取り外し可能なウエイト７８２を、ねじ付きファスナー、接着剤、磁石、スナップフィット、または１つまたは複数の取り外し可能なウエイトを１つまたは複数のウエイト構造に固定可能な他の任意の機構などの任意の適切な方法を使用して１つまたは複数のウエイト構造７８０に結合することができる。
【０２８６】
ウエイト構造７８０および／または取り外し可能なウエイト７８２は、上面図から見たときに打撃面７０４に対して整列させることができるクロックグリッド２０００（図３に示される）に対して配置することができる。クロックグリッドは、少なくとも１２時の放射線、３時の放射線、４時の放射線、５時の放射線、６時の放射線、７時の放射線、８時の放射線、および９時の放射線を含む。例えば、クロックグリッド２０００は、打撃面７０４の幾何学的中心７４０と位置合わせされた１２時の放射線２０１２を含む。１２時の放射線２０１２は、Ｘ’Ｙ’平面に直交する。クロックグリッド２０００の中心は、１２時の放射線２０１２に沿ってクラブヘッド７００のフロントエンド７０８とバックエンド７１０との間の中点に配置することができる。同じまたは他の例では、底面図から見たときに、クロックグリッド中心点２０１０をゴルフクラブヘッド７００の幾何学的中心点に近接して中心に置くことができる。クロックグリッド２０００はまた、ヒール７２０に向かって延びる３時の放射線２００３と、クラブヘッド７００のトウ７２２に向かって延びる９時の放射線２００９とを含む。
【０２８７】
ウエイト構造７８０のウエイト周囲７８４は、本実施形態ではバックエンド７１０に向かって配置され、クロックグリッド２０００の４時の放射線２００４と８時の放射線２００８との間に少なくとも部分的に境界が定められており、一方で、ウエイト構造７８０内に配置された取り外し可能なウエイト７８２は、５時の放射線２００５と７時の放射線２００７との間に配置されている。本例のような例では、ウエイト周囲７８４は、４時の放射線２００４と８時の放射線２００８との間に完全に囲まれている。この例では、ウエイト周囲７８４はクラブヘッド７００の外部に画定されているが、ウエイト周囲７８４がクラブヘッド７００の内部に延びる、またはクラブヘッド７００内に画定され得る他の例があり得る。いくつかの例では、ウエイト構造７８０の位置は、より広い領域に対して確立することができる。例えば、そのような例では、ウエイト構造７８０のウエイト周囲７８４は、クロックグリッド２０００の４時の放射線２００４と９時の放射線２００９との間に少なくとも部分的に境界を定められたバックエンドに向かって配置されることができ、一方で、ウエイト中心７８６は、５時の放射線２００５と８時の放射線２００８との間に位置し得る。
【０２８８】
この例では、ウエイト構造７８０は、ソール７１８の外部輪郭から突き出ており、したがって、ヘッドＣＧ７７０のより大きな調整を可能にするために少なくとも部分的に外部にある。いくつかの例では、ウエイト構造７８０は、約２グラム〜約５０グラムの質量、および／または約１ｃｃ〜約３０ｃｃの容量を含むことができる。他の例では、ウエイト構造７８０は、本体７０２の外部輪郭と同一平面上に留まることができる。
【０２８９】
多くの実施形態では、取り外し可能なウエイト７８２は、約０．５グラム〜約３０グラムの質量を含むことができ、ヘッドＣＧ７７０の位置を調整するために１つまたは複数の他の同様の取り外し可能なウエイトと置き換えることができる。同じまたは他の例では、ウエイト中心７８６は、取り外し可能なウエイト７８２の重心、および／または取り外し可能なウエイトの幾何学的中心７８２のうちの少なくとも１つを含むことができる。
ｉｖ．埋め込みウエイト
【０２９０】
いくつかの実施形態では、クラブヘッド７００は、裁量のウエイトをソール７１８上、スカート７２８内、および／またはクラブヘッド７００のバックエンド７１０の近くに配置して低く後方のヘッドＣＧ位置を達成するために、１つまたは複数の埋め込みウエイトを含むことができる。クラブヘッド７００の１つまたは複数の埋め込みウエイトは、クラブヘッド３００の１つまたは複数の埋め込みウエイト３８３と、またはクラブヘッド５００の１つまたは複数の埋め込みウエイトと同様または同一であり得る。多くの実施形態では、１つまたは複数の埋め込みウエイトは、クラブヘッド７００にまたはクラブヘッド７００内に恒久的に固定されている。これらの実施形態では、埋め込みウエイトは、「埋め込み高密度鋳造」と題された米国仮特許出願第６２／３７２，８７０号に記載されている高密度金属片（ＨＤＭＰ）と同様であり得る。
【０２９１】
多くの実施形態では、１つまたは複数の埋め込みウエイトは、クラブヘッドのバックエンド７１０の近くに配置されている。例えば、埋め込みウエイトのウエイト中心は、クロックグリッド２０００の５時の放射線２００５と８時の放射線２００８の間に位置することができる。多くの実施形態において、１つまたは複数の埋め込みウエイトは、スカート７２８上でクラブヘッド７００のバックエンド７１０付近、ソール７１８上でクラブヘッド７００のバックエンド７１０付近、またはスカート７２８上およびソール７１８上でクラブヘッド７００のバックエンド７１０付近に配置することができる。
【０２９２】
多くの実施形態では、１つまたは複数の埋め込みウエイトのウエイト中心は、上面図から見たとき、クラブヘッド７００の周囲の０．１０インチ以内、０．２０インチ以内、０．３０インチ以内、０．４０インチ以内、０．５０インチ以内、０．６０インチ以内、０．７０インチ以内、０．８０インチ以内、０．９０インチ以内、１．０インチ以内、１．１インチ以内、１．２インチ以内、１．３インチ以内、１．４インチ以内、または１．５インチ以内に配置される。これらの実施形態では、埋め込みウエイトがクラブヘッド７００の周囲に近接していることにより、低く後方のヘッドＣＧ位置、クラウン−ソール慣性モーメントＩｘｘ、および／またはヒール−トウ慣性モーメントＩｙｙを最大化することができる。
【０２９３】
多くの実施形態では、１つ以上の埋め込みウエイトのウエイト中心は、ヘッドＣＧ７７０から１．６インチよりも大きい、１．７インチよりも大きい、１．８インチよりも大きい、１．９インチよりも大きい、２．０インチよりも大きい、２．１インチよりも大きい、２．２インチよりも大きい、２．３インチよりも大きい、２．４インチよりも大きい、２．５インチよりも大きい、２．６インチよりも大きい、２．７インチよりも大きい、２．８インチよりも大きい、２．９インチよりも大きい、または３．０インチよりも大きい距離に配置される。
【０２９４】
多くの実施形態では、１つまたは複数の埋め込みウエイトのウエイト中心は、打撃面７０４の幾何学的中心７４０から４．０インチよりも大きい、４．１インチよりも大きい、４．２インチよりも大きい、４．３インチよりも大きい、４．４インチよりも大きい、４．５インチよりも大きい、４．６インチよりも大きい、４．７インチよりも大きい、４．８インチよりも大きい、４．９インチよりも大きい、または５．０インチよりも大きい距離に配置される。
【０２９５】
多くの実施形態で、１つ以上の埋め込みウエイトは、３．０〜９０グラムの質量を含み得る。例えば、いくつかの実施形態では、１つまたは複数の埋め込みウエイトは、３．０〜２５グラム、１０〜４０グラム、２０〜５０グラム、３０〜６０グラム、４０〜７０グラム、５０〜８０グラム、または６０〜９０グラムの質量を含むことができる。１つまたは複数の埋め込みウエイトが２つ以上のウエイトを含む実施形態では、埋め込みウエイトのそれぞれは同じまたは異なる質量を含むことができる。
【０２９６】
多くの実施形態では、１つまたは複数の埋め込みウエイトは、１０．０から２２．０の間の比重を有する材料を含むことができる。例えば、多くの実施形態では、１つまたは複数の埋め込みウエイトは、１０．０より大きい、１１．０より大きい、１２．０より大きい、１３．０より大きい、１４．０より大きい、１５．０より大きい、１６．０より大きい、１６．０より大きい、１７．０より大きい、１８．０より大きい、または１９．０より大きい比重を有する材料を含むことができる。１つまたは複数の埋め込みウエイトが２つ以上のウエイトを含む実施形態では、埋め込みウエイトのそれぞれは同じまたは異なる材料を含むことができる。
ｖ．急なクラウン角度
【０２９７】
いくつかの実施形態では、ゴルフクラブヘッド７００は、ヘッドＣＧの低く後方の位置を達成するために急なクラウン角度７８８をさらに含むことができる。急なクラウン角度７８８は、クラウン７１６のバックエンドをソール７１８または地面に向かって位置決めし、それによってクラブヘッドＣＧ位置を下げる。
【０２９８】
クラウン角度７８８は、クラウン軸１０９０と前面１０２０との間の鋭角として測定される。これらの実施形態では、クラウン軸１０９０は、接地面１０３０および前面１０２０に垂直に配置された平面に沿って見たクラブヘッド７００の断面内に位置している。クラウン軸１０９０は、上部遷移境界および後部遷移境界を参照してさらに説明することができる。
【０２９９】
クラブヘッド７００は、フロントエンド７０８とクラウン７１６との間にヒール７２０の近くからトウ７２２の近くまで延びる上部遷移境界を含む。上部遷移境界は、クラブヘッド７００がアドレス位置にあるときに前面１０２０に垂直で接地面１０３０に垂直な平面に沿って取られた側断面図から見たときのクラウン遷移プロファイル７９０を含む。側断面図は、ヒール７２０の近くからトウ７２２の近くまでのクラブヘッド７００の任意の点において取ることができる。クラウン遷移プロファイル７９０は、クラブヘッド７００のフロントエンド７０８からクラウン遷移点７９４まで延びるフロント曲率半径７９２を画定しており、ここで、クラブヘッド７００のフロントエンド７０８は輪郭が打撃面７０４の起伏範囲および／または膨らみ範囲から外れる部分であり、クラウン遷移点７９４はフロント曲率半径７９２からクラウン７１６の曲率への曲率の変化を示す。いくつかの実施形態では、フロント曲率半径７９２は、クラウン７１６付近の打撃面周囲７４２の上端７９３からクラウン遷移点７９４まで延びる単一の曲率半径を含み、クラウン７１６付近の打撃面周囲７４２の上端７９３は輪郭が打撃面７０４の起伏範囲および／または膨らみ範囲から外れる部分であり、クラウン遷移点７９４はフロント曲率半径７９２からクラウン７１６の１つ以上の曲率への曲率の変化を示す。
【０３００】
クラブヘッド７００はさらに、クラウン７１６とスカート７２８との間にヒール７２０の近くからトウ７２２の近くまで延びる後部遷移境界を含む。後部遷移境界は、クラブヘッド７００がアドレス位置にあるときに前面１０２０に垂直で接地面１０３０に垂直な平面に沿って取られた側断面図から見たときの後部遷移プロファイル７９６を含む。断面図は、ヒール７２０の近くからトウ７２２の近くまでのクラブヘッド７００の任意の点において取ることができる。後部遷移プロファイル７９６は、後部遷移境界に沿ってクラブヘッド７００のクラウン７１６からスカート７２８まで延びるバック曲率半径７９８を画定する。多くの実施形態では、バック曲率半径７９８は、クラブヘッド７００のスカート７２８に遷移させる単一の曲率半径を含む。第１の後部遷移点８０２は、クラウン７１６と後部遷移境界との間の接続部に位置している。第２の後部遷移点８０３は、クラブヘッド７００の後部遷移境界とスカート７２８との間の接続部に位置している。
【０３０１】
上部遷移境界のフロント曲率半径７９２は一定のままでもよいし、またはクラブヘッド７００のヒール５２０付近からトウ５２２付近まで変化してもよい。同様に、後部遷移境界のバック曲率半径７９８は、一定のままでもよいし、クラブヘッド７００のヒール７２０の近くからトウ７２２の近くまで変化してもよい。
【０３０２】
クラウン軸１０９０は、クラブヘッド７００のフロントエンド７０８付近のクラウン遷移点７９４とクラブヘッド７００のバックエンド７１０付近の後部遷移点８０２との間に延びる。クラウン角度７８８は一定のままでもよいし、クラブヘッド７００のヒール７２０の近くからトウ７２２の近くまで変化してもよい。例えば、クラウン角度７８８は、側断面図がヒール７２０およびトウ７２２に対して異なる位置で取られるときに変化し得る。
【０３０３】
多くの実施形態では、トウ７２２の近くからヒール７２０の近くまでの任意の位置で取られる最大クラウン角度７８８は、７９度未満、約９５度未満、約９３度未満、約９１度未満、約８９度未満、約８７度未満、約８５度未満、約８３度未満、約８１度未満、約７９度未満、約７７度未満、または約７５度未満である。例えば、いくつかの実施形態では、最大クラウン角は、６５〜９５度、６５〜９０度、または６５〜８５度の間である。
【０３０４】
多くの実施形態において、現在のクラブヘッドと比較してクラウン角度７８８を減少させることは、より急なクラウンまたはクラブヘッド７００がアドレス位置にあるときに接地平面１０３０により近い位置に配置されたクラウンを生成する。したがって、クラウン角度７８８の減少は、より高いクラウン角度を有するクラブヘッドと比較して、より低いヘッドＣＧ位置をもたらし得る。
ｖｉ．ホーゼルスリーブウエイト
【０３０５】
いくつかの実施形態では、ヘッドＣＧ高さ７７４および／またはヘッドＣＧ深さ７７２は、ホーゼルスリーブ７３４の質量を減らすことによって達成することができる。ホーゼルスリーブ７３４から余分なウエイトを取り除くと、所望の低く後方のクラブヘッドＣＧ位置を達成するために、増加した裁量のウエイトを戦略的にクラブヘッド７００の領域に再配置することができる。
【０３０６】
ホーゼルスリーブ７３４の質量を減らすことは、スリーブ壁を薄くすること、ホーゼルスリーブ７３４の高さを減らすこと、ホーゼルスリーブ７３４の直径を減らすこと、および／またはホーゼルスリーブ７３４の壁に空隙を導入することによって達成できる。多くの実施形態において、ホーゼルスリーブ７３４の質量は、６グラム未満、５．５グラム未満、５．０グラム未満、４．５グラム未満、または４．０グラム未満であり得る。多くの実施形態では、質量が減少したホーゼルスリーブを有するクラブヘッド７００は、より重いホーゼルスリーブを有する同様のクラブヘッドよりも低く（ソールに近い）そしてより後方に（バックエンドに近い）クラブヘッドＣＧ位置をもたらす。
Ｂ．空気抵抗
【０３０７】
多くの実施形態では、クラブヘッド７００は、低減された空力抵抗とともに、クラブヘッドの低く後方のＣＧ位置と、クラブヘッドの慣性モーメントの増加と、の組み合わせを含む。
【０３０８】
多くの実施形態では、クラブヘッド７００は、スクエア面および時速９８マイル（ｍｐｈ）の風速の風洞で試験したときに、約１．２５ｌｂｆ未満、１．０ｌｂｆ未満、０．９５ｌｂｆ未満、０．９０ｌｂｆ未満、０．８５ｌｂｆ未満、０．８３ｌｂｆ未満、または０．８０ｌｂｆ未満の空気抵抗力を経験する。これらまたは他の実施形態では、クラブヘッド７００は、スクエア面および時速９８マイル（ｍｐｈ）の風速の計算流体力学による計算において、約１．２５ｌｂｆ未満、１．０ｌｂｆ未満、０．９５ｌｂｆ未満、０．９０ｌｂｆ未満、０．８５ｌｂｆ未満、０．８３ｌｂｆ未満、または０．８０ｌｂｆ未満の空気抵抗力を経験する。これらの実施形態では、スクエア面を有するクラブヘッド７００が経験する空気流は、Ｘ’Ｙ’平面に垂直な方向に打撃面７０４に向けられる。以下に記載されるように、空気抵抗力が低減されたクラブヘッド７００は、様々な手段を用いて達成することができる。
ｉ．クラウン角度高さ
【０３０９】
いくつかの実施形態では、クラウン角７８８を小さくしてより急なクラウンおよびより低いヘッドＣＧ位置を形成すると、スイング中のクラウン上での空気流の分離が増大するため、空力抵抗の望ましくない増大があり得る。クラウン角７８８の減少に伴う抗力の増大を防ぐために、最大クラウン高さ８０４を増大させることができる。最大クラウン高さ８０４は、Ｙ’Ｚ’平面に平行な平面に沿ったクラブヘッド７００の任意の側断面図で見たクラウン７１６の表面とクラウン軸１０９０との間の最大距離である。多くの実施形態において、より大きな最大クラウン高さ８０４は、より大きな曲率を有するクラウン７１６をもたらす。クラウン７１６の曲率が大きいほど、スイング中の空気流の分離の位置がクラブヘッド７００の後方にさらに移動する。言い換えれば、より大きな曲率は、スイング中にクラウン７１６に沿ってより長い距離にわたって空気流がクラブヘッド７００に接触したままでいることを可能にする。クラウン７１６上で気流分離点を後方に移動させると、空力抵抗が減少し、クラブヘッドのスイング速度が増加し、それによってボールの速度と距離が増加する可能性がある。
【０３１０】
多くの実施形態では、最大クラウン高さ８０４は、約０．１０インチ（２．５ｍｍ）よりも大きい、約０．２０インチ（５ｍｍ）よりも大きい、約０．３０インチ（７．５ｍｍ）よりも大きい、または約０．４０インチ（１０ｍｍ）よりも大きくすることができる。さらに、他の実施形態では、最大クラウン高さ８０４は、０．１０インチ（２．５ｍｍ）〜０．４０インチ（１０ｍｍ）、０．１０インチ（２．５ｍｍ）〜０．６０インチ（１５ｍｍ）、または０．２０インチ（５ｍｍ）〜０．６０インチ（１５ｍｍ）の範囲内であり得る。例えば、いくつかの実施形態では、最大クラウン高さ８０４は、約０．２０インチ（５ｍｍ）、約０．２４インチ（６ｍｍ）、約０．２８インチ（７ｍｍ）、約０．３１インチ（８ｍｍ）、または約０．３５インチ（９ｍｍ）であり得る。
ｉｉ．遷移プロファイル
【０３１１】
多くの実施形態では、打撃面７０４からクラウン７１６、打撃面７０４からソール７１８、および／またはクラブヘッド７００のバックエンド７１０に沿ったクラウン７１６からソール７１８の遷移プロファイルは、スイング中のクラブヘッド７００上の空気抵抗に影響を与える。
【０３１２】
いくつかの実施形態では、クラウン遷移プロファイル７９０を画定する上部遷移境界と、後部遷移プロファイル７９６を画定する後部遷移境界とを有するクラブヘッド７００は、ソール遷移プロファイル８１０を画定するソール遷移境界をさらに含む。ソール遷移境界は、フロントエンド７０８とソール７１８との間でヒール７２０の近くからトウ７２２の近くまで延びる。ソール遷移境界は、Ｙ’Ｚ’平面に平行な平面に沿って見た側断面図から見たときのソール遷移プロファイル８１０を含む。側面断面図は、ヒール７２０の近くからトウ７２２の近くまでのクラブヘッド７００の任意の点において取ることができる。ソール遷移プロファイル８１０は、クラブヘッド７００のフロントエンド７０８からソール遷移点８１４まで延びるソール曲率半径８１２を画定しており、ここで、クラブヘッド７００のフロントエンド７０８は輪郭が打撃面７０４の起伏範囲および／または膨らみ範囲から外れる部分であり、ソール遷移点８１４はソールの曲率半径８１２からソール７１８の曲率への曲率の変化を示す。いくつかの実施形態では、ソール曲率半径８１２は、ソール７１８付近の打撃面周囲７４２の底端８１３からソール遷移点８１４まで伸びる単一の曲率半径を含み、ソール７１８付近の打撃面周囲７４２の底端８１３は輪郭が起伏範囲および／または膨らみ範囲から外れる部分であり、ソール遷移点８１４はソールの曲率半径８１２からソール８１４の曲率への曲率の変化を示す。
【０３１３】
多くの実施形態では、クラウン遷移プロファイル７９０、ソール遷移プロファイル８１０、および後部遷移プロファイル７９６は、「空力抵抗を減少させるための遷移プロファイルを有するゴルフクラブヘッド」という名称の米国特許第１５／２３３，４８６号に記載されているクラウン遷移プロファイル、ソール遷移プロファイル、および後部遷移プロファイルと同様であり得る。さらに、フロント曲率半径７９２、ソール曲率半径８１２、およびバック曲率半径７９８は、「空力抵抗を減少させるための遷移プロファイルを有するゴルフクラブヘッド」という名称の米国特許第１５／２３３，４８６号に記載されている第１のクラウン側曲率半径、第１のソール側曲率半径、およびバック曲率半径と同様にすることができる。
【０３１４】
いくつかの実施形態では、フロント曲率半径７９２は、約０．１０から０．５０インチ（０．２５〜１．２７ｃｍ）の範囲であり得る。さらに、他の実施形態では、フロント曲率半径７９２は、０．４０インチ（１．０２ｃｍ）未満、０．３７５インチ（０．９５ｃｍ）未満、０．３５インチ（０．８９ｃｍ）未満、０．３２５インチ（０．８３ｃｍ）未満、または０．３０インチ（０．７６ｃｍ）未満であり得る。例えば、フロント曲率半径７９２は、約０．１８インチ（０．４６ｃｍ）、０．２０インチ（０．５１ｃｍ）、０．２２インチ（０．６６ｃｍ）、０．２４インチ（０．６１ｃｍ）、０．２６インチ（０．６６ｃｍ）、０．２８インチ（０．７１ｃｍ）、または０．３０インチ（０．７６ｃｍ）であり得る。
【０３１５】
いくつかの実施形態において、ソール曲率半径８１２は、約０．０５から０．２５インチ（０．１３から０．６４ｃｍ）の範囲であり得る。例えば、ソール曲率半径８１２は、約０．３インチ（０．７６ｃｍ）未満、約０．２７５インチ（０．７０ｃｍ）未満、約０．２５インチ（０．６４ｃｍ）未満、約０．２インチ（０．５１ｃｍ）未満、約０．１５インチ（０．３８ｃｍ）未満、または約０．１インチ（０．２５ｃｍ）未満であり得る。さらなる例では、ソール曲率半径８１２は、約０．１０インチ（０．２５ｃｍ）、０．１５インチ（０．３８ｃｍ）、０．２０インチ（０．５１ｃｍ）、または０．２５インチ（０．６４ｃｍ）であり得る。
【０３１６】
いくつかの実施形態において、バック曲率半径７９８は、約０．１０〜０．２５インチ（０．２５〜０．６４ｃｍ）の範囲であり得る。例えば、バック曲率半径７９８は、約０．３インチ（０．７６ｃｍ）未満、約０．２７５インチ（０．７０ｃｍ）未満、約０．２５インチ（０．６４ｃｍ）未満、約０．２２５インチ（０．５７ｃｍ）未満または約０．２０インチ（０．５１ｃｍ）未満であり得る。さらなる例では、バック曲率半径７９８は、約０．１０インチ（０．２５ｃｍ）、０．１５インチ（０．３８ｃｍ）、０．２０インチ（０．５１ｃｍ）、または０．２５インチ（０．６４ｃｍ）であり得る。
ｉｉｉ．タービュレータ
【０３１７】
いくつかの実施形態では、クラブヘッド７００はさらに、「タービュレータ付きゴルフクラブヘッドおよびゴルフクラブヘッドを製造する方法」という名称のその内容が本願に完全に組み込まれている米国特許出願第１３／５３６，７５３号、２０１３年１２月１７日に付与された現在米国特許第８，６０８，５８７号に記載されているように、複数のタービュレータ８１４を含むことができる。多くの実施形態では、複数のタービュレータ８１４は、空気流を乱し、それによって境界層内に小さな渦または乱流を生じさせて、境界層にエネルギーを与え、スイング中にクラウン上での気流の分離を遅らせる。
【０３１８】
いくつかの実施形態では、複数のタービュレータ６１４は、クラブヘッド７００のクラウン遷移点９９４に隣接することができる。複数のタービュレータ８１４は、クラウン７１６の外面から突出し、クラブヘッド７００のフロントエンド７０８とバックエンド７１０との間に延びる長さ、およびクラブヘッド７００のヒール７２０からトウ７２２まで延びる幅を含む。多くの実施形態では、複数のタービュレータ８１４の長さは幅よりも大きい。いくつかの実施形態では、複数のタービュレータ８１４は同じ幅を含むことができる。いくつかの実施形態において、複数のタービュレータ８１４は、高さプロファイルが変化することができる。いくつかの実施形態では、複数のタービュレータ８１４は、クラウン７１６の前面と比較してクラウン７１６の頂点に向かって高くてもよい。他の実施形態では、複数のタービュレータ８１４は、クラウン７１６の前方に向かって高く、クラウン７１６の頂点に向かって高さが低くてもよい。他の実施形態では、複数のタービュレータ８１４は一定の高さプロファイルを含むことができる。さらに、多くの実施形態では、少なくとも１つのタービュレータの少なくとも一部が打撃面とクラウン７１６の頂点との間に配置され、隣接するタービュレータ間の間隔は、隣接するタービュレータのそれぞれの幅よりも大きい。
ｉｖ．バックキャビティ
【０３１９】
いくつかの実施形態では、クラブヘッド７００は、クラブヘッド７００のバックエンド７１０および後縁部７２８に位置するキャビティ８２０をさらに含むことができる。いくつかの実施形態では、キャビティ８２０はクラブヘッド３００上のキャビティ４２０またはクラブヘッド５００のキャビティ６２０と同等であり得る。さらに、キャビティは、「ゴルフクラブヘッドと空気力学的特徴および関連する方法」という名称の米国特許出願第１４／８８２，０９２号に記載されているキャビティと同様である。多くの実施形態では、キャビティ８２０は、ゴルフクラブヘッド７００の後方で発生した渦をより小さな渦に砕き、乱気流のサイズを小さくし、および／または抗力を小さくすることができる。いくつかの実施形態では、渦をより小さな渦に分割することにより、ゴルフクラブヘッド７００の後方に高圧の領域を生成することができる。いくつかの実施形態では、この高圧領域はゴルフクラブヘッド７００を前方に押し出し、抗力を低減し、および／またはゴルフクラブヘッド７００の空力設計を向上させることができる。多くの実施形態では、より小さな渦と抗力の減少の正味の効果は、ゴルフクラブヘッド７００の速度の増加である。この効果は、ゴルフボールがインパクト後に打球面７０４を離れる速度が速くなり、ボールの飛行距離が増大する可能性がある。
【０３２０】
多くの実施形態では、キャビティ８２０は、Ｘ’Ｚ’平面に垂直な方向に配向された後壁８２２を含むことができ、さらに、ヒール７２０からトウ７２２への方向に測定された幅、深さ８２４、および高さ８２６を含むことができる。キャビティ８２０の幅は、約１．０インチ（約２．５４センチメートル）〜約８インチ（約２０．３２ｃｍ）、約１．０インチ（約２．５４ｃｍ）〜約２．２５インチ（約５．７２ｃｍ）、または約１．７５インチ（約４．５ｃｍ）〜約２．２５インチ（約５．７２ｃｍ）であり得る。例えば、キャビティ４２０の幅は、約２．０インチ（５．０８ｃｍ）、３．０インチ（７．６２ｃｍ）、４．０インチ（１０．１６ｃｍ）、５．０インチ（１２．７ｃｍ）、６．０インチ（１５．２４ｃｍ）、または７．０インチ（１７．７８ｃｍ）であり得る。いくつかの実施形態では、キャビティ８２０の幅は、キャビティ８２０の頂部付近（クラブヘッド７００のクラウン７１６に向かって）からキャビティ８２０の底部付近（クラブヘッド７００のソール７１８に向かって）まで一定のままであり得る。他の実施形態では、キャビティ８２０の幅は頂部付近から底部付近まで変化することができる。図８に示される実施形態では、キャビティ８２０の幅は頂部近くで最大で底部近くで最も小さくあり得る。他の実施形態では、キャビティ８２０の幅は任意の輪郭に従って変化し得る。例えば、他の実施形態では、キャビティ８２０の幅は、頂部、底部、中心部、またはキャビティの頂部から底部まで延びる他の任意の位置で最も長くすることができる。
【０３２１】
キャビティ８２０の深さ８２４は、約０．０２５インチ（約０．１２７ｃｍ）〜約０．２５０インチ（約０．６３５ｃｍ）、または約０．０２５インチ（約０．１２７ｃｍ）〜約０．１５０インチ（約０．３８１ｃｍ）とすることができる。例えば、キャビティ８２０の深さ８２４は、約０．１インチ（約０．２５４ｃｍ）、または約０．０５インチ（約０．１２７ｃｍ）であり得る。いくつかの実施形態では、キャビティ８２０の深さは、ヒールとトウの間および／またはキャビティ８２０の頂部と底部の間で一定のままであり得る。他の実施形態では、キャビティ８２０の深さは、ヒールとトウとの間および／またはキャビティ８２０の頂部と底部との間で変化することができる。例えば、キャビティ８２０の深さは、ヒール付近、トウ付近、クラウン付近、ソール付近、中心付近で、または記載された位置の任意の組み合わせで最大とすることができる。
【０３２２】
キャビティ８２０の高さ８２６は、クラウン７１６からソール７１８への方向に沿って測定することができる。キャビティ８２０の高さ８２６は、約０．１９インチ（約０．４８ｃｍ）〜約０．２１インチ（約０．５３ｃｍ）であり得る。いくつかの実施形態では、キャビティ８２０の高さ８２６は、約０．１０インチ（約０．２５ｃｍ）〜約０．５０インチ（約１．２７ｃｍ）であり得る。いくつかの実施形態では、キャビティ８２０の高さ８２６は、約０．１０インチ（約０．２５ｃｍ）〜約０．４０インチ（約１．０２ｃｍ）であり得る。いくつかの実施形態において、キャビティ８２０の高さ８２６は、約０．１０インチ（約０．２５ｃｍ）〜約０．３０インチ（約０．７６ｃｍ）であり得る。いくつかの実施形態において、キャビティ８２０の高さ８２６は、約０．１０インチ（約０．２５ｃｍ）〜約０．２０インチ（約０．５１ｃｍ）であり得る。いくつかの実施形態では、キャビティ８２０の高さ８２６は、キャビティ８２０のヒールとトウとの間で一定のままであり得る。他の実施形態では、キャビティ８２０の高さ８２６は、キャビティ８２０のヒールとトウとの間で変化することができる。例えば、キャビティ８２０の高さ８２６は、ヒール付近、トウ付近、中心付近で、または記載された位置の任意の組み合わせで最大であり得る。
ｖ．ホーゼル構造
【０３２３】
いくつかの実施形態において、ホーゼル構造７３０は、より大きい直径のホーゼル構造を有する同様のクラブヘッドと比較して、スイング中にクラブヘッド７００にかかる空気抵抗を低減するために、より小さい外径を有することができる。多くの実施形態において、ホーゼル構造７３０は、０．５４５インチ未満の外径を有する。例えば、ホーゼル構造７３０は、０．６０インチ未満、０．５９インチ未満、０．５８インチ未満、０．５７インチ未満、０．５６インチ未満、０．５５インチ未満、０．５４インチ未満、０．５３インチ未満、０．５２未満、０．５１インチ未満、または０．５０インチ未満の外径を有することができる。多くの実施形態において、ホーゼル構造７３０の外径は、クラブヘッド７００のロフト角および／またはライ角の調節可能性を維持しながら減少する。
Ｃ．ＣＧ位置、慣性モーメント、および空気抵抗のバランス
【０３２４】
現在のゴルフクラブヘッド設計では、クラブヘッドの慣性モーメントを増加または最大化することは、空気抵抗などのクラブヘッドの他の性能特性に悪影響を及ぼす可能性がある。本明細書に記載のクラブヘッド７００は、同時に空気抵抗を維持または低減しながら、クラブヘッドの慣性モーメントを増大または最大化する。したがって、インパクト性能特性（例えば、スピン、打ち出し角度、ボールスピード、および許容度）を改善したクラブヘッド７００はまた、スイング性能特性（例えば、空気抵抗、インパクト時にクラブヘッドをスクエアにする能力、およびスイング速度）のバランスし、または改善する。
【０３２５】
以下に説明するクラブヘッド７００の例では、クラブヘッドの空気抵抗は、時速１０２マイル（ｍｐｈ）の空気速度で空気流内においてスクエアに向いたクラブヘッドのフロントエンドに対して計算流体力学シミュレーションを使用して測定される。他の実施形態では、空力抵抗は、風洞試験を用いるなどの他の方法を用いて測定することができる。
【０３２６】
多くの既知のゴルフクラブヘッドにおいて、クラブヘッドの慣性モーメントを増大させるかまたは最大にすることは空気抵抗に悪影響を及ぼす。図２３Ａ〜Ｃは、クラブヘッド７００と同様の容量および／またはロフト角を有する多くの既知のクラブヘッドについて、クラブヘッドの慣性モーメントが増大するにつれて（クラブヘッドの許容度を増大させるため）、スイング中の抗力が増加することを示す（それによってスイングスピードとボールの飛行距離が減少する）。
【０３２７】
例えば、図２３Ａに示すように、多くの既知のクラブヘッドでは、ｘ軸周りの慣性モーメントが増加するにつれて、抗力が増加する。さらなる例として、図２３Ｂを参照すると、多くの既知のクラブヘッドについて、ｙ軸周りの慣性モーメントが増加するにつれて、抗力が増加する。さらなる例として、多くの既知のクラブヘッドについて、図２３Ｃを参照すると、合成慣性モーメント（すなわち、ｘ軸周りの慣性モーメントとｙ軸周りの慣性モーメントとの合計）が増加するにつれて、抗力が増加する。
【０３２８】
本明細書に記載のクラブヘッド７００は、同様の容量および／またはロフト角を有する既知のクラブヘッドと比較して、同時に空力抵抗を維持または低減しながら、クラブヘッドの慣性モーメントを増大または最大化する。したがって、改善されたインパクト性能特性（例えば、スピン、打ち出し角度、ボールスピード、および許容度）を有するクラブヘッド７００はまた、スイング性能特性（例えば、空気抵抗、インパクト時にクラブヘッドをスクエアにする能力、およびスイング速度）をバランスまたは改善する。
【０３２９】
多くの実施形態において、図２４に示すように、クラブヘッド７００は、同様の容量および／またはロフト角を有する既知のゴルフクラブヘッドと比較して、クラブヘッドの抗力（ＦＤ）を維持または低減しながら、クラブヘッドの合成慣性モーメント（Ｉｘｘ＋Ｉｙｙ）が増大するように、以下の関係のうちの１つまたは複数を満たす。
【数９】
2019535416.tif 000011
【数１０】
2019535416.tif 000012
【０３３０】
例えば、多くの実施形態では、クラブヘッド７００は関係９を満たす。他の実施形態では、クラブヘッド７００は、関係９を満たすことができ、４９００ｇ・ｃｍ２よりも大きい、５０００ｇ・ｃｍ２よりも大きい、５１００ｇ・ｃｍ２よりも大きい、５２００ｇ・ｃｍ２よりも大きい、５３００ｇ・ｃｍ２よりも大きい、５４００ｇ・ｃｍ２よりも大きい、５５００ｇ・ｃｍ２よりも大きい、５６００ｇ・ｃｍ２よりも大きい、５７００ｇ・ｃｍ２よりも大きい、５８００ｇ・ｃｍ２よりも大きい、５９００ｇ・ｃｍ２よりも大きい、または６０００ｇ・ｃｍ２よりも大きい、合成慣性モーメントを有することができる。さらに他の実施形態では、クラブヘッド７００は、関係９を満たすことができ、１．２５ｌｂｆ未満、１．０ｌｂｆ未満、０．９５ｌｂｆ未満、０．９０ｌｂｆ未満、０．８５０ｌｂｆ未満、０．８３ｌｂｆ未満、または０．８０ｌｂｆ未満の抗力を有することができる。
【０３３１】
さらなる例では、多くの実施形態では、クラブヘッド７００は、関係１０を満たす。他の実施形態では、クラブヘッド７００は、関係１０を満たすことができ、４９００ｇ・ｃｍ２よりも大きい、５０００ｇ・ｃｍ２よりも大きい、５１００ｇ・ｃｍ２よりも大きい、５２００ｇ・ｃｍ２よりも大きい、５３００ｇ・ｃｍ２よりも大きい、５４００ｇ・ｃｍ２よりも大きい、５５００ｇ・ｃｍ２よりも大きい、５６００ｇ・ｃｍ２よりも大きい、５７００ｇ・ｃｍ２よりも大きい、５８００ｇ・ｃｍ２よりも大きい、５９００ｇ・ｃｍ２よりも大きい、または６０００ｇ・ｃｍ２よりも大きい、合成慣性モーメントを有することができる。さらに他の実施形態では、クラブヘッド７００は、関係１０を満たすことができ、１．２５ｌｂｆ未満、１．０ｌｂｆ未満、０．９５ｌｂｆ未満、０．９０ｌｂｆ未満、０．８５０ｌｂｆ未満、０．８３ｌｂｆ未満、または０．８０ｌｂｆ未満の抗力を有することができる。
ｉ．ＣＧ位置と空力抵抗
【０３３２】
多くの既知のゴルフクラブヘッドでは、ゴルフボールの打ち出し角度を増大させるためおよび／またはクラブヘッドの慣性を増大させるためにＣＧ位置をさらに後方にシフトすることは、空気抵抗などのクラブヘッドの他の性能特性に悪影響を及ぼす可能性がある。図２５は、クラブヘッド７００と同様の容量および／またはロフト角を有する多くの既知のクラブヘッドにおいて、クラブヘッドＣＧの深さが増加するにつれて（クラブヘッドの許容度および／または打ち出し角度を増加させるために）、スイング中の抗力が増加することを示す（それによってスイング速度およびボールの飛行距離が減少する）。例えば、図２５に示すように、多くの既知のクラブヘッドでは、ヘッドＣＧの深さが増加するにつれて、クラブヘッドに対する抗力が増加する。
【０３３３】
本明細書に記載のクラブヘッド７００は、同様の容量および／またはロフト角を有する既知のクラブヘッドと比較して、同時に空気抵抗を維持または減少させながら、クラブヘッドのＣＧ深さを増大または最大化する。したがって、改善されたインパクト性能特性（例えば、スピン、打ち出し角度、ボールスピード、および許容度）を有するクラブヘッド７００はまた、スイング性能特性（例えば、空気抵抗、インパクト時にクラブヘッドをスクエアにする能力、およびスイング速度）をバランスまたは改善する。
【０３３４】
多くの実施形態において、図２６に示すように、クラブヘッド７００は、同様の容量および／またはロフト角を有する既知のゴルフクラブヘッドと比較して、クラブヘッドに対する抗力（ＦＤ）を維持または低減しながら、ヘッドＣＧ深さ（ＣＧＤ）が増大するように、以下の関係の１つまたは複数を満たす。
【数１１】
2019535416.tif 000013
【数１２】
2019535416.tif 000014
【０３３５】
例えば、多くの実施形態では、クラブヘッド７００は、関係１１を満たす。他の実施形態では、クラブヘッド７００は、関係１１を満たすことができ、１．１インチよりも大きい、１．２インチよりも大きい、１．３インチよりも大きい、１．４インチよりも大きい、１．５インチよりも大きい、１．６インチよりも大きい、１．７インチよりも大きい、または１．８インチよりも大きい、ヘッドＣＧ深さを有することができる。さらに、他の実施形態では、クラブヘッド７００は、関係１１を満たすことができ、１．２５ｌｂｆ未満、１．０ｌｂｆ未満、０．９５ｌｂｆ未満、０．９０ｌｂｆ未満、０．８５ｌｂｆ未満、０．８３ｌｂｆ未満、または０．８０ｌｂｆ未満の抗力を有することができる。
【０３３６】
さらなる例では、多くの実施形態では、クラブヘッド７００は、関係１２を満たす。他の実施形態では、クラブヘッド７００は、関係７を満たすことができ、１．１インチよりも大きい、１．２インチよりも大きい、１．３インチよりも大きい、１．４インチよりも大きい、１．５インチよりも大きい、１．６インチよりも大きい、１．７インチよりも大きい、または１．８インチよりも大きい、ヘッドＣＧ深さを有することができる。さらに、他の実施形態では、クラブヘッド７００は、関係１２を満たすことができ、１．２５ｌｂｆ未満、１．０ｌｂｆ未満、０．９５ｌｂｆ未満、０．９０ｌｂｆ未満、０．８５ｌｂｆ未満、０．８３ｌｂｆ未満、または０．８０ｌｂｆ未満の抗力を有することができる。さらなる例では、多くの実施形態では、クラブヘッド３００,５００は、関係７を満たし、１．１６ｌｂｆ未満の抗力を有する。
ｉｉ．慣性モーメントおよびＣＧ深さ
【０３３７】
図２７に示すように、多くの既知のゴルフクラブヘッドでは、合成慣性モーメントおよび／またはヘッドＣＧ深さが制限されている。例えば、クラブヘッド７００と同様の容量および／またはロフト角を有する多くの既知のゴルフクラブヘッドは、１．２インチ未満のヘッドＣＧ深さおよび５０００ｇ・ｃｍ２未満の合成慣性モーメントを有する。本明細書に記載のクラブヘッド７００は、同時に空気抵抗を維持または低減しながら、同様の容量および／またはロフト角を有する既知のクラブヘッドよりも大きなヘッドＣＧ深さおよび大きな合成慣性モーメントを有する。したがって、改善されたインパクト性能特性（例えば、スピン、打ち出し角度、ボールスピード、および許容度）を有するクラブヘッド３００、５００はまた、スイング性能特性（例えば、空気抵抗、インパクト時にクラブヘッドをスクエアにする能力、およびスイング速度）をバランスまたは改善する。
【０３３８】
例えば、多くの実施形態では、クラブヘッド７００は、１．２２インチよりも大きいヘッドＣＧ深さおよび５０００ｇ・ｃｍ２よりも大きい合成慣性モーメントを有する。他の実施形態では、クラブヘッド３００、５００は、１．１インチよりも大きい、１．２インチよりも大きい、１．３インチよりも大きい、１．４インチよりも大きい、１．５インチよりも大きい、１．６インチよりも大きい、１．７インチよりも大きい、または１．８インチよりも大きい、ヘッドＣＧ深さを有することができる。さらに、他の実施形態では、クラブヘッド７００は、５０００ｇ・ｃｍ２よりも大きい、５１００ｇ・ｃｍ２よりも大きい、５２００ｇ・ｃｍ２よりも大きい、５３００ｇ・ｃｍ２よりも大きい、５４００ｇ・ｃｍ２よりも大きい、５５００ｇ・ｃｍ２よりも大きい、５６００ｇ・ｃｍ２よりも大きい、５７００ｇ・ｃｍ２よりも大きい、５８００ｇ・ｃｍ２よりも大きい、５９００ｇ・ｃｍ２よりも大きい、または６０００ｇ・ｃｍ２よりも大きい、合成慣性モーメントを有することができる。
ＩＶ．ハイブリッドタイプクラブヘッド
【０３３９】
別の実施形態によれば、ゴルフクラブヘッド９００はハイブリッドタイプのクラブヘッドを含むことができる。多くの実施形態において、クラブヘッド９００は、クラブヘッド１００と同じまたは類似のパラメータを含み、パラメータは、クラブヘッド１００の参照番号に８００を加えた番号で記載されている。
【０３４０】
多くの実施形態では、クラブヘッド９００のロフト角は、約４０度未満、約３９度未満、約３８度未満、約３７度未満、約３６度未満、約３５度未満、約３４度未満、約３３度未満、約３２度未満、約３１度未満、または約３０度未満である。さらに、多くの実施形態では、クラブヘッド９００のロフト角は、約１６度よりも大きく、約１７度よりも大きく、約１８度よりも大きく、約１９度よりも大きく、約２０度よりも大きく、約２１度よりも大きく、約２２度よりも大きく、約２３度よりも大きく、約２４度よりも大きく、または約２５度よりも大きい。
【０３４１】
多くの実施形態において、クラブヘッド９００の容量は、約２００ｃｃ未満、約１７５ｃｃ未満、約１５０ｃｃ未満、約１２５ｃｃ未満、約１００ｃｃ未満、または約７５ｃｃ未満である。いくつかの実施形態において、クラブヘッドの容量は、約１００ｃｃ〜１５０ｃｃ、約７５ｃｃ〜１５０ｃｃ、約１００ｃｃ〜１２５ｃｃ、約７５ｃｃ〜１００ｃｃ、または約７５ｃｃ〜１２５ｃｃであり得る。他の実施形態では、ゴルフクラブヘッド９００は、本明細書に記載されているロフト角および容量を有する任意のタイプのゴルフクラブヘッドを含むことができる。
【０３４２】
多くの実施形態では、クラブヘッド９００の長さ９６２は、３．５インチから４．５インチの間、３．７５インチから４．７５インチの間、または３．５インチから４．７５インチの間である。他の実施形態では、クラブヘッド９００の長さ９６２は、４．５インチ未満、４．４インチ未満、４．３インチ未満、４．２インチ未満、４．１インチ未満、または４．０インチ未満である。
【０３４３】
多くの実施形態では、クラブヘッド９００の深さ９６０は、クラブヘッド９００の長さ９６２よりも少なくとも０．７０インチ小さい。多くの実施形態では、クラブヘッド９００の深さ９６０は、２．０インチから３．０インチの間、２．０インチから２．７５インチの間、または２．０インチから２．５インチの間である。他の実施形態では、クラブヘッド９００の深さ９６０は、３．０インチ未満、２．９インチ未満、２．８インチ未満、２．７インチ未満、２．６インチ未満、２．５インチ未満、２．４インチ未満、２．３インチ未満、２．２インチ未満、２．１インチ未満、または２．０インチ未満である。
【０３４４】
多くの実施形態では、クラブヘッド９００の高さ９６４は、約１．７５インチ未満である。他の実施形態では、クラブヘッド９００の高さ９６４は、２．０インチ未満、１．９インチ未満、１．８インチ未満、１．７インチ未満、１．６インチ未満、または１．５インチ未満である。例えば、いくつかの実施形態では、クラブヘッド９００の高さは、１．５〜１．７５インチ、１．０〜１．７５インチ、１．５〜２．０インチ、または１．２５〜１．７５インチであり得る。
【０３４５】
クラブヘッド９００はさらに、ヘッドＣＧ位置、クラブヘッド慣性モーメント、および空力抵抗などの様々な追加パラメータのバランスを含み、改善されたインパクト性能特性（例えば、スピン、打ち出し角度、速度、許容度）および改善されたスイング性能特性（例えば、空気抵抗、インパクト時にクラブヘッドをスクエアにする能力）の両方を提供する。多くの実施形態において、以下に記載されるパラメータのバランスは、スイング性能特性を維持または改善しながら改善されたインパクト性能を提供する。さらに、多くの実施形態において、以下に記載されるパラメータのバランスは、インパクト性能特性を維持または改善しながら、改善されたスイング性能特性を提供する。
Ａ．重心位置と慣性モーメント
【０３４６】
多くの実施形態では、ヘッドＣＧからの距離が最大となるクラブヘッドの領域において、裁量のウエイトを増加させ、裁量のウエイトを再配置することによって、低く後方のクラブヘッドＣＧおよび高い慣性モーメントを達成することができる。ヘッドＣＧ位置に関して上述したように、クラウンを薄くすること、および／または最適化された材料を使用することによって、増加した裁量のウエイトを達成することができる。ヘッドＣＧからの距離を最大にするための裁量のウエイトの再配置は、ヘッドＣＧの位置に関して上述したように、取り外し可能なウエイト、埋め込みウエイト、または急なクラウン角度を使用して達成することができる。
【０３４７】
多くの実施形態では、クラブヘッド９００は、約３０００ｇ・ｃｍ２よりも大きい、約３２５０ｇ・ｃｍ２よりも大きい、約３５００ｇ・ｃｍ２よりも大きい、約３７５０ｇ・ｃｍ２よりも大きい、約４０００ｇ・ｃｍ２よりも大きい、約４２５０ｇ・ｃｍ２よりも大きい、約４５００ｇ・ｃｍ２よりも大きい、約４７５０ｇ・ｃｍ２よりも大きい、約５０００ｇ・ｃｍ２よりも大きい、約５２５０ｇ・ｃｍ２よりも大きい、約５５００ｇ・ｃｍ２よりも大きい、約５７５０ｇ・ｃｍ２よりも大きい、約６０００ｇ・ｃｍ２よりも大きい、約６２５０ｇ・ｃｍ２よりも大きい、約６５００ｇ・ｃｍ２よりも大きい、約６７５０ｇ・ｃｍ２よりも大きい、または約７０００ｇ・ｃｍ２よりも大きい、クラウン−ソール慣性モーメントＩｘｘを含む。
【０３４８】
多くの実施形態において、クラブヘッド９００は、約５０００ｇ・ｃｍ２よりも大きい、約５２５０ｇ・ｃｍ２よりも大きい、約５５００ｇ・ｃｍ２よりも大きい、約５７５０ｇ・ｃｍ２よりも大きい、約６０００ｇ・ｃｍ２よりも大きい、約６２５０ｇ・ｃｍ２よりも大きい、約６５００ｇ・ｃｍ２よりも大きい、約６７５０ｇ・ｃｍ２よりも大きい、または約７０００ｇ・ｃｍ２よりも大きい、ヒール−トウ慣性モーメントＩｙｙを含む。
【０３４９】
多くの実施形態では、クラブヘッド９００は、８０００ｇ・ｃｍ２よりも大きい、８５００ｇ・ｃｍ２よりも大きい、８７５０ｇ・ｃｍ２よりも大きい、９０００ｇ・ｃｍ２よりも大きい、９２５０ｇ・ｃｍ２よりも大きい、９５００ｇ・ｃｍ２よりも大きい、９７５０ｇ・ｃｍ２よりも大きい、１００００ｇ・ｃｍ２よりも大きい、１０２５０ｇ・ｃｍ２よりも大きい、１０５００ｇ・ｃｍ２よりも大きい、１０７５０ｇ・ｃｍ２よりも大きい、１１０００ｇ・ｃｍ２よりも大きい、１１２５０ｇ・ｃｍ２よりも大きい、１１００ｇ・ｃｍ２よりも大きい、１１７５０ｇ・ｃｍ２よりも大きい、または１２０００ｇ・ｃｍ２よりも大きい、合成慣性モーメント（すなわち、クラウン−ソール慣性モーメントＩｘｘとヒール−トウ慣性モーメントｌｙｙの合計）を含む。
【０３５０】
多くの実施形態において、クラブヘッド９００は、約０．２０インチ未満、約０．１５インチ未満、約０．１０インチ未満、約０．０９インチ未満、約０．０８インチ未満、約０．０７インチ未満、約０．０６インチ未満、または約０．０５インチ未満のヘッドＣＧ高さ９７４を有する。さらに、多くの実施形態では、クラブヘッド９００は、約０．２０インチ未満、約０．１５インチ未満、約０．１０インチ未満、約０．０９インチ未満、約０．０８インチ未満、約０．０７インチ未満、約０．０６インチ未満、または約０．０５インチ未満の絶対値を有するヘッドＣＧ高さ９７４を含む。
【０３５１】
さらに、多くの実施形態では、クラブヘッド９００は、約０．７５インチよりも大きい、約０．８０インチよりも大きい、約０．８５インチよりも大きい、約０．９０インチよりも大きい、約０．９５インチよりも大きい、または約０．１０インチよりも大きいヘッドＣＧ深さ９７２を含む。
【０３５２】
減少したヘッドＣＧ高さ９７４を有するクラブヘッド９００は、より高いヘッドＣＧ高さを有する同様のクラブヘッドと比較して、インパクト時のゴルフボールのバックスピンを減少させることができる。多くの実施形態では、バックスピンを減少させると、クラブヘッドの性能を向上させるために、ボール速度と飛行距離の両方を増加させることができる。さらに、ヘッドＣＧ深さ９７２を増大させたクラブヘッド９００は、打球面により近いヘッドＣＧの深さを有する同様のクラブヘッドと比較して、ヒール−トウ慣性モーメントを増大させることができる。ヒール−トウ慣性モーメントを大きくすると、クラブヘッドの性能を向上させるためのインパクト時のクラブヘッドの許容度を高めることができる。さらにまた、ヘッドＣＧ深さ９７３が増大したクラブヘッド９００は、打球面により近いヘッドＣＧの深さを有する同様のクラブヘッドと比較して、打球時のクラブヘッドの動的ロフトを増大させることによって、インパクト時のゴルフボールの打ち出し角度を増大させることができる。
【０３５３】
ヘッドＣＧ高さ９７４および／またはヘッドＣＧ深さ９７２は、様々な領域でクラブヘッドの重量を減らし、それによって裁量のウエイトを増やし、ヘッドＣＧをより低くより後方にシフトするためにクラブヘッド９００の戦略的な領域で裁量のウエイトを変えることによって達成できる。クラブヘッドの重量を減少させて再配置するための様々な手段が以下に説明される。
ｉ．薄い領域
【０３５４】
いくつかの実施形態では、ヘッドＣＧ高さ９７４および／またはヘッドＣＧ深さ９７２は、クラブヘッドの様々な領域を薄くして余分なウエイトを取り除くことによって達成することができる。余分なウエイトを除去すると、所望の低く後方のクラブヘッドＣＧ位置を達成するためにクラブヘッド９００の領域に戦略的に再配置することができる増加した裁量のウエイトがもたらされる。
【０３５５】
多くの実施形態では、クラブヘッド９００は１つまたは複数の薄い領域を有することができる。１つまたは複数の薄い領域は、クラブヘッド３００の１つまたは複数の薄い領域３７６と、またはクラブヘッド５００，７００の１つまたは複数の薄い領域と類似または同一であり得る。１つまたは複数の薄い領域は、打撃面９０４、本体９０２、または打撃面９０４と本体９０２の組み合わせ上に配置することができる。さらに、１つまたは複数の薄い領域は、クラウン９１６、ソール９１８、ヒール９２０、トウ９２２、フロントエンド９０８、バックエンド９１０、スカート９２８または記載された位置の任意の組み合わせを含む本体９０２の任意の領域に配置することができる。例えば、いくつかの実施形態では、１つまたは複数の薄い領域をクラウン９１６上に配置することができる。さらなる例では、１つまたは複数の薄い領域は、打撃面９０４とクラウン９１６の組み合わせ上に配置することができる。さらなる例では、１つまたは複数の薄い領域は、打撃面９０４、クラウン９１６、およびソール９１８の組み合わせ上に配置することができる。さらなる例では、本体９０２全体および／または打撃面９０４全体が薄い領域を含むことができる。
【０３５６】
１つまたは複数の薄い領域が打撃面９０４上に配置される実施形態では、打撃面９０４の厚さは、最大打撃面厚さおよび最小打撃面厚さを変化し得る。これらの実施形態では、最小打撃面厚さは、０．１０インチ未満、０．０９インチ未満、０．０８インチ未満、０．０７インチ未満、０．０６インチ未満、０．０５インチ未満、０．０４インチ未満、０．０３インチ未満、または０．０２インチ未満であり得る。これらまたは他の実施形態では、最大打撃面厚さは、０．２０インチ未満、０．１９インチ未満、０．１８インチ未満、０．１７インチ未満、０．１６インチ未満、０．１５インチ未満、０．１４インチ未満、０．１３インチ未満０．１２インチ未満、０．１１インチ未満、または０．１０インチ未満であり得る。
【０３５７】
１つまたは複数の薄い領域が本体９０２上に配置されている実施形態では、薄い領域は約０．０２２インチ未満の厚さを含むことができる。他の実施形態では、薄い領域は、０．０２５インチ未満、０．０２０インチ未満、０．０１９インチ未満、０．０１８インチ未満、０．０１７インチ未満、０．０１６インチ未満、０．０１５インチ未満、０．０１４インチ未満、０．０１３インチ未満、０．０１２インチ未満、または０．０１０インチ未満の厚さを含む。例えば、薄い領域は、約０．０１０〜０．０２５インチ、約０．０１３〜０．０２２インチ、約０．０１４〜０．０２０インチ、約０．０１５〜０．０２０インチ、約０．０１６〜０．０２０インチ、約０．０１７〜０．０２０インチ、または約０．０１８−０．０２０インチの厚さを含むことができる。
【０３５８】
図示の実施形態では、薄い領域は形状および位置が異なり、クラブヘッド９００の表面積の約２５％を覆っている。他の実施形態では、薄い領域は、クラブヘッド９００の表面積の約２０〜３０％、約１５〜３５％、約１５〜２５％、約１０〜２５％、約１５〜３０％、または約２０〜５０％を覆うことができる。さらに、他の実施形態では、薄い領域は、クラブヘッド９００の表面積の最大５％、最大１０％、最大１５％、最大２０％、最大２５％、最大３０％、最大３５％、最大４０％、最大４５％、または最大５０％までをカバーすることができる。
【０３５９】
多くの実施形態では、クラウン９１６は、クラウンの表面積の約５１％が薄い領域を含むように、１つまたは複数の薄い領域を含む。他の実施形態では、クラウン９１６は、クラウンの最大２０％、最大２５％、最大３０％、最大３５％、最大４０％、最大４５％、最大４５％、最大５０％、最大５５％、最大６０％、最大６５％、最大７０％、または最大７５％、が薄い領域を含むように、１つまたは複数の薄い領域を含む。例えば、いくつかの実施形態では、クラウン９１６の約４０〜６０％が薄い領域を含むことができる。さらなる例では、他の実施形態では、クラウン９１６の約３５〜６５％、約３０〜７０％、または約２５〜７５％が薄い領域を含むことができる。いくつかの実施形態では、クラウン９１６は１つまたは複数の薄い領域を含むことができ、１つまたは複数の薄い領域のそれぞれは勾配をつけて薄くなっている。この例示的な一実施形態では、クラウン９１６の１つまたは複数の薄い領域は、ヒール−トウ方向に延び、１つまたは複数の薄い領域のそれぞれは、打撃面９０４からバックエンド９１０に向かう方向に厚さが減少している。
【０３６０】
多くの実施形態では、ソール９１８の表面積の約６４％が薄い領域を含むように、ソール９１８は１つまたは複数の薄い領域を含む。他の実施形態では、ソール９１８は、ソール９１８の最大２０％、最大２５％、最大３０％、最大３５％、最大４０％、最大４５％、最大４５％、最大５０％、最大５５％、最大６０％、最大６５％、最大７０％、または最大７５％が薄い領域を含むように、１つまたは複数の薄い領域を含むことができる。例えば、いくつかの実施形態では、ソール９１８の約４０〜６０％が薄い領域を含むことができる。さらなる例では、他の実施形態では、ソール９１８の約３５〜６５％、または約３０〜７０％、または約２５〜７５％が薄い領域を含むことができる。
【０３６１】
薄い領域は、円形、三角形、正方形、長方形、卵形、または少なくとも１つの曲面を有する任意の他の多角形もしくは形状などの任意の形状を含むことができる。さらに、１つまたは複数の薄い領域は、残りの薄い領域と同じ形状、または異なる形状を含むことができる。
【０３６２】
多くの実施形態では、薄い領域を有するクラブヘッド９００は遠心鋳造を用いて製造することができる。これらの実施形態では、遠心鋳造は、クラブヘッド９００が従来の鋳造を使用して製造されたクラブヘッドよりも薄い壁を有することを可能にする。他の実施形態では、薄い領域を有するクラブヘッド９００の部分は、打ち抜き加工、鍛造加工、または機械加工などの他の適切な方法を使用して製造することができる。薄い領域を有するクラブヘッド９００の部分が打ち抜き加工、鍛造加工、または機械加工を使用して製造される実施形態では、クラブヘッド９００の部分は、エポキシ、テープ、溶接、機械的締結具、または他の適切な方法を使用して結合され得る。
ｉｉ．最適化された材料
【０３６３】
いくつかの実施形態では、打撃面９０４および／または本体９０２は、増加した比強度および／または増加した比可撓性を有する最適化された材料を含み得る。比可撓性は、最適化された材料の弾性率に対する降伏強度の比として測定される。比強度および／または比可撓性を増大させると、耐久性を維持しながらクラブヘッドの一部を薄くすることができる。
【０３６４】
いくつかの実施形態では、打撃面９０４の第１の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第１の材料は、約９００，０００ＰＳＩ／ｌｂ／ｉｎ３（２２４ＭＰａ／ｇ／ｃｍ３）以上、約９１０，０００ＰＳＩ／ｌｂ／ｉｎ３（２２７ＭＰａ／ｇ／ｃｍ３）以上、約９２０，０００ＰＳＩ／ｌｂ／ｉｎ３（２２９ＭＰａ／ｇ／ｃｍ３）以上、約９３０，０００ＰＳＩ／ｌｂ／ｉｎ３（２３２ＭＰａ／ｇ／ｃｍ３）以上、約９４０，０００ＰＳＩ／ｌｂ／ｉｎ３（２３４ＭＰａ／ｇ／ｃｍ３）以上、約９５０，０００ＰＳＩ／ｌｂ／ｉｎ３（２３７ＭＰａ／ｇ／ｃｍ３）以上、約９６０，０００ＰＳＩ／ｌｂ／ｉｎ３（２３９ＭＰａ／ｇ／ｃｍ３）以上、約９７０，０００ＰＳＩ／ｌｂ／ｉｎ３（２４２ＭＰａ／ｇ／ｃｍ３）以上、約９８０，０００ＰＳＩ／ｌｂ／ｉｎ３（２４４ＭＰａ／ｇ／ｃｍ３）以上、約９９０，０００ＰＳＩ／ｌｂ／ｉｎ３（２４７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、または約１，１５０，０００ＰＳＩ／ｌｂ／ｉｎ３（２８６ＭＰａ／ｇ／ｃｍ３）以上の比強度を有することができる。
【０３６５】
さらに、これらまたは他の実施形態では、最適化チタン合金を含む第１の材料は、約０．００７５以上、約０．００８０以上、約０．００８５以上、約０．００９０以上、約０．００９１以上、約０．００９２以上、約０．００９３以上、約０．００９４以上、約０．００９５以上、約０．００９６以上、約０．００９７以上、約０．００９８以上、約０．００９９以上、約０．０１００以上、約０．０１０５以上、約０．０１１０以上、約０．０１１５以上、または約０．０１２０以上の比可撓性を有することができる。
【０３６６】
これらまたは他の実施形態では、最適化スチール合金を含む第１の材料は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）以上、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）以上、約８１０，０００ＰＳＩ／ｌｂ／ｉｎ３（２０２ＭＰａ／ｇ／ｃｍ３）以上、約８２０，０００ＰＳＩ／ｌｂ／ｉｎ３（２０４ＭＰａ／ｇ／ｃｍ３）以上、約８３０，０００ＰＳＩ／ｌｂ／ｉｎ３（２０７ＭＰａ／ｇ／ｃｍ３）以上、約８４０，０００ＰＳＩ／ｌｂ／ｉｎ３（２０９ＭＰａ／ｇ／ｃｍ３）以上、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）、約１，０５０，０００ＰＳＩ／ｌｂ／ｉｎ３（２６２ＭＰａ／ｇ／ｃｍ３）以上、約１，１００，０００ＰＳＩ／ｌｂ／ｉｎ３（２７４ＭＰａ／ｇ／ｃｍ３）以上、約１，１１５，０００ＰＳＩ／ｌｂ／ｉｎ３（２７８ＭＰａ／ｇ／ｃｍ３）以上、または約１，１２０，０００ＰＳＩ／ｌｂ／ｉｎ３（２７９ＭＰａ／ｇ／ｃｍ３）以上の比強度を有することができる。
【０３６７】
さらに、これらまたは他の実施形態では、最適化スチール合金を含む第１の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０３６８】
これらの実施形態では、最適化された第１の材料の増加した比強度および／または増加した比可撓性は、耐久性を維持しながら、上述のように打撃面９０４またはその一部を薄くすることを可能にする。打撃面９０４を薄くすることにより、打撃面９０４のウエイトを減らすことができ、それによってクラブヘッド９００の他の領域に戦略的に配置される裁量のウエイトが増加し、これにより、ヘッドＣＧが低く後方に配置され、および／またはクラブヘッドの慣性モーメントが大きくなる。
【０３６９】
いくつかの実施形態では、本体９０２の第２の材料は、「最適化された材料特性を有するゴルフクラブヘッド」という名称の米国仮特許出願第６２／３９９，９２９号に記載されているように最適化された材料とすることができる。これらまたは他の実施形態では、最適化チタン合金を含む第２の材料は、約７３０，５００ＰＳＩ／ｌｂ／ｉｎ３（１８２ＭＰａ／ｇ／ｃｍ３）以上の比強度を有することができる。例えば、最適化チタン合金の比強度は、約６５０，０００ＰＳＩ／ｌｂ／ｉｎ３（１６２ＭＰａ／ｇ／ｃｍ３）以上、約７００，０００ＰＳＩ／ｌｂ／ｉｎ３（１７４ＭＰａ／ｇ／ｃｍ３）、約７５０，０００ＰＳＩ／ｌｂ／ｉｎ３（１８７ＭＰａ／ｇ／ｃｍ３）以上、約８００，０００ＰＳＩ／ｌｂ／ｉｎ３（１９９ＭＰａ／ｇ／ｃｍ３）、約８５０，０００ＰＳＩ／ｌｂ／ｉｎ３（２１２ＭＰａ／ｇ／ｃｍ３）以上、約９００，０００ＰＳＩ／ｌｂ／ｉｎ３（２２４ＭＰａ／ｇ／ｃｍ３）以上、約９５０，０００ＰＳＩ／ｌｂ／ｉｎ３（２３７ＭＰａ／ｇ／ｃｍ３）以上、約１，０００，０００ＰＳＩ／ｌｂ／ｉｎ３（２４９ＭＰａ／ｇ／ｃｍ３）以上、約１，０５０，０００ＰＳＩ／ｌｂ／ｉｎ３（２６２ＭＰａ／ｇ／ｃｍ３）以上。または約１，１００，０００ＰＳＩ／ｌｂ／ｉｎ３（２７２ＭＰａ／ｇ／ｃｍ３）以上であり得る。
【０３７０】
さらに、これらまたは他の実施形態では、最適化チタン合金を含む第２の材料は、約０．００６０以上、約０．００６５以上、約０．００７０以上、約０．００７５、約０．００８０以上、約０．００８５以上、約０．００９０以上、約０．００９５以上、約０．０１００以上、約０．０１０５以上、約０．０１１０以上、約０．０１１５以上、または約０．０１２０以上の比可撓性を有することができる。
【０３７１】
これらまたは他の実施形態では、最適化スチールを含む第２の材料は、約５００，０００ＰＳＩ／ｌｂ／ｉｎ３（１２５ＭＰａ／ｇ／ｃｍ３）以上、約５１０，０００ＰＳＩ／ｌｂ／ｉｎ３（１２７ＭＰａ／ｇ／ｃｍ３）以上、約５２０，０００ＰＳＩ／ｌｂ／ｉｎ３（１３０ＭＰａ／ｇ／ｃｍ３）以上、約５３０，０００ＰＳＩ／ｌｂ／ｉｎ３（１３２ＭＰａ／ｇ／ｃｍ３）以上、約５４０，０００ＰＳＩ／ｌｂ／ｉｎ３（１３５ＭＰａ／ｇ／ｃｍ３）以上、約５５０，０００ＰＳＩ／ｌｂ／ｉｎ３（１３７ＭＰａ／ｇ／ｃｍ３）以上、約５６０，０００ＰＳＩ／ｌｂ／ｉｎ３（１３９ＭＰａ／ｇ／ｃｍ３）以上、約５７０，０００ＰＳＩ／ｌｂ／ｉｎ３（１４２ＭＰａ／ｇ／ｃｍ３）以上、約５８０，０００ＰＳＩ／ｌｂ／ｉｎ３（１４４ＭＰａ／ｇ／ｃｍ３）以上、約５９０，０００ＰＳＩ／ｌｂ／ｉｎ３（１４７ＭＰａ／ｇ／ｃｍ３）以上、約６００，０００ＰＳＩ／ｌｂ／ｉｎ３（１４９ＭＰａ／ｇ／ｃｍ３）以上、約６２５，０００ＰＳＩ／ｌｂ／ｉｎ３（１５６ＭＰａ／ｇ／ｃｍ３）以上、約６７５，０００ＰＳＩ／ｌｂ／ｉｎ３（１６８ＭＰａ／ｇ／ｃｍ３）以上、約７２５，０００ＰＳＩ／ｌｂ／ｉｎ３（１８１ＭＰａ／ｇ／ｃｍ３）以上、約７７５，０００ＰＳＩ／ｌｂ／ｉｎ３（１９３ＭＰａ／ｇ／ｃｍ３）以上、約８２５，０００ＰＳＩ／ｌｂ／ｉｎ３（２０５ＭＰａ／ｇ／ｃｍ３）以上、約８７５，０００ＰＳＩ／ｌｂ／ｉｎ３（２１８ＭＰａ／ｇ／ｃｍ３）以上、約９２５，０００ＰＳＩ／ｌｂ／ｉｎ３（２３０ＭＰａ／ｇ／ｃｍ３）以上、約９７５，０００ＰＳＩ／ｌｂ／ｉｎ３（２４３ＭＰａ／ｇ／ｃｍ３）以上、約１，０２５，０００ＰＳＩ／ｌｂ／ｉｎ３（２５５ＭＰａ／ｇ／ｃｍ３）以上、約１，０７５ＰＳＩ／ｌｂ／ｉｎ３（２６８ＭＰａ／ｇ／ｃｍ３）、または約１，１２５，０００ＰＳＩ／ｌｂ／ｉｎ３（２８０ＭＰａ／ｇ／ｃｍ３）以上の比強度を有することができる。
【０３７２】
さらに、これらまたは他の実施形態では、最適化スチールを含む第２の材料は、約０．００６０以上、約０．００６２以上、約０．００６４以上、約０．００６６以上、約０．００６８以上、約０．００７０以上、約０．００７２以上、約０．００７６以上、約０．００８０以上、約０．００８４以上、約０．００８８以上、約０．００９２以上、約０．００９６以上、約０．０１００以上、約０．０１０５以上、約０．０１１０以上、約０．０１１５以上、約０．０１２０以上、約０．０１２５以上、約０．０１３０以上、約０．０１３５以上、約０．０１４０以上、約０．０１４５以上、または約０．０１５０以上の比可撓性を有することができる。
【０３７３】
これらの実施形態では、最適化された第２の材料の増加した比強度および／または増加した比可撓性は、耐久性を維持しながら、本体９０２またはその一部を薄くすることを可能にする。本体９０２を薄くすると、クラブヘッドのウエイトを減らすことができ、それによってクラブヘッド９００の他の領域に戦略的に配置する裁量のウエイトが増加し、これにより、ヘッドＣＧが低く後方に配置され、および／またはクラブヘッドの慣性モーメントが大きくなる。
ｉｉｉ．取り外し可能なウエイト
【０３７４】
いくつかの実施形態では、クラブヘッド９００は、１つまたは複数の取り外し可能なウエイト９８２を含む１つまたは複数のウエイト構造９８０を含むことができる。１つ以上のウエイト構造７８０および／または１つ以上の取り外し可能なウエイト９８２は、ソール９１８およびバックエンド９１０に向かって配置することができ、それによって裁量のウエイトをソール９１８およびクラブヘッドのバックエンド９１０の近くに位置決めすることができ、低く後方のヘッドＣＧ位置が達成される。多くの実施形態では、１つまたは複数のウエイト構造９８０は、１つまたは複数の取り外し可能なウエイト９８２を取り外し可能に受け入れる。これらの実施形態では、１つまたは複数の取り外し可能なウエイト９８２を、ねじ付きファスナー、接着剤、磁石、スナップフィット、または１つまたは複数の取り外し可能なウエイトを１つまたは複数のウエイト構造に固定可能な他の任意の機構などの任意の適切な方法を使用して１つまたは複数のウエイト構造９８０に結合することができる。
【０３７５】
ウエイト構造９８０および／または取り外し可能なウエイト９８２は、上面図から見たときに打撃面９０４に対して整列させることができるクロックグリッド２０００（図３に示される）に対して配置することができる。クロックグリッドは、少なくとも１２時の放射線、３時の放射線、４時の放射線、５時の放射線、６時の放射線、７時の放射線、８時の放射線、および９時の放射線を含む。例えば、クロックグリッド２０００は、打撃面９０４の幾何学的中心９４０と位置合わせされた１２時の放射線２０１２を含む。１２時の放射線２０１２は、Ｘ’Ｙ’平面に直交する。クロックグリッド２０００の中心は、１２時の放射線２０１２に沿ってクラブヘッド９００のフロントエンド９０８とバックエンド９１０との間の中点に配置することができる。同じまたは他の例では、底面図から見たときに、クロックグリッド中心点２０１０をゴルフクラブヘッド９００の幾何学的中心点に近接して中心に置くことができる。クロックグリッド２０００はまた、ヒール９２０に向かって延びる３時の放射線２００３と、クラブヘッド９００のトウ９２２に向かって延びる９時の放射線２００９とを含む。
【０３７６】
ウエイト構造９８０のウエイト周囲９８４は、本実施形態ではバックエンド９１０に向かって配置され、クロックグリッド２０００の４時の放射線２００４と８時の放射線２００８との間に少なくとも部分的に境界が定められており、一方で、ウエイト構造９８０内に配置された取り外し可能なウエイト９８２は、５時の放射線２００５と７時の放射線２００７との間に配置されている。本例のような例では、ウエイト周囲９８４は、４時の放射線２００４と８時の放射線２００８との間に完全に囲まれている。この例では、ウエイト周囲９８４はクラブヘッド９００の外部に画定されているが、ウエイト周囲９８４がクラブヘッド９００の内部に延びる、またはクラブヘッド９００内に画定され得る他の例があり得る。いくつかの例では、ウエイト構造９８０の位置は、より広い領域に対して確立することができる。例えば、そのような例では、ウエイト構造９８０のウエイト周囲９８４は、クロックグリッド２０００の４時の放射線２００４と９時の放射線２００９との間に少なくとも部分的に境界を定められたバックエンドに向かって配置されることができ、一方で、ウエイト中心９８６は、５時の放射線２００５と８時の放射線２００８との間に位置し得る。
【０３７７】
この例では、ウエイト構造９８０は、ソール９１８の外部輪郭から突き出ており、したがって、ヘッドＣＧ７７０のより大きな調整を可能にするために少なくとも部分的に外部にある。いくつかの例では、ウエイト構造９８０は、約２グラム〜約５０グラムの質量、および／または約１ｃｃ〜約３０ｃｃの容量を含むことができる。他の例では、ウエイト構造９８０は、本体９０２の外部輪郭と同一平面上に留まることができる。
【０３７８】
多くの実施形態では、取り外し可能なウエイト９８２は、約０．５グラム〜約３０グラムの質量を含むことができ、ヘッドＣＧ９７０の位置を調整するために１つまたは複数の他の同様の取り外し可能なウエイトと置き換えることができる。同じまたは他の例では、ウエイト中心９８６は、取り外し可能なウエイト９８２の重心、および／または取り外し可能なウエイトの幾何学的中心９８２のうちの少なくとも１つを含むことができる。
ｉｖ．埋め込みウエイト
【０３７９】
いくつかの実施形態では、クラブヘッド９００は、裁量のウエイトをソール９１８上、スカート９２８内、および／またはクラブヘッド９００のバックエンド９１０の近くに配置して低く後方のヘッドＣＧ位置を達成するために、１つまたは複数の埋め込みウエイトを含むことができる。クラブヘッド９００の１つまたは複数の埋め込みウエイトは、クラブヘッド３００の１つまたは複数の埋め込みウエイト３８３と、クラブヘッド５００の１つまたは複数の埋め込みウエイトと、またはクラブヘッド７００の１つまたは複数の埋め込みウエイトと同様または同一であり得る。多くの実施形態では、１つまたは複数の埋め込みウエイトは、クラブヘッド９００にまたはクラブヘッド９００内に恒久的に固定されている。これらの実施形態では、埋め込みウエイトは、「埋め込み高密度鋳造」と題された米国仮特許出願第６２／３７２，８７０号に記載されている高密度金属片（ＨＤＭＰ）と同様であり得る。
【０３８０】
多くの実施形態では、１つまたは複数の埋め込みウエイトは、クラブヘッド９００のバックエンド９１０の近くに配置されている。例えば、埋め込みウエイトのウエイト中心は、クロックグリッド２０００の５時の放射線２００５と７時の放射線２００７の間、または５時の放射線２００５と８時の放射線２００８の間に位置することができる。多くの実施形態において、１つまたは複数の埋め込みウエイトは、スカート９２８上でクラブヘッド９００のバックエンド９１０付近、ソール９１８上でクラブヘッド９００のバックエンド９１０付近、またはスカート９２８上およびソール９１８上でクラブヘッド９００のバックエンド９１０付近に配置することができる。
【０３８１】
多くの実施形態では、１つまたは複数の埋め込みウエイトのウエイト中心は、上面図から見たとき、クラブヘッド９００の周囲の０．１０インチ以内、０．２０インチ以内、０．３０インチ以内、０．４０インチ以内、０．５０インチ以内、０．６０インチ以内、０．７０インチ以内、０．８０インチ以内、０．９０インチ以内、１．０インチ以内、１．１インチ以内、１．２インチ以内、１．３インチ以内、１．４インチ以内、または１．５インチ以内に配置される。これらの実施形態では、埋め込みウエイトがクラブヘッド９００の周囲に近接していることにより、低く後方のヘッドＣＧ位置、クラウン−ソール慣性モーメントＩｘｘ、および／またはヒール−トウ慣性モーメントＩｙｙを最大化することができる。
【０３８２】
多くの実施形態では、１つ以上の埋め込みウエイトのウエイト中心は、ヘッドＣＧ９７０から１．６インチよりも大きい、１．７インチよりも大きい、１．８インチよりも大きい、１．９インチよりも大きい、２．０インチよりも大きい、２．１インチよりも大きい、２．２インチよりも大きい、２．３インチよりも大きい、２．４インチよりも大きい、２．５インチよりも大きい、２．６インチよりも大きい、２．７インチよりも大きい、２．８インチよりも大きい、２．９インチよりも大きい、または３．０インチよりも大きい距離に配置される。
【０３８３】
多くの実施形態では、１つまたは複数の埋め込みウエイトのウエイト中心は、打撃面９０４の幾何学的中心９４０から４．０インチよりも大きい、４．１インチよりも大きい、４．２インチよりも大きい、４．３インチよりも大きい、４．４インチよりも大きい、４．５インチよりも大きい、４．６インチよりも大きい、４．７インチよりも大きい、４．８インチよりも大きい、４．９インチよりも大きい、または５．０インチよりも大きい距離に配置される。
【０３８４】
多くの実施形態で、１つ以上の埋め込みウエイトは、３．０〜１２０グラムの質量を含み得る。例えば、いくつかの実施形態では、１つまたは複数の埋め込みウエイトは、３．０〜２５グラム、１０〜４０グラム、２０〜５０グラム、３０〜６０グラム、４０〜７０グラム、５０〜８０グラム、６０〜９０グラム、７０〜１００グラム、８０〜１２０グラム、または９０〜１２０グラムの質量を含むことができる。１つまたは複数の埋め込みウエイトが２つ以上のウエイトを含む実施形態では、埋め込みウエイトのそれぞれは同じまたは異なる質量を含むことができる。
【０３８５】
多くの実施形態では、１つまたは複数の埋め込みウエイトは、１０．０から２２．０の間の比重を有する材料を含むことができる。例えば、多くの実施形態では、１つまたは複数の埋め込みウエイトは、１０．０より大きい、１１．０より大きい、１２．０より大きい、１３．０より大きい、１４．０より大きい、１５．０より大きい、１６．０より大きい、１６．０より大きい、１７．０より大きい、１８．０より大きい、または１９．０より大きい比重を有する材料を含むことができる。１つまたは複数の埋め込みウエイトが２つ以上のウエイトを含む実施形態では、埋め込みウエイトのそれぞれは同じまたは異なる材料を含むことができる。
ｖ．急なクラウン角度
【０３８６】
いくつかの実施形態では、ゴルフクラブヘッド９００は、ヘッドＣＧの低く後方の位置を達成するために急なクラウン角度９８８をさらに含むことができる。急なクラウン角度９８８は、クラウン９１６のバックエンドをソール９１８または地面に向かって位置決めし、それによってクラブヘッドＣＧ位置を下げる。
【０３８７】
クラウン角度９８８は、クラウン軸１０９０と前面１０２０との間の鋭角として測定される。これらの実施形態では、クラウン軸は、接地面１０３０および前面１０２０に垂直に配置された平面に沿って見たクラブヘッドの断面内に位置している。クラウン軸１０９０は、上部遷移境界および後部遷移境界を参照してさらに説明することができる。
【０３８８】
クラブヘッド９００は、フロントエンド９０８とクラウン９１６との間にヒール９２０の近くからトウ９２２の近くまで延びる上部遷移境界を含む。上部遷移境界は、クラブヘッド９００がアドレス位置にあるときに前面１０２０に垂直で接地面１０３０に垂直な平面に沿って取られた側断面図から見たときのクラウン遷移プロファイル９９０を含む。側断面図は、ヒール９２０の近くからトウ９２２の近くまでのクラブヘッド９００の任意の点において取ることができる。クラウン遷移プロファイル９９０は、クラブヘッド９００のフロントエンド９０８からクラウン遷移点９９４まで延びるフロント曲率半径９９２を画定しており、ここで、クラブヘッド９００のフロントエンド９０８は輪郭が打撃面９０４の起伏範囲および／または膨らみ範囲から外れる部分であり、クラウン遷移点９９４はフロント曲率半径９９２からクラウン９１６の曲率への曲率の変化を示す。いくつかの実施形態では、フロント曲率半径９９２は、クラウン９１６付近の打撃面周囲９４２の上端９９３からクラウン遷移点９９４まで延びる単一の曲率半径を含み、クラウン９１６付近の打撃面周囲９４２の上端９９３は輪郭が打撃面９０４の起伏範囲および／または膨らみ範囲から外れる部分であり、クラウン遷移点９９４はフロント曲率半径９９２からクラウン９１６の１つ以上の曲率への曲率の変化を示す。
【０３８９】
クラブヘッド９００はさらに、クラウン９１６とスカート９２８との間にヒール９２０の近くからトウ９２２の近くまで延びる後部遷移境界を含む。後部遷移境界は、クラブヘッド９００がアドレス位置にあるときに前面１０２０に垂直で接地面１０３０に垂直な平面に沿って取られた側断面図から見たときの後部遷移プロファイル９９６を含む。断面図は、ヒール９２０の近くからトウ９２２の近くまでのクラブヘッド９００の任意の点において取ることができる。後部遷移プロファイル９９６は、クラブヘッド９００のクラウン９１６からスカート９２８まで延びるバック曲率半径９９８を画定する。多くの実施形態では、バック曲率半径９９８は、後部遷移境界に沿ってクラブヘッド９００のスカート９２８に遷移させる単一の曲率半径を含む。第１の後部遷移点１００２は、クラウン９１６と後部遷移境界との間の接続部に位置している。第２の後部遷移点１００３は、クラブヘッド９００の後部遷移境界とスカート９２８との間の接続部に位置している。
【０３９０】
上部遷移境界のフロント曲率半径９９２は一定のままでもよいし、またはクラブヘッド９００のヒール９２０付近からトウ９２２付近まで変化してもよい。同様に、後部遷移境界のバック曲率半径９９８は、一定のままでもよいし、クラブヘッド９００のヒール９２０の近くからトウ９２２の近くまで変化してもよい。
【０３９１】
クラウン軸１０９０は、クラブヘッド９００のフロントエンド９０８付近のクラウン遷移点９９４とクラブヘッド９００のバックエンド９１０付近の後部遷移点１００２との間に延びる。クラウン角度９８８は一定のままでもよいし、クラブヘッド９００のヒール９２０の近くからトウ９２２の近くまで変化してもよい。例えば、クラウン角度９８８は、側断面図がヒール９２０およびトウ９２２に対して異なる位置で取られるときに変化し得る。
【０３９２】
多くの実施形態において、現在のクラブヘッドと比較してクラウン角度９８８を減少させることは、より急なクラウンまたはクラブヘッドがアドレス位置にあるときに接地平面により近い位置に配置されたクラウンを生成する。したがって、クラウン角度９８８の減少は、より高いクラウン角度を有するクラブヘッドと比較して、より低いヘッドＣＧ位置をもたらし得る。
ｖｉ．ホーゼルスリーブウエイト
【０３９３】
いくつかの実施形態では、ヘッドＣＧ高さ９７４および／またはヘッドＣＧ深さ９７２は、ホーゼルスリーブ９３４の質量を減らすことによって達成することができる。ホーゼルスリーブ９３４から余分なウエイトを取り除くと、所望の低く後方のクラブヘッドＣＧ位置を達成するために、増加した裁量のウエイトを戦略的にクラブヘッド９００の領域に再配置することができる。
【０３９４】
ホーゼルスリーブ９３４の質量を減らすことは、スリーブ壁を薄くすること、ホーゼルスリーブ９３４の高さを減らすこと、ホーゼルスリーブ９３４の直径を減らすこと、および／またはホーゼルスリーブ９３４の壁に空隙を導入することによって達成できる。多くの実施形態において、ホーゼルスリーブ９３４の質量は、６グラム未満、５．５グラム未満、５．０グラム未満、４．５グラム未満、または４．０グラム未満であり得る。多くの実施形態では、質量が減少したホーゼルスリーブを有するクラブヘッド９００は、より重いホーゼルスリーブを有する同様のクラブヘッドよりも低く（ソールに近い）そしてより後方に（バックエンドに近い）クラブヘッドＣＧ位置をもたらす。
Ｂ．空気抵抗
【０３９５】
多くの実施形態では、クラブヘッド９００は、低減された空力抵抗とともに、クラブヘッドの低く後方のＣＧ位置と、クラブヘッドの慣性モーメントの増加と、の組み合わせを含む。
【０３９６】
多くの実施形態では、クラブヘッド９００は、スクエア面および時速９５マイル（ｍｐｈ）の風速の風洞で試験したときに、約１．０ｌｂｆ未満、０．９０ｌｂｆ未満、０．８０ｌｂｆ未満、０．７５ｌｂｆ未満、０．７０ｌｂｆ未満、０．６５ｌｂｆ未満、または０．６０ｌｂｆ未満の空気抵抗力を経験する。これらまたは他の実施形態では、クラブヘッド９００は、スクエア面および時速９５マイル（ｍｐｈ）の風速の計算流体力学による計算において、約１．０ｌｂｆ未満、０．９０ｌｂｆ未満、０．８０ｌｂｆ未満、０．７５ｌｂｆ未満、０．７０ｌｂｆ未満、０．６５ｌｂｆ未満、または０．６０ｌｂｆ未満の空気抵抗力を経験する。これらの実施形態では、スクエア面を有するクラブヘッド９００が経験する空気流は、Ｘ’Ｙ’平面に垂直な方向に打撃面９０４に向けられる。以下に記載されるように、空気抵抗力が低減されたクラブヘッド９００は、様々な手段を用いて達成することができる。
ｉ．クラウン角度高さ
【０３９７】
いくつかの実施形態では、クラウン角９８８を小さくしてより急なクラウンおよびより低いヘッドＣＧ位置を形成すると、スイング中のクラウン上での空気流の分離が増大するため、空力抵抗の望ましくない増大があり得る。クラウン角９８８の減少に伴う抗力の増大を防ぐために、最大クラウン高さ１００４を増大させることができる。最大クラウン高さ１００４は、Ｙ’Ｚ’平面に平行な平面に沿ったクラブヘッドの任意の側断面図で見たクラウン９１６とクラウン軸１０９０との間の最大距離である。多くの実施形態において、より大きな最大クラウン高さ１００４は、より大きな曲率を有するクラウン９１６をもたらす。クラウン９１６の曲率が大きいほど、スイング中の空気流の分離の位置がクラブヘッド９００の後方にさらに移動する。言い換えれば、より大きな曲率は、スイング中にクラウン９１６に沿ってより長い距離にわたって空気流がクラブヘッド９００に接触したままでいることを可能にする。クラウン９１６上で気流分離点を後方に移動させると、空力抵抗が減少し、クラブヘッドのスイング速度が増加し、それによってボールの速度と距離が増加する可能性がある。
ｉｉ．遷移プロファイル
【０３９８】
多くの実施形態では、打撃面９０４からクラウン９１６、打撃面９０４からソール９１８、および／またはクラブヘッド９００のバックエンド９１０に沿ったクラウン９１６からソール９１８の遷移プロファイルは、スイング中のクラブヘッド９００上の空力抵抗に影響を与える。
【０３９９】
いくつかの実施形態では、クラウン遷移プロファイル９９０を画定する上部遷移境界と、後部遷移プロファイル９９６を画定する後部遷移境界とを有するクラブヘッド９００は、ソール遷移プロファイル１０１０を画定するソール遷移境界をさらに含む。ソール遷移境界は、フロントエンド９０８とソール９１８との間でヒール９２０の近くからトウ９２２の近くまで延びる。ソール遷移境界は、Ｙ’Ｚ’平面に平行な平面に沿って見た側断面図から見たときのソール遷移プロファイル１０１０を含む。側面断面図は、ヒール９２０の近くからトウ９２２の近くまでのクラブヘッド９００の任意の点において取ることができる。ソール遷移プロファイル１０１０は、クラブヘッド９００のフロントエンド９０８からソール遷移点１０１４まで延びるソール曲率半径１０１２を画定しており、ここで、クラブヘッド９００のフロントエンド９０８は輪郭が打撃面９０４の起伏範囲および／または膨らみ範囲から外れる部分であり、ソール遷移点１０１４はソールの曲率半径１０１２からソール９１８の曲率への曲率の変化を示す。いくつかの実施形態では、ソール曲率半径１０１２は、ソール９１８付近の打撃面周囲９４２の底端１０１３からソール遷移点１０１４まで伸びる単一の曲率半径を含み、ソール９１８付近の打撃面周囲９４２の底端１０１３は輪郭が起伏範囲および／または膨らみ範囲から外れる部分であり、ソール遷移点１０１４はソールの曲率半径１０１２からソール１０１４の曲率への曲率の変化を示す。
【０４００】
多くの実施形態では、クラウン遷移プロファイル９９０、ソール遷移プロファイル１０１０、および後部遷移プロファイル９９６は、「空力抵抗を減少させるための遷移プロファイルを有するゴルフクラブヘッド」という名称の米国特許第１５／２３３，４８６号に記載されているクラウン遷移プロファイル、ソール遷移プロファイル、および後部遷移プロファイルと同様であり得る。さらに、フロント曲率半径９９２、ソール曲率半径１０１２、およびバック曲率半径９９８は、「空力抵抗を減少させるための遷移プロファイルを有するゴルフクラブヘッド」という名称の米国特許第１５／２３３，４８６号に記載されている第１のクラウン側曲率半径、第１のソール側曲率半径、およびバック曲率半径と同様にすることができる。
ｉｉｉ．タービュレータ
【０４０１】
いくつかの実施形態では、クラブヘッド９００はさらに、「タービュレータ付きゴルフクラブヘッドおよびゴルフクラブヘッドを製造する方法」という名称のその内容が本願に完全に組み込まれている米国特許出願第１３／５３６，７５３号、２０１３年１２月１７日に付与された現在米国特許第８，６０８，５８７号に記載されているように、複数のタービュレータ９１４を含むことができる。多くの実施形態では、複数のタービュレータ９１４は、空気流を乱し、それによって境界層内に小さな渦または乱流を生じさせて、境界層にエネルギーを与え、スイング中にクラウン上での気流の分離を遅らせる。
【０４０２】
いくつかの実施形態では、複数のタービュレータ６１４は、クラブヘッド９００のクラウン遷移点３９４に隣接することができる。複数のタービュレータ９１４は、クラウン９１６の外面から突出し、クラブヘッド９００のフロントエンド９０８とバックエンド９１０との間に延びる長さ、およびクラブヘッド９００のヒール９２０からトウ９２２まで延びる幅を含む。多くの実施形態では、複数のタービュレータ９１４の長さは幅よりも大きい。いくつかの実施形態では、複数のタービュレータ９１４は同じ幅を含むことができる。いくつかの実施形態において、複数のタービュレータ９１４は、高さプロファイルが変化することができる。いくつかの実施形態では、複数のタービュレータ９１４は、クラウン９１６の前面と比較してクラウン９１６の頂点に向かって高くてもよい。他の実施形態では、複数のタービュレータ９１４は、クラウン９１６の前方に向かって高く、クラウン９１６の頂点に向かって高さが低くてもよい。他の実施形態では、複数のタービュレータ９１４は一定の高さプロファイルを含むことができる。さらに、多くの実施形態では、少なくとも１つのタービュレータの少なくとも一部が打撃面とクラウン９１６の頂点との間に配置され、隣接するタービュレータ間の間隔は、隣接するタービュレータのそれぞれの幅よりも大きい。
ｉｖ．バックキャビティ
【０４０３】
いくつかの実施形態では、クラブヘッド９００は、クラブヘッド９００のバックエンド９１０および後縁部９２８に位置しており、「ゴルフクラブヘッドと空気力学的特徴および関連する方法」という名称の米国特許出願第１４／８８２，０９２号に記載されているキャビティと同様のキャビティ１０２０をさらに含むことができる。多くの実施形態では、キャビティ１０２４は、ゴルフクラブヘッド９００の後方で発生した渦をより小さな渦に砕き、乱気流のサイズを小さくし、および／または抗力を小さくすることができる。いくつかの実施形態では、渦をより小さな渦に分割することにより、ゴルフクラブヘッド９００の後方に高圧の領域を生成することができる。いくつかの実施形態では、この高圧領域はゴルフクラブヘッド９００を前方に押し出し、抗力を低減し、および／またはゴルフクラブヘッド９００の空力設計を向上させることができる。多くの実施形態では、より小さな渦と抗力の減少の正味の効果は、ゴルフクラブヘッド９００の速度の増加である。この効果は、ゴルフボールがインパクト後に打球面を離れる速度が速くなり、ボールの飛行距離が増大する可能性がある。
【０４０４】
多くの実施形態では、キャビティ１０２０は、Ｘ’Ｚ’平面に垂直な方向に配向された後壁１０２２を含み、さらに、ヒール９２０からトウ９２２への方向に測定された幅、深さ１０２４、および高さ１０２６を含む。
ｖ．ホーゼル構造
【０４０５】
いくつかの実施形態において、ホーゼル構造９３０は、より大きい直径のホーゼル構造を有する同様のクラブヘッドと比較して、スイング中にクラブヘッド９００にかかる空気抵抗を低減するために、より小さい外径を有することができる。多くの実施形態において、ホーゼル構造９３０は、０．５５３インチ未満の外径を有する。例えば、ホーゼル構造９３０は、０．６０インチ未満、０．５９インチ未満、０．５８インチ未満、０．５７インチ未満、０．５６インチ未満、０．５５インチ未満、０．５４インチ未満、０．５３インチ未満、０．５２未満、０．５１インチ未満、または０．５０インチ未満の外径を有することができる。多くの実施形態において、ホーゼル構造９３０の外径は、クラブヘッド９００のロフト角および／またはライ角の調節可能性を維持しながら減少する。
Ｃ．ＣＧ位置、慣性モーメント、および空気抵抗のバランス
【０４０６】
現在のゴルフクラブヘッド設計では、クラブヘッドの慣性モーメントを増加または最大化することは、空気抵抗などのクラブヘッドの他の性能特性に悪影響を及ぼす可能性がある。本明細書に記載のクラブヘッド９００は、同時に空気抵抗を維持または低減しながら、クラブヘッドの慣性モーメントを増大または最大化する。したがって、インパクト性能特性（例えば、スピン、打ち出し角度、ボールスピード、および許容度）を改善したクラブヘッド９００はまた、スイング性能特性（例えば、空気抵抗、インパクト時にクラブヘッドをスクエアにする能力、およびスイング速度）のバランスし、または改善する。
Ｖ．製造方法
【０４０７】
多くの実施形態では、クラブヘッド１００を形成する方法は、本体１０２を形成する工程と、打撃面１０４を形成する工程と、および打撃面１０４を本体１０２に結合してクラブヘッド１００を形成する工程と、含むことができる。多くの実施形態では、本体１０２を形成することは、キャスティング、３Ｄ印刷、機械加工、または本体１０２を形成するための任意の他の適切な方法からなり得る。いくつかの実施形態では、本体は単一部品として形成することができる。他の実施形態では、本体１０２は、本体１０２を形成するように結合された複数の構成要素から形成することができる。
【０４０８】
多くの実施形態では、打撃面１０４を形成することは、機械加工、３Ｄ印刷、鋳造、または他の方法で打撃面１０４を形成することからなり得る。多くの実施形態では、打撃面１０４と本体１０２との結合は、溶接、機械的締結、または打撃面１０４と本体１０２とを結合する他の任意の適切な方法によって達成することができる。
ＶＩ．例
【０４０９】
（実施例１）
本明細書に記載されているのは、４６６ｃｃの容量、４．８１インチの深さ３６０、４．８８インチの長さ３６２、および２．６５インチの高さ３６４を有する例示的なゴルフクラブヘッド３００である。例示的なクラブヘッド３００は、クラウン３１６の表面積の５７％を含み、０．０１３インチの最小厚さを有する、クラウン３１６上の複数の薄い領域３７６を含む。例示的なクラブヘッド３００は、６８．６度のクラウン角３８８と０．５２２インチのクラウン角高さ４０４をさらに含む。
【０４１０】
例示的なクラブヘッド３００は、１４〜１５の間の比重と１４．５グラムの質量とを有するタングステンを含む埋め込みウエイト３８３を含む。この例では、埋め込みウエイト３８３のウエイト中心３８７からクラブヘッド３００の周囲までの距離は、上面図または底面図から見たときに０．１８３インチである。さらに、この例では、ウエイト中心３８７からヘッドＣＧ３７０までの距離は２．６７インチであり、ウエイト中心３８７から打撃面３０４の幾何学的中心３４０までの距離は４．５８インチである。例示的なクラブヘッド３００は、取り外し可能なウエイト３８２を収容するウエイト構造３８０をさらに含む。この例では、ウエイト構造３８０は、ソール３１８の外部輪郭から少なくとも部分的に突出している。さらにまた、例示的なクラブヘッド３００は、４．５グラムの質量を有するホーゼルスリーブ３３４を含む。
【０４１１】
上述のパラメータおよび／または追加のパラメータの結果として、例示的クラブヘッド３００は、１．８７インチのヘッドＣＧ深さ３７２および０．０８３インチのヘッドＣＧ高さ３７４を含む。さらに、上述のパラメータおよび／または追加のパラメータの結果として、例示的なクラブヘッド３００は、４２５８ｇ・ｃｍ２のクラウンラウン−ソール慣性モーメントＩｘｘ、５７１０ｇ・ｃｍ２のヒール−トウ慣性モーメントがＩｙｙ、および９９６８ｇ・ｃｍ２の合成慣性モーメントＩｘｘ＋ｌｙｙを含む。
【０４１２】
例示的なクラブヘッド３００はさらに、０．２４インチのフロント曲率半径３９２、０．３０インチのソール曲率半径４１２、および０．２０インチのバック曲率半径３９８を含む。さらに、例示的なクラブヘッド３００は、６．７３ｉｎ２（０．００４３４ｍ２）の前面投影面積、８．７３ｉｎ２（０．００５６３ｍ２）の側面投影面積、および外径が０．５４インチのホーゼル構造３３０を含む。これらのパラメータおよび／または追加のパラメータの結果として、例示的なクラブヘッド３００は、時速１０２マイル（ｍｐｈ）の空気速度でスクエア面に対して計算流体力学を用いて計算した場合、０．９５ｌｂｆの空気抵抗を含む。
【０４１３】
（実施例２）
本明細書に記載されているのは、４４５ｃｃの容量、４．６４インチの深さ５６０、４．７７インチの長さ５６２、および２．６６インチの高さ５６４を有する例示的なゴルフクラブヘッド５００である。例示的なクラブヘッド５００は、クラウン５１６の表面積の５５％を含み、０．０１３インチの最小厚さを有する、クラウン３１６上の複数の薄い領域５７６を含む。例示的なクラブヘッド５００は、７０．０度のクラウン角５８８と０．５４３インチのクラウン角高さ６０４をさらに含む。
【０４１４】
例示的なクラブヘッド５００は、１５〜１７の間の比重と７グラムの質量とを有するタングステンを含む埋め込みウエイト５８３を含む。この例では、埋め込みウエイト５８３のウエイト中心５８７からクラブヘッド５００の周囲までの距離は、上面図または底面図から見たときに０．２７４インチである。さらに、この例では、ウエイト中心５８７からヘッドＣＧ５７０までの距離は２．５８インチであり、ウエイト中心５８７から打撃面５０４の幾何学的中心５４０までの距離は４．３１インチである。例示的なクラブヘッド５００は、取り外し可能なウエイト５８２を収容するウエイト構造５８０をさらに含む。この例では、ウエイト構造５８０は、ソール５１８の外部輪郭から少なくとも部分的に突出している。さらにまた、例示的なクラブヘッド５００は、４．５グラムの質量を有するホーゼルスリーブ５３４を含む。
【０４１５】
上述のパラメータおよび／または追加のパラメータの結果として、例示的クラブヘッド５００は、１．７０インチのヘッドＣＧ深さ５７２および０．１１３インチのヘッドＣＧ高さ５７４を含む。さらに、上述のパラメータおよび／または追加のパラメータの結果として、例示的なクラブヘッド５００は、３７６８ｇ・ｃｍ２のクラウン−ソール慣性モーメントＩｘｘ、５３７９ｇ・ｃｍ２のヒール−トウ慣性モーメントＩｙｙ、および９１４７ｇ・ｃｍ２の合成慣性モーメントＩｘｘ＋ｌｙｙを含む。
【０４１６】
例示的なクラブヘッド５００はさらに、０．２４インチのフロント曲率半径５９２、０．３０インチのソール曲率半径６１２、および０．２０インチのバック曲率半径５９８を含む。さらに、例示的なクラブヘッド５００は、６．４０ｉｎ２（０．００４１３ｍ２）の前方投影面積、８．１８ｉｎ２（０．００５２８ｍ２）の側面投影面積、および外径が０．５４インチのホーゼル構造５３０を含む。さらにまた、例示的なクラブヘッド５００は、１．７インチの長さ、０．２１５インチの高さ６２６、および０．７５インチの深さ６２４を有するバックキャビティ６２０を含む。これらパラメータおよび／または追加のパラメータの結果として、例示的なクラブヘッド５００は、時速１０２マイル（ｍｐｈ）の空気速度でスクエア面に対して計算流体力学を用いて計算したときに０．８３ｌｂｆの空気抵抗を含む。
【０４１７】
１つまたは複数の請求された要素の置き換えは、再構成を構成するものであり、修復は構成しない。さらに、利益、他の利点、および問題に対する解決法を、特定の実施形態に関して説明した。しかし、利益、利点、問題に対する解決法、および任意の利益、利点、または解決法を生じさせ得るかまたはそれらをより明白にし得るいずれの要素も、そのような請求項の重要、必要、または不可欠な特徴または要素として解釈すべきではない。
【０４１８】
ゴルフの規則は時々変更されることがあり（例えば、ゴルフの標準団体及び／又は全米ゴルフ協会（ＵＳＧＡ）、英国ゴルフ協会（Ｒ＆Ａ）等の統治体によって、新しい規則が適用され、又は古い規則が撤廃又は改変されることがある）、本願に開示される装置、方法及び／又は製造品に関するゴルフ道具は、どのような時もゴルフの規則に適合してもよく、適合しなくてもよい。したがって、本願に開示される装置、方法及び／又は製造品に関するゴルフ道具は、広告、販売の申し出、及び／又はゴルフ道具に適合する又は適合しない販売であってもよい。本願に開示される装置、方法及び／又は製造品がこの点において限定されるものではない。
【０４１９】
上記実施例は、ドライバタイプゴルフクラブとの関連で説明され得るが、本明細書に記載の装置、方法、および製造物品は、他の種類のゴルフクラブ、例えば、フェアウェイウッドタイプゴルフクラブ、ハイブリッドタイプゴルフクラブ、アイアンタイプゴルフクラブ、ウェッジタイプゴルフクラブ、またはパタータイプゴルフクラブにも適用できる。あるいは、本明細書に記載の装置、方法、および製造物品は、他の種類のスポーツ道具、例えば、ホッケー用スティック、テニスラケット、釣竿、スキーポール等にも適用できる。
【０４２０】
さらに、本明細書に開示される実施形態および制限は、実施形態および／または制限が（１）請求項に明示的に特許請求されておらず、（２）均等論下で請求項の明白な要素および／または制限の潜在的な等価物である場合に、公有の原則下で公衆に供されない。
【０４２１】
本開示のさまざまな特徴および利点は以下の請求項に記載される。
【図１】
2019535416.tif 000015
【図２】
2019535416.tif 000016
【図３】
2019535416.tif 000017
【図４】
2019535416.tif 000018
【図５】
2019535416.tif 000019
【図６】
2019535416.tif 000020
【図７】
2019535416.tif 000021
【図８】
2019535416.tif 000022
【図９】
2019535416.tif 000023
【図１０Ａ】
2019535416.tif 000024
2019535416.tif 000025
【図１０Ｂ】
2019535416.tif 000026
2019535416.tif 000027
【図１０Ｃ】
2019535416.tif 000028
2019535416.tif 000029
【図１１Ａ】
2019535416.tif 000030
2019535416.tif 000031
【図１１Ｂ】
2019535416.tif 000032
2019535416.tif 000033
【図１２】
2019535416.tif 000034
2019535416.tif 000035
【図１３Ａ】
2019535416.tif 000036
2019535416.tif 000037
【図１３Ｂ】
2019535416.tif 000038
2019535416.tif 000039
【図１４】
2019535416.tif 000040
2019535416.tif 000041
【図１５】
2019535416.tif 000042
【図１６】
2019535416.tif 000043
【図１７】
2019535416.tif 000044
【図１８】
2019535416.tif 000045
【図１９】
2019535416.tif 000046
【図２０】
2019535416.tif 000047
【図２１】
2019535416.tif 000048
【図２２】
2019535416.tif 000049
【図２３Ａ】
2019535416.tif 000050
2019535416.tif 000051
【図２３Ｂ】
2019535416.tif 000052
2019535416.tif 000053
【図２３Ｃ】
2019535416.tif 000054
2019535416.tif 000055
【図２４Ａ】
2019535416.tif 000056
2019535416.tif 000057
【図２４Ｂ】
2019535416.tif 000058
2019535416.tif 000059
【図２５】
2019535416.tif 000060
2019535416.tif 000061
【図２６Ａ】
2019535416.tif 000062
2019535416.tif 000063
【図２６Ｂ】
2019535416.tif 000064
2019535416.tif 000065
【図２７】
2019535416.tif 000066
2019535416.tif 000067
【国際調査報告】
2019535416.tif 000068